(57)【要約】  【課題】消費税が徴収された後の端数額がでる場合であっても、遊技者が不利益を被ることがないと共に、該端数額分の遊技媒体を貸与する遊技機への改造や入替が不要であり、遊技場の従業員が小金種の貨幣を精算装置に補充する手間がかからないような遊技用システムを提供する。  【解決手段】入金精算装置３０において、消費税が徴収された後の端数額を含むカード残額が記録された精算カードと、電子マネー残額が記録された電子マネーカードとが受け付けられ（Ｄ１８１）、返却額が指定されると（Ｄ１８３）、前記精算カードに記録されているカード残額のうちの該指定された返却額が電子貨幣価値の大きさに変換されて、該変換された電子貨幣価値の大きさが前記電子マネーカードに記録されている電子マネー残額に対して加算更新される（Ｄ１８４）。【選択図】        図７
2006068333.tif 000002
【特許請求の範囲】
【請求項１】
遊技機に対応して設けられ、該遊技機での遊技に使用可能な遊技用価値の大きさを特定し、該特定された遊技用価値の大きさの範囲内における所定の大きさの遊技用価値を前記遊技機での遊技に使用させるための遊技使用処理を行う遊技使用処理手段と、
該遊技使用処理手段により遊技使用処理に供される使用価値の大きさと当該使用価値の大きさに対応する間接税とを、前記遊技用価値の大きさから減算するための減算処理を行う減算処理手段と、
電子貨幣価値の大きさを特定可能な電子貨幣価値特定情報が記録された電子貨幣価値記録媒体を受け付ける電子貨幣価値記録媒体受付手段と、
前記遊技用価値の大きさのうちの少なくとも一部を前記電子貨幣価値の大きさに変換するための電子貨幣価値変換処理を行う電子貨幣価値変換処理手段と、
該電子貨幣価値変換処理手段により変換された電子貨幣価値の大きさを、前記電子貨幣価値記録媒体受付手段により受け付けた電子貨幣価値記録媒体に記録されている電子貨幣価値特定情報から特定される電子貨幣価値の大きさに対して加算更新するための電子貨幣価値加算更新処理を行う電子貨幣価値加算更新処理手段と、
を備えることを特徴とする遊技用システム。
【請求項２】
請求項１に記載した遊技用システムであって、
前記電子貨幣価値変換処理手段により変換する遊技用価値の大きさ又は前記電子貨幣価値加算更新処理手段により加算更新する電子貨幣価値の大きさの指定を受け付ける変換価値指定受付手段をさらに備え、
前記電子貨幣価値変換処理手段は、前記遊技用価値の大きさのうちの前記変換価値指定受付手段により指定を受け付けた遊技用価値の大きさ又は該指定を受け付けた電子貨幣価値の大きさに相当する遊技用価値の大きさを前記電子貨幣価値の大きさに変換するための電子貨幣価値変換処理を行うことを特徴とする遊技用システム。
【請求項３】
電子貨幣価値の大きさを特定可能な電子貨幣価値特定情報が記録された電子貨幣価値記録媒体を受け付ける電子貨幣価値記録媒体受付手段と、
貨幣を受け付ける貨幣受付手段と、
遊技機での遊技に使用される予め定められた一単位の遊技用価値の大きさである単位使用価値の大きさと当該単位使用価値の大きさに対応する間接税との合算額を減算していったときに生じる該合算額未満の端数額を前記貨幣受付手段により受け付けた貨幣の金額から特定するための端数額特定処理を行う端数額特定処理手段と、
該端数額特定処理手段により特定された端数額を前記電子貨幣価値の大きさに変換するための電子貨幣価値変換処理を行う電子貨幣価値変換処理手段と、
該電子貨幣価値変換処理手段により変換された電子貨幣価値の大きさを、前記電子貨幣価値記録媒体受付手段により受け付けた電子貨幣価値記録媒体に記録されている電子貨幣価値特定情報から特定される電子貨幣価値の大きさに対して加算更新するための電子貨幣価値加算更新処理を行う電子貨幣価値加算更新処理手段と、
遊技機に対応して設けられ、前記貨幣受付手段により受け付けた貨幣の金額から前記端数額特定処理手段により特定された端数額を除く金額に相当する遊技用価値の大きさの範囲内における所定の大きさの遊技用価値を前記遊技機での遊技に使用させるための遊技使用処理を行う遊技使用処理手段と、
を備えることを特徴とする遊技用システム。
【請求項４】
請求項１〜３のいずれか１つに記載した遊技用システムであって、
前記電子貨幣価値記録媒体受付手段により受け付けた電子貨幣価値記録媒体に記録されている電子貨幣価値特定情報から特定される電子貨幣価値の大きさのうちの少なくとも一部を前記遊技用価値の大きさに変換するための遊技用価値変換処理を行う遊技用価値変換処理手段をさらに備えることを特徴とする遊技用システム。
【請求項５】
請求項４に記載した遊技用システムであって、
前記電子貨幣価値記録媒体には、当該電子貨幣価値記録媒体を用いて電子貨幣サービスを提供する複数の電子貨幣サービス提供機関の各々について前記電子貨幣価値特定情報が記録されており、
前記電子貨幣価値記録媒体受付手段により受け付けた当該電子貨幣価値記録媒体に記録されている電子貨幣価値特定情報から特定される複数の電子貨幣サービス提供機関のうちのいずれかの指定を受け付ける提供機関指定受付手段をさらに備え、
前記遊技用価値変換処理手段は、該提供機関指定受付手段により指定を受け付けた電子貨幣サービス提供機関の電子貨幣価値特定情報から特定される電子貨幣価値の大きさを前記遊技用価値の大きさに変換するための遊技用価値変換処理を行うことを特徴とする遊技用システム。
【請求項６】
請求項４又は５に記載した遊技用システムであって、
前記遊技使用処理手段により遊技使用処理に供される使用価値の大きさと当該使用価値の大きさに対応する間接税とを、前記遊技用価値の大きさから減算するための減算処理を行う減算処理手段をさらに備え、
前記遊技用価値変換処理手段は、前記遊技用価値の大きさが前記減算処理手段による減算処理の後に予め定められた遊技用価値の大きさ未満となったことを条件として、前記電子貨幣価値記録媒体受付手段により受け付けた電子貨幣価値記録媒体に記録されている電子貨幣価値特定情報から特定される電子貨幣価値の大きさのうちの予め定められた遊技用価値の大きさに相当する電子貨幣価値の大きさ又は予め定められた電子貨幣価値の大きさを前記遊技用価値の大きさに変換するための遊技用価値変換処理を行うことを特徴とする遊技用システム。
【請求項７】
請求項１〜６のいずれか１つに記載した遊技用システムであって、
前記電子貨幣価値記録媒体には、当該電子貨幣価値記録媒体を用いて電子貨幣サービスを提供する複数の電子貨幣サービス提供機関の各々について前記電子貨幣価値特定情報が記録されており、
前記電子貨幣価値記録媒体受付手段により受け付けた当該電子貨幣価値記録媒体に記録されている電子貨幣価値特定情報から特定される複数の電子貨幣サービス提供機関のうちのいずれかの指定を受け付ける提供機関指定受付手段をさらに備え、
前記電子貨幣価値加算更新処理手段は、前記電子貨幣価値変換処理手段により変換された電子貨幣価値の大きさを、前記提供機関指定受付手段により指定を受け付けた電子貨幣サービス提供機関の電子貨幣価値特定情報から特定される電子貨幣価値の大きさに対して加算更新するための電子貨幣価値加算更新処理を行うことを特徴とする遊技用システム。
【請求項８】
遊技機に対応して設けられ、該遊技機での遊技に使用可能な遊技用価値の大きさを特定可能な遊技用価値特定情報と、電子貨幣価値の大きさを特定可能な電子貨幣価値特定情報と、が記録された記録媒体を受け付けて、該受け付けた記録媒体に記録されている遊技用価値特定情報から特定される遊技用価値の大きさの範囲内における所定の大きさの遊技用価値を前記遊技機での遊技に使用させるための遊技使用処理を行う遊技使用処理手段と、
該遊技使用処理手段により遊技使用処理に供される使用価値の大きさと当該使用価値の大きさに対応する間接税とを、前記遊技使用処理手段により受け付けた記録媒体に記録されている遊技用価値特定情報から特定される遊技用価値の大きさから減算するための減算処理を行う減算処理手段と、
前記記録媒体を受け付ける記録媒体受付手段と、
該記録媒体受付手段により受け付けた記録媒体に記録されている遊技用価値特定情報から特定される遊技用価値の大きさのうちの少なくとも一部を前記電子貨幣価値の大きさに変換するための電子貨幣価値変換処理を行う電子貨幣価値変換処理手段と、
該電子貨幣価値変換処理手段により変換された電子貨幣価値の大きさを、前記記録媒体受付手段により受け付けた記録媒体に記録されている電子貨幣価値特定情報から特定される電子貨幣価値の大きさに対して加算更新するための電子貨幣価値加算更新処理を行う電子貨幣価値加算更新処理手段と、
を備えることを特徴とする遊技用システム。
【請求項９】
請求項８に記載した遊技用システムであって、
前記電子貨幣価値変換処理手段により変換する遊技用価値の大きさ又は前記電子貨幣価値加算更新処理手段により加算更新する電子貨幣価値の大きさの指定を受け付ける変換価値指定受付手段をさらに備え、
前記電子貨幣価値変換処理手段は、前記記録媒体受付手段により受け付けた記録媒体に記録されている遊技用価値特定情報から特定される遊技用価値の大きさのうちの前記変換価値指定受付手段により指定を受け付けた遊技用価値の大きさ又は該指定を受け付けた電子貨幣価値の大きさに相当する遊技用価値の大きさを前記電子貨幣価値の大きさに変換するための電子貨幣価値変換処理を行うことを特徴とする遊技用システム。
【請求項１０】
遊技機での遊技に使用可能な遊技用価値の大きさを特定可能な遊技用価値特定情報と、電子貨幣価値の大きさを特定可能な電子貨幣価値特定情報と、が記録された記録媒体を受け付ける記録媒体受付手段と、
貨幣を受け付ける貨幣受付手段と、
遊技機での遊技に使用される予め定められた一単位の遊技用価値の大きさである単位使用価値の大きさと当該単位使用価値の大きさに対応する間接税との合算額を減算していったときに生じる該合算額未満の端数額を前記貨幣受付手段により受け付けた貨幣の金額から特定するための端数額特定処理を行う端数額特定処理手段と、
該端数額特定処理手段により特定された端数額を前記電子貨幣価値の大きさに変換するための電子貨幣価値変換処理を行う電子貨幣価値変換処理手段と、
該電子貨幣価値変換処理手段により変換された電子貨幣価値の大きさを、前記記録媒体受付手段により受け付けた記録媒体に記録されている電子貨幣価値特定情報から特定される電子貨幣価値の大きさに対して加算更新するための電子貨幣価値加算更新処理を行う電子貨幣価値加算更新処理手段と、
前記貨幣受付手段により受け付けた貨幣の金額から前記端数額特定処理手段により特定された端数額を除く金額に相当する遊技用価値の大きさを、前記記録媒体受付手段により受け付けた記録媒体に記録されている遊技用価値特定情報から特定される遊技用価値の大きさに対して加算更新するための遊技用価値加算更新処理を行う遊技用価値加算更新処理手段と、
遊技機に対応して設けられ、前記記録媒体を受け付けて、該受け付けた記録媒体に記録されている遊技用価値特定情報から特定される遊技用価値の大きさの範囲内における所定の大きさの遊技用価値を前記遊技機での遊技に使用させるための遊技使用処理を行う遊技使用処理手段と、
を備えることを特徴とする遊技用システム。
【請求項１１】
請求項８〜１０のいずれか１つに記載した遊技用システムであって、
前記記録媒体受付手段により受け付けた記録媒体に記録されている電子貨幣価値特定情報から特定される電子貨幣価値の大きさのうちの少なくとも一部を前記遊技用価値の大きさに変換するための遊技用価値変換処理を行う遊技用価値変換処理手段と、
該遊技用価値変換処理手段により変換された遊技用価値の大きさを、前記記録媒体受付手段により受け付けた記録媒体に記録されている遊技用価値特定情報から特定される遊技用価値の大きさに対して加算更新するための遊技用価値加算更新処理を行う遊技用価値加算更新処理手段と、をさらに備えることを特徴とする遊技用システム。
【請求項１２】
請求項１１に記載した遊技用システムであって、
前記記録媒体には、当該記録媒体を用いて電子貨幣サービスを提供する複数の電子貨幣サービス提供機関の各々について前記電子貨幣価値特定情報が記録されており、
前記記録媒体受付手段により受け付けた当該記録媒体に記録されている電子貨幣価値特定情報から特定される複数の電子貨幣サービス提供機関のうちのいずれかの指定を受け付ける提供機関指定受付手段をさらに備え、
前記遊技用価値変換処理手段は、該提供機関指定受付手段により指定を受け付けた電子貨幣サービス提供機関の電子貨幣価値特定情報から特定される電子貨幣価値の大きさを前記遊技用価値の大きさに変換するための遊技用価値変換処理を行うことを特徴とする遊技用システム。
【請求項１３】
請求項１１又は１２に記載した遊技用システムであって、
前記遊技使用処理手段により遊技使用処理に供される使用価値の大きさと当該使用価値の大きさに対応する間接税とを、当該遊技使用処理手段により受け付けた記録媒体に記録されている遊技用価値特定情報から特定される遊技用価値の大きさから減算するための減算処理を行う減算処理手段をさらに備え、
前記遊技用価値変換処理手段は、前記遊技用価値の大きさが前記減算処理手段による減算処理の後に予め定められた遊技用価値の大きさ未満となったことを条件として、前記遊技使用処理手段により受け付けた記録媒体に記録されている電子貨幣価値特定情報から特定される電子貨幣価値の大きさのうちの予め定められた遊技用価値の大きさに相当する電子貨幣価値の大きさ又は予め定められた電子貨幣価値の大きさを前記遊技用価値の大きさに変換するための遊技用価値変換処理を行うことを特徴とする遊技用システム。
【請求項１４】
請求項８〜１３のいずれか１つに記載した遊技用システムであって、
前記記録媒体には、当該記録媒体を用いて電子貨幣サービスを提供する複数の電子貨幣サービス提供機関の各々について前記電子貨幣価値特定情報が記録されており、
前記記録媒体受付手段により受け付けた当該記録媒体に記録されている電子貨幣価値特定情報から特定される複数の電子貨幣サービス提供機関のうちのいずれかの指定を受け付ける提供機関指定受付手段をさらに備え、
前記電子貨幣価値加算更新処理手段は、前記電子貨幣価値変換処理手段により変換された電子貨幣価値の大きさを、前記提供機関指定受付手段により指定を受け付けた電子貨幣サービス提供機関の電子貨幣価値特定情報から特定される電子貨幣価値の大きさに対して加算更新するための電子貨幣価値加算更新処理を行うことを特徴とする遊技用システム。
【発明の詳細な説明】
【技術分野】
【０００１】
本発明は、遊技機での遊技に使用可能な遊技用価値の大きさを予め定められた一単位の遊技用価値の大きさ毎に使用させるための遊技用システムに係り、特に該使用された遊技用価値の大きさに対応する間接税（消費税）が徴収された後の前記一単位の遊技用価値の大きさと当該一単位の遊技用価値の大きさに対応する間接税との合算額未満の端数額を遊技者に対して返却可能な遊技用システムに関する。
【背景技術】
【０００２】
従来より、特許文献１に示すように、パチンコ機に対応して設けられる玉貸機において、有価価値データを特定可能な有価価値特定情報が記録されたカードを受け付けて、該受け付けたカードに記録されている有価価値特定情報から特定される有価価値データを使用してパチンコ玉を貸し出す際に、例えば５００円分のパチンコ玉をパチンコ機から貸し出す一方で、該パチンコ玉の貸出に使用された５００円と当該５００円に対応する消費税である２５円（消費税率が５％の場合）とを前記カードの有価価値データから減算する間接税徴収システムが知られている。ここで消費税は間接税の一例であって、遊技場において提供される遊技サービスに対して課税されるものである。
【０００３】
【特許文献１】特開２００２−１２３６５１号公報（第９〜１０頁，図１１〜図１３）
【発明の開示】
【発明が解決しようとする課題】
【０００４】
しかしながら、上記の間接税徴収システムでは、１００円単位でパチンコ玉の貸出が行われるため、前記消費税が徴収された後に該１００円未満の端数額がカードに残ってしまい、該端数額については実質的にパチンコ玉の貸出に使用できず、遊技者が不利益を被ることとなってしまう。ここで該端数額分のパチンコ玉をパチンコ機から貸し出すこととすると、遊技場に既設のパチンコ機の改造や入替が必要となるが、改造であれば監督機関への改造申請に手間がかかり、入替であれば遊技場が継続して使用したいパチンコ機まで入れ替えなければならないという問題がある。また前記端数額分の貨幣を精算装置から払い出して遊技者に返却するにしても、遊技場の従業員が小金種の貨幣を精算装置に補充する手間がかかるという問題がある。
【０００５】
本発明は、このような背景のもとになされたものであり、その目的は、間接税（前記消費税）が徴収された後の一単位の遊技用価値の大きさ（前記１００円）と当該一単位の遊技用価値の大きさに対応する間接税（例えば５円）との合算額（即ち１０５円）未満の端数額がでる場合であっても、遊技者が不利益を被ることがないと共に、該端数額分の遊技媒体（パチンコ玉）を貸与する遊技機（パチンコ機）への改造や入替が不要であり、遊技場の従業員が小金種の貨幣を精算装置に補充する手間がかからないような遊技用システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、該遊技機での遊技に使用可能な遊技用価値の大きさ（ユニット残額，カード残額）を特定し、該特定された遊技用価値の大きさの範囲内における所定の大きさの遊技用価値を前記遊技機での遊技に使用させるための遊技使用処理（玉貸処理）を行う遊技使用処理手段（玉貸ユニット２０）と、該遊技使用処理手段により遊技使用処理に供される使用価値の大きさ（使用金額）と当該使用価値の大きさに対応する間接税（消費税）とを、前記遊技用価値の大きさから減算するための減算処理を行う減算処理手段（玉貸ユニット２０の制御部２２）と、電子貨幣価値の大きさ（電子マネー残額）を特定可能な電子貨幣価値特定情報（電子マネーＩＤ，電子マネー残額）が記録された電子貨幣価値記録媒体（電子マネーカード５）を受け付ける電子貨幣価値記録媒体受付手段（入金精算装置３０の電子マネーカードＲ／Ｗ３６）と、前記遊技用価値の大きさのうちの少なくとも一部を前記電子貨幣価値の大きさに変換するための電子貨幣価値変換処理を行う電子貨幣価値変換処理手段（入金精算装置３０の制御部３２）と、該電子貨幣価値変換処理手段により変換された電子貨幣価値の大きさを、前記電子貨幣価値記録媒体受付手段により受け付けた電子貨幣価値記録媒体に記録されている電子貨幣価値特定情報から特定される電子貨幣価値の大きさに対して加算更新するための電子貨幣価値加算更新処理を行う電子貨幣価値加算更新処理手段（入金精算装置３０の制御部３２）と、を備えることを特徴とする遊技用システム（第１実施形態に係る遊技用システム１）である。
【０００８】
また請求項２に係る発明は、請求項１に記載した遊技用システム（第１実施形態に係る遊技用システム１）であって、前記電子貨幣価値変換処理手段（入金精算装置３０の制御部３２）により変換する遊技用価値の大きさ（カード残額）又は前記電子貨幣価値加算更新処理手段（入金精算装置３０の制御部３２）により加算更新する電子貨幣価値の大きさ（電子マネー残額）の指定を受け付ける変換価値指定受付手段（入金精算装置３０のディスプレイ３７）をさらに備え、前記電子貨幣価値変換処理手段は、前記遊技用価値の大きさのうちの前記変換価値指定受付手段により指定を受け付けた遊技用価値の大きさ又は該指定を受け付けた電子貨幣価値の大きさに相当する遊技用価値の大きさを前記電子貨幣価値の大きさに変換するための電子貨幣価値変換処理を行うことを特徴とする遊技用システムである。
【０００９】
また請求項３に係る発明は、電子貨幣価値の大きさ（電子マネー残額）を特定可能な電子貨幣価値特定情報（電子マネーＩＤ，電子マネー残額）が記録された電子貨幣価値記録媒体（電子マネーカード５）を受け付ける電子貨幣価値記録媒体受付手段（玉貸ユニット２０の電子マネーカードＲ／Ｗ２６，入金精算装置３０の電子マネーカードＲ／Ｗ３６）と、貨幣（紙幣２，硬貨３）を受け付ける貨幣受付手段（玉貸ユニット２０の紙幣識別機２３及び硬貨識別機２４，入金精算装置３０の紙幣識別機３３及び硬貨識別機３４）と、遊技機（パチンコ機１０）での遊技に使用される予め定められた一単位の遊技用価値の大きさ（ユニット残額，カード残額）である単位使用価値の大きさ（１００円）と当該単位使用価値の大きさに対応する間接税（消費税）との合算額（１０５円）を減算していったときに生じる該合算額未満の端数額を前記貨幣受付手段により受け付けた貨幣の金額から特定するための端数額特定処理を行う端数額特定処理手段（玉貸ユニット２０の制御部２２，入金精算装置３０の制御部３２）と、該端数額特定処理手段により特定された端数額を前記電子貨幣価値の大きさに変換するための電子貨幣価値変換処理を行う電子貨幣価値変換処理手段（玉貸ユニット２０の制御部２２，入金精算装置３０の制御部３２）と、該電子貨幣価値変換処理手段により変換された電子貨幣価値の大きさを、前記電子貨幣価値記録媒体受付手段により受け付けた電子貨幣価値記録媒体に記録されている電子貨幣価値特定情報から特定される電子貨幣価値の大きさに対して加算更新するための電子貨幣価値加算更新処理を行う電子貨幣価値加算更新処理手段（玉貸ユニット２０の制御部２２，入金精算装置３０の制御部３２）と、遊技機に対応して設けられ、前記貨幣受付手段により受け付けた貨幣の金額から前記端数額特定処理手段により特定された端数額を除く金額に相当する遊技用価値の大きさの範囲内における所定の大きさの遊技用価値を前記遊技機での遊技に使用させるための遊技使用処理（玉貸処理）を行う遊技使用処理手段（玉貸ユニット２０）と、を備えることを特徴とする遊技用システム（第２実施形態に係る遊技用システム１）である。
【００１０】
また請求項４に係る発明は、請求項１〜３のいずれか１つに記載した遊技用システム（第１，第２実施形態に係る遊技用システム１）であって、前記電子貨幣価値記録媒体受付手段（玉貸ユニット２０の電子マネーカードＲ／Ｗ２６，入金精算装置３０の電子マネーカードＲ／Ｗ３６）により受け付けた電子貨幣価値記録媒体（電子マネーカード５）に記録されている電子貨幣価値特定情報（電子マネーＩＤ，電子マネー残額）から特定される電子貨幣価値の大きさ（電子マネー残額）のうちの少なくとも一部を前記遊技用価値の大きさ（ユニット残額，カード残額）に変換するための遊技用価値変換処理を行う遊技用価値変換処理手段（玉貸ユニット２０の制御部２２，入金精算装置３０の制御部３２）をさらに備えることを特徴とする遊技用システムである。
【００１１】
また請求項５に係る発明は、請求項４に記載した遊技用システム（第１，第２実施形態に係る遊技用システム１）であって、前記電子貨幣価値記録媒体（電子マネーカード５）には、当該電子貨幣価値記録媒体を用いて電子貨幣サービスを提供する複数の電子貨幣サービス提供機関（電子マネー会社８）の各々について前記電子貨幣価値特定情報（電子マネーＩＤ，電子マネー残額）が記録されており、前記電子貨幣価値記録媒体受付手段（玉貸ユニット２０の電子マネーカードＲ／Ｗ２６，入金精算装置３０の電子マネーカードＲ／Ｗ３６）により受け付けた当該電子貨幣価値記録媒体に記録されている電子貨幣価値特定情報から特定される複数の電子貨幣サービス提供機関のうちのいずれかの指定を受け付ける提供機関指定受付手段（玉貸ユニット２０のディスプレイ２７，入金精算装置３０のディスプレイ３７）をさらに備え、前記遊技用価値変換処理手段（玉貸ユニット２０の制御部２２，入金精算装置３０の制御部３２）は、該提供機関指定受付手段により指定を受け付けた電子貨幣サービス提供機関の電子貨幣価値特定情報から特定される電子貨幣価値の大きさ（電子マネー残額）を前記遊技用価値の大きさ（ユニット残額，カード残額）に変換するための遊技用価値変換処理を行うことを特徴とする遊技用システムである。
【００１２】
また請求項６に係る発明は、請求項４又は５に記載した遊技用システム（第１，第２実施形態に係る遊技用システム１）であって、前記遊技使用処理手段（玉貸ユニット２０）により遊技使用処理（玉貸処理）に供される使用価値の大きさ（使用金額）と当該使用価値の大きさに対応する間接税（消費税）とを、前記遊技用価値の大きさ（ユニット残額，カード残額）から減算するための減算処理を行う減算処理手段（玉貸ユニット２０の制御部２２）をさらに備え、前記遊技用価値変換処理手段（玉貸ユニット２０の制御部２２）は、前記遊技用価値の大きさが前記減算処理手段による減算処理の後に予め定められた遊技用価値の大きさ未満となったことを条件として、前記電子貨幣価値記録媒体受付手段（玉貸ユニット２０の電子マネーカードＲ／Ｗ２６）により受け付けた電子貨幣価値記録媒体（電子マネーカード５）に記録されている電子貨幣価値特定情報（電子マネーＩＤ，電子マネー残額）から特定される電子貨幣価値の大きさ（電子マネー残額）のうちの予め定められた遊技用価値の大きさに相当する電子貨幣価値の大きさ又は予め定められた電子貨幣価値の大きさを前記遊技用価値の大きさに変換するための遊技用価値変換処理を行うことを特徴とする遊技用システムである。
【００１３】
また請求項７に係る発明は、請求項１〜６のいずれか１つに記載した遊技用システム（第１，第２実施形態に係る遊技用システム１）であって、前記電子貨幣価値記録媒体（電子マネーカード５）には、当該電子貨幣価値記録媒体を用いて電子貨幣サービスを提供する複数の電子貨幣サービス提供機関（電子マネー会社８）の各々について前記電子貨幣価値特定情報（電子マネーＩＤ，電子マネー残額）が記録されており、前記電子貨幣価値記録媒体受付手段（玉貸ユニット２０の電子マネーカードＲ／Ｗ２６，入金精算装置３０の電子マネーカードＲ／Ｗ３６）により受け付けた当該電子貨幣価値記録媒体に記録されている電子貨幣価値特定情報から特定される複数の電子貨幣サービス提供機関のうちのいずれかの指定を受け付ける提供機関指定受付手段（玉貸ユニット２０のディスプレイ２７，入金精算装置３０のディスプレイ３７）をさらに備え、前記電子貨幣価値加算更新処理手段（玉貸ユニット２０の制御部２２，入金精算装置３０の制御部３２）は、前記電子貨幣価値変換処理手段（玉貸ユニット２０の制御部２２，入金精算装置３０の制御部３２）により変換された電子貨幣価値の大きさを、前記提供機関指定受付手段により指定を受け付けた電子貨幣サービス提供機関の電子貨幣価値特定情報から特定される電子貨幣価値の大きさに対して加算更新するための電子貨幣価値加算更新処理を行うことを特徴とする遊技用システムである。
【００１４】
また請求項８に係る発明は、遊技機（パチンコ機１０）に対応して設けられ、該遊技機での遊技に使用可能な遊技用価値の大きさ（カード残額）を特定可能な遊技用価値特定情報（入金ＩＤ，カード残額）と、電子貨幣価値の大きさ（電子マネー残額）を特定可能な電子貨幣価値特定情報（電子マネーＩＤ，電子マネー残額）と、が記録された記録媒体（会員カード５’）を受け付けて、該受け付けた記録媒体に記録されている遊技用価値特定情報から特定される遊技用価値の大きさの範囲内における所定の大きさの遊技用価値を前記遊技機での遊技に使用させるための遊技使用処理（玉貸処理）を行う遊技使用処理手段（玉貸ユニット２０）と、該遊技使用処理手段により遊技使用処理に供される使用価値の大きさ（使用金額）と当該使用価値の大きさに対応する間接税（消費税）とを、前記遊技使用処理手段により受け付けた記録媒体に記録されている遊技用価値特定情報から特定される遊技用価値の大きさから減算するための減算処理を行う減算処理手段（玉貸ユニット２０の制御部２２）と、前記記録媒体を受け付ける記録媒体受付手段（入金精算装置３０の会員カードＲ／Ｗ３６’）と、該記録媒体受付手段により受け付けた記録媒体に記録されている遊技用価値特定情報から特定される遊技用価値の大きさのうちの少なくとも一部を前記電子貨幣価値の大きさに変換するための電子貨幣価値変換処理を行う電子貨幣価値変換処理手段（入金精算装置３０の制御部３２）と、該電子貨幣価値変換処理手段により変換された電子貨幣価値の大きさを、前記記録媒体受付手段により受け付けた記録媒体に記録されている電子貨幣価値特定情報から特定される電子貨幣価値の大きさに対して加算更新するための電子貨幣価値加算更新処理を行う電子貨幣価値加算更新処理手段（入金精算装置３０の制御部３２）と、を備えることを特徴とする遊技用システム（第３実施形態に係る遊技用システム１）である。
【００１５】
また請求項９に係る発明は、請求項８に記載した遊技用システム（第３実施形態に係る遊技用システム１）であって、前記電子貨幣価値変換処理手段（入金精算装置３０の制御部３２）により変換する遊技用価値の大きさ（カード残額）又は前記電子貨幣価値加算更新処理手段（入金精算装置３０の制御部３２）により加算更新する電子貨幣価値の大きさ（電子マネー残額）の指定を受け付ける変換価値指定受付手段（入金精算装置３０のディスプレイ３７）をさらに備え、前記電子貨幣価値変換処理手段は、前記記録媒体受付手段（入金精算装置３０の会員カードＲ／Ｗ３６’）により受け付けた記録媒体（会員カード５’）に記録されている遊技用価値特定情報（入金ＩＤ，カード残額）から特定される遊技用価値の大きさのうちの前記変換価値指定受付手段により指定を受け付けた遊技用価値の大きさ又は該指定を受け付けた電子貨幣価値の大きさに相当する遊技用価値の大きさを前記電子貨幣価値の大きさに変換するための電子貨幣価値変換処理を行うことを特徴とする遊技用システムである。
【００１６】
また請求項１０に係る発明は、遊技機（パチンコ機１０）での遊技に使用可能な遊技用価値の大きさ（カード残額）を特定可能な遊技用価値特定情報（入金ＩＤ，カード残額）と、電子貨幣価値の大きさ（電子マネー残額）を特定可能な電子貨幣価値特定情報（電子マネーＩＤ，電子マネー残額）と、が記録された記録媒体（会員カード５’）を受け付ける記録媒体受付手段（玉貸ユニット２０の会員カードＲ／Ｗ２６’，入金精算装置３０の会員カードＲ／Ｗ３６’）と、貨幣（紙幣２，硬貨３）を受け付ける貨幣受付手段（玉貸ユニット２０の紙幣識別機２３及び硬貨識別機２４，入金精算装置３０の紙幣識別機３３及び硬貨識別機３４）と、遊技機（パチンコ機１０）での遊技に使用される予め定められた一単位の遊技用価値の大きさ（カード残額）である単位使用価値の大きさ（１００円）と当該単位使用価値の大きさに対応する間接税（消費税）との合算額（１０５円）を減算していったときに生じる該合算額未満の端数額を前記貨幣受付手段により受け付けた貨幣の金額から特定するための端数額特定処理を行う端数額特定処理手段（玉貸ユニット２０の制御部２２，入金精算装置３０の制御部３２）と、該端数額特定処理手段により特定された端数額を前記電子貨幣価値の大きさに変換するための電子貨幣価値変換処理を行う電子貨幣価値変換処理手段（玉貸ユニット２０の制御部２２，入金精算装置３０の制御部３２）と、該電子貨幣価値変換処理手段により変換された電子貨幣価値の大きさを、前記記録媒体受付手段により受け付けた記録媒体に記録されている電子貨幣価値特定情報から特定される電子貨幣価値の大きさに対して加算更新するための電子貨幣価値加算更新処理を行う電子貨幣価値加算更新処理手段（玉貸ユニット２０の制御部２２，入金精算装置３０の制御部３２）と、前記貨幣受付手段により受け付けた貨幣の金額から前記端数額特定処理手段により特定された端数額を除く金額に相当する遊技用価値の大きさを、前記記録媒体受付手段により受け付けた記録媒体に記録されている遊技用価値特定情報から特定される遊技用価値の大きさに対して加算更新するための遊技用価値加算更新処理を行う遊技用価値加算更新処理手段（玉貸ユニット２０の制御部２２，入金精算装置３０の制御部３２）と、遊技機に対応して設けられ、前記記録媒体を受け付けて、該受け付けた記録媒体に記録されている遊技用価値特定情報から特定される遊技用価値の大きさの範囲内における所定の大きさの遊技用価値を前記遊技機での遊技に使用させるための遊技使用処理（玉貸処理）を行う遊技使用処理手段（玉貸ユニット２０）と、を備えることを特徴とする遊技用システム（第４実施形態に係る遊技用システム１）である。
【００１７】
また請求項１１に係る発明は、請求項８〜１０のいずれか１つに記載した遊技用システム（第３，第４実施形態に係る遊技用システム１）であって、前記記録媒体受付手段（玉貸ユニット２０の会員カードＲ／Ｗ２６’，入金精算装置３０の会員カードＲ／Ｗ３６’）により受け付けた記録媒体（会員カード５’）に記録されている電子貨幣価値特定情報（電子マネーＩＤ，電子マネー残額）から特定される電子貨幣価値の大きさ（電子マネー残額）のうちの少なくとも一部を前記遊技用価値の大きさ（カード残額）に変換するための遊技用価値変換処理を行う遊技用価値変換処理手段（玉貸ユニット２０の制御部２２，入金精算装置３０の制御部３２）と、該遊技用価値変換処理手段により変換された遊技用価値の大きさを、前記記録媒体受付手段により受け付けた記録媒体に記録されている遊技用価値特定情報から特定される遊技用価値の大きさに対して加算更新するための遊技用価値加算更新処理を行う遊技用価値加算更新処理手段（玉貸ユニット２０の制御部２２，入金精算装置３０の制御部３２）と、をさらに備えることを特徴とする遊技用システムである。
【００１８】
また請求項１２に係る発明は、請求項１１に記載した遊技用システム（第３，第４実施形態に係る遊技用システム１）であって、前記記録媒体（会員カード５’）には、当該記録媒体を用いて電子貨幣サービスを提供する複数の電子貨幣サービス提供機関（電子マネー会社８）の各々について前記電子貨幣価値特定情報（電子マネーＩＤ，電子マネー残額）が記録されており、前記記録媒体受付手段（玉貸ユニット２０の会員カードＲ／Ｗ２６’，入金精算装置３０の会員カードＲ／Ｗ３６’）により受け付けた当該記録媒体に記録されている電子貨幣価値特定情報から特定される複数の電子貨幣サービス提供機関のうちのいずれかの指定を受け付ける提供機関指定受付手段（玉貸ユニットのディスプレイ２７，入金精算装置３０のディスプレイ３７）をさらに備え、前記遊技用価値変換処理手段（玉貸ユニット２０の制御部２２，入金精算装置３０の制御部３２）は、該提供機関指定受付手段により指定を受け付けた電子貨幣サービス提供機関の電子貨幣価値特定情報から特定される電子貨幣価値の大きさ（電子マネー残額）を前記遊技用価値の大きさ（カード残額）に変換するための遊技用価値変換処理を行うことを特徴とする遊技用システムである。
【００１９】
また請求項１３に係る発明は、請求項１１又は１２に記載した遊技用システム（第３，第４実施形態に係る遊技用システム１）であって、前記遊技使用処理手段（玉貸ユニット２０）により遊技使用処理（玉貸処理）に供される使用価値の大きさ（使用金額）と当該使用価値の大きさに対応する間接税（消費税）とを、当該遊技使用処理手段により受け付けた記録媒体（会員カード５’）に記録されている遊技用価値特定情報（入金ＩＤ，カード残額）から特定される遊技用価値の大きさ（カード残額）から減算するための減算処理を行う減算処理手段（玉貸ユニット２０の制御部２２）をさらに備え、前記遊技用価値変換処理手段（玉貸ユニット２０の制御部２２）は、前記遊技用価値の大きさが前記減算処理手段による減算処理の後に予め定められた遊技用価値の大きさ未満となったことを条件として、前記遊技使用処理手段により受け付けた記録媒体に記録されている電子貨幣価値特定情報（電子マネーＩＤ，電子マネー残額）から特定される電子貨幣価値の大きさ（電子マネー残額）のうちの予め定められた遊技用価値の大きさに相当する電子貨幣価値の大きさ又は予め定められた電子貨幣価値の大きさを前記遊技用価値の大きさに変換するための遊技用価値変換処理を行うことを特徴とする遊技用システムである。
【００２０】
さらに請求項１４に係る発明は、請求項８〜１３のいずれか１つに記載した遊技用システム（第３，第４実施形態に係る遊技用システム１）であって、前記記録媒体（会員カード５’）には、当該記録媒体を用いて電子貨幣サービスを提供する複数の電子貨幣サービス提供機関（電子マネー会社８）の各々について前記電子貨幣価値特定情報（電子マネーＩＤ，電子マネー残額）が記録されており、前記記録媒体受付手段（玉貸ユニット２０の会員カードＲ／Ｗ２６’，入金精算装置３０の会員カードＲ／Ｗ３６’）により受け付けた当該記録媒体に記録されている電子貨幣価値特定情報から特定される複数の電子貨幣サービス提供機関のうちのいずれかの指定を受け付ける提供機関指定受付手段（玉貸ユニットのディスプレイ２７，入金精算装置３０のディスプレイ３７）をさらに備え、前記電子貨幣価値加算更新処理手段（玉貸ユニット２０の制御部２２，入金精算装置３０の制御部３２）は、前記電子貨幣価値変換処理手段（玉貸ユニット２０の制御部２２，入金精算装置３０の制御部３２）により変換された電子貨幣価値の大きさを、前記提供機関指定受付手段により指定を受け付けた電子貨幣サービス提供機関の電子貨幣価値特定情報から特定される電子貨幣価値の大きさに対して加算更新するための電子貨幣価値加算更新処理を行うことを特徴とする遊技用システムである。
【発明の効果】
【００２１】
まず請求項１に係る遊技用システムによれば、減算処理手段により、遊技使用処理に供される使用価値の大きさと当該使用価値の大きさに対応する間接税とが遊技用価値の大きさから減算され、電子貨幣価値変換処理手段により、該減算後の遊技用価値の大きさが電子貨幣価値の大きさに変換され、電子貨幣価値加算更新処理手段により、該変換された電子貨幣価値の大きさが電子貨幣価値記録媒体に記録されている電子貨幣価値特定情報から特定される電子貨幣価値の大きさに対して加算更新されることによって、間接税が徴収された後の一単位の遊技用価値の大きさと当該一単位の遊技用価値の大きさに対応する間接税との合算額未満の端数額がでる場合であっても、該端数額が電子貨幣価値の大きさに変換されて遊技者に対して返却されるので、遊技者が不利益を被ることがない。また該端数額分の遊技媒体を貸与する遊技機への改造や入替が不要であり、遊技場の従業員が小金種の貨幣を入金精算装置に補充する手間もかからない。
【００２２】
また請求項２に係る遊技用システムによれば、電子貨幣価値変換処理手段により、遊技者の指定に基づく遊技用価値の大きさが電子貨幣価値の大きさに変換されるので、遊技者の利便性が向上する。
【００２３】
また請求項３に係る遊技用システムによれば、端数額特定手段により、遊技機での遊技に使用される予め定められた一単位の遊技用価値の大きさである単位使用価値の大きさと当該単位使用価値の大きさに対応する間接税との合算額を減算していったときに生ずる該合算額未満の端数額が貨幣受付手段により受け付けた貨幣の金額から特定され、電子貨幣価値変換処理手段により、該端数額が電子貨幣価値の大きさに変換され、電子貨幣価値加算更新処理手段により、該変換された端数額に相当する電子貨幣価値の大きさが電子貨幣価値記録媒体に記録されている電子貨幣価値特定情報から特定される電子貨幣価値の大きさに対して加算更新されることによって、間接税が徴収された後の一単位の遊技用価値の大きさと当該一単位の遊技用価値の大きさに対応する間接税との合算額未満の端数額がでる場合であっても、該端数額が電子貨幣価値の大きさに変換されて遊技者に対して返却されるので、遊技者が不利益を被ることがない。また該端数額分の遊技媒体を貸与する遊技機への改造や入替が不要であり、遊技場の従業員が小金種の貨幣を入金精算装置に補充する手間もかからない。
【００２４】
また請求項４に係る遊技用システムによれば、遊技用価値変換処理手段により、遊技者が所有する電子貨幣価値記録媒体に記録されている電子貨幣価値特定情報から特定される電子貨幣価値の大きさが遊技用価値の大きさに変換されることによって、遊技者が貨幣を所有していない場合であっても、電子貨幣価値の大きさで入金することができるので、遊技者の利便性が向上する。
【００２５】
また請求項５に係る遊技用システムによれば、遊技用価値変換処理手段により、遊技者が指定した電子貨幣サービス提供機関の電子貨幣価値特定情報から特定される電子貨幣価値の大きさが遊技用価値の大きさに変換されることによって、遊技者が複数の電子貨幣サービス提供機関と契約している場合であっても、希望する電子貨幣サービス提供機関の電子貨幣価値の大きさで入金することができるので、遊技者の利便性が向上する。
【００２６】
また請求項６に係る遊技用システムによれば、遊技用価値の大きさが減算処理の後に予め定められた遊技用価値の大きさ未満となったことを条件として、遊技用価値変換処理手段により、遊技者が所有する電子貨幣価値記録媒体に記録されている電子貨幣価値特定情報から特定される電子貨幣価値の大きさが遊技用価値の大きさに変換されることによって、遊技用価値の大きさが少なくなった場合であっても、遊技者から入金操作を受け付けることなく自動的に電子貨幣価値の大きさで入金されるので、遊技者の利便性が向上する。
【００２７】
また請求項７に係る遊技用システムによれば、電子貨幣価値加算更新処理手段により、遊技者が指定した電子貨幣サービス提供機関の電子貨幣価値特定情報から特定される電子貨幣価値の大きさに対して前記変換された電子貨幣価値の大きさが加算更新されることによって、遊技者が複数の電子貨幣サービス提供機関と契約している場合であっても、希望する電子貨幣サービス提供機関の電子貨幣価値の大きさに対して端数額を返却することができるので、遊技者の利便性が向上する。
【００２８】
また請求項８に係る遊技用システムによれば、減算処理手段により、遊技使用処理に供される使用価値の大きさと当該使用価値の大きさに対応する間接税とが記録媒体に記録されている遊技用価値特定情報から特定される遊技用価値の大きさから減算され、電子貨幣価値変換処理手段により、該減算後の遊技用価値の大きさが電子貨幣価値の大きさに変換され、電子貨幣価値加算更新処理手段により、該変換された電子貨幣価値の大きさが記録媒体に記録されている電子貨幣価値特定情報から特定される電子貨幣価値の大きさに対して加算更新されることによって、間接税が徴収された後の一単位の遊技用価値の大きさと当該一単位の遊技用価値の大きさに対応する間接税との合算額未満の端数額がでる場合であっても、該端数額が電子貨幣価値の大きさに変換されて遊技者に対して返却されるので、遊技者が不利益を被ることがない。また該端数額分の遊技媒体を貸与する遊技機への改造や入替が不要であり、遊技場の従業員が小金種の貨幣を入金精算装置に補充する手間もかからない。
【００２９】
また請求項９に係る遊技用システムによれば、電子貨幣価値変換処理手段により、遊技者の指定に基づく遊技用価値の大きさが電子貨幣価値の大きさに変換されるので、遊技者の利便性が向上する。
【００３０】
また請求項１０に係る遊技用システムによれば、端数額特定手段により、遊技機での遊技に使用される予め定められた一単位の遊技用価値の大きさである単位使用価値の大きさと当該単位使用価値の大きさに対応する間接税との合算額を減算していったときに生ずる該合算額未満の端数額が貨幣受付手段により受け付けた貨幣の金額から特定され、電子貨幣価値変換処理手段により、該端数額が電子貨幣価値の大きさに変換され、電子貨幣価値加算更新処理手段により、該変換された端数額に相当する電子貨幣価値の大きさが記録媒体に記録されている電子貨幣価値特定情報から特定される電子貨幣価値の大きさに対して加算更新されることによって、間接税が徴収された後の一単位の遊技用価値の大きさと当該一単位の遊技用価値の大きさに対応する間接税との合算額未満の端数額がでる場合であっても、該端数額が電子貨幣価値の大きさに変換されて遊技者に対して返却されるので、遊技者が不利益を被ることがない。また該端数額分の遊技媒体を貸与する遊技機への改造や入替が不要であり、遊技場の従業員が小金種の貨幣を入金精算装置に補充する手間もかからない。
【００３１】
また請求項１１に係る遊技用システムによれば、遊技用価値変換処理手段により、遊技者が所有する記録媒体に記録されている電子貨幣価値特定情報から特定される電子貨幣価値の大きさが遊技用価値の大きさに変換されることによって、遊技者が貨幣を所有していない場合であっても、電子貨幣価値の大きさで入金することができるので、遊技者の利便性が向上する。
【００３２】
また請求項１２に係る遊技用システムによれば、遊技用価値変換処理手段により、遊技者が指定した電子貨幣サービス提供機関の電子貨幣価値特定情報から特定される電子貨幣価値の大きさが遊技用価値の大きさに変換されることによって、遊技者が複数の電子貨幣サービス提供機関と契約している場合であっても、希望する電子貨幣サービス提供機関の電子貨幣価値の大きさで入金することができるので、遊技者の利便性が向上する。
【００３３】
また請求項１３に係る遊技用システムによれば、遊技用価値の大きさが減算処理の後に予め定められた遊技用価値の大きさ未満となったことを条件として、遊技用価値変換処理手段により、遊技者が所有する記録媒体に記録されている電子貨幣価値特定情報から特定される電子貨幣価値の大きさが遊技用価値の大きさに変換されることによって、遊技用価値の大きさが少なくなった場合であっても、遊技者から入金操作を受け付けることなく自動的に電子貨幣価値の大きさで入金されるので、遊技者の利便性が向上する。
【００３４】
さらに請求項１４に係る遊技用システムによれば、電子貨幣価値加算更新処理手段により、遊技者が指定した電子貨幣サービス提供機関の電子貨幣価値特定情報から特定される電子貨幣価値の大きさに対して前記変換された電子貨幣価値の大きさが加算更新されることによって、遊技者が複数の電子貨幣サービス提供機関と契約している場合であっても、希望する電子貨幣サービス提供機関の電子貨幣価値の大きさに対して端数額を返却することができるので、遊技者の利便性が向上する。
【発明を実施するための最良の形態】
【００３５】
以下、本発明の実施の形態を、図面を参照して説明する。本発明に係る遊技用システム１は、遊技機（パチンコ機１０）での遊技に使用可能な遊技用価値の大きさ（ユニット残額，カード残額）を予め定められた一単位の遊技用価値の大きさ（１００円）毎に使用させるためのものであり、特に該使用された遊技用価値の大きさに対応する間接税（消費税）が徴収された後の前記一単位の遊技用価値の大きさと当該一単位の遊技用価値の大きさに対応する間接税（例えば５円）との合算額（即ち１０５円）未満の端数額を電子貨幣価値の大きさ（電子マネー残額）に変換して遊技者に対して返却可能であることを特徴とする。
【００３６】
この遊技用システム１には、図１に示すように、精算カード４及び電子マネーカード５が使用される第１実施形態及び第２実施形態と、図２０に示すように、該精算カード４及び電子マネーカード５に代えて会員カード５’が使用される第３実施形態及び第４実施形態とが含まれる。なお第１及び第３実施形態に係る遊技用システム１は、遊技に使用された後の端数額を含む遊技用価値の大きさを電子貨幣価値の大きさに変換するもの、換言すれば端数額を事後的に電子貨幣価値の大きさに変換するものであり、第２及び第４実施形態に係る遊技用システム１は、入金に供される貨幣の金額のうちの端数額を電子貨幣価値の大きさに変換するもの、換言すれば端数額を事前に電子貨幣価値の大きさに変換するものである。
【００３７】
以下においては、まず第１実施形態について説明し、次に第２〜第４実施形態について、第１実施形態と異なる点についてのみ説明する。なお、以下においては、リーダ／ライタを「Ｒ／Ｗ」，ステップＳを「Ｓ」と略記する。また、以下においては、間接税が、既に導入されている消費税である例について説明するが、該間接税は、今後導入の可能性もあり得る遊技税等であっても良い。ここで消費税率は、この例では５％であり、カード会社７で設定されて、遊技場に設けられたシステムコントローラ５０に対して配信され、さらに玉貸ユニット２０及び入金精算装置３０に対して配信されて記憶される。
【００３８】
［１．第１実施形態に係る遊技用システム１］
まず、図１〜図７を参照して、第１実施形態に係る遊技用システム１の構成について説明する。この遊技用システム１は、図１に示すように、遊技機であるパチンコ機１０に対応して設けられる玉貸ユニット２０と、入金精算装置３０と、からなる。これら玉貸ユニット２０及び入金精算装置３０は、システムコントローラ５０及び電子マネー端末６０と共に、遊技場６に設けられる。
【００３９】
システムコントローラ５０は、玉貸ユニット２０及び入金精算装置３０と通信可能であると共に、遊技場６における売上を管理する機関であるカード会社７に設けられた売上管理サーバ７ａと通信可能なコンピュータである。このシステムコントローラ５０は、玉貸ユニット２０又は入金精算装置３０から後述する受付金額が送信されてきたことに基づいて、遊技用価値の大きさを特定可能な遊技用価値特定情報として入金ＩＤを生成するものである。またシステムコントローラ５０は、該生成された入金ＩＤと対応付けて、遊技用価値の大きさであるユニット残額やカード残額を残額として記憶・管理するものである。またシステムコントローラ５０は、該生成された入金ＩＤを、受付金額の送信元である玉貸ユニット２０又は入金精算装置３０に対して送信するものである。さらにシステムコントローラ５０は、遊技場６の営業終了後等の所定のタイミングにおいて、当該遊技場６における売上を売上管理サーバ７ａに対して送信するものである。売上管理サーバ７ａは、図示しないが、該送信されてきた売上を記憶・管理するものである。
【００４０】
電子マネー端末６０は、玉貸ユニット２０及び入金精算装置３０と通信可能であると共に、電子マネーカード５（又は会員カード５’）を用いて電子貨幣サービス（例えばＥｄｙ（登録商標）やＳｕｉｃａ（登録商標）等）を提供する電子貨幣サービス提供機関である電子マネー会社８（以下「キャリア」とも称する。）に設けられた電子マネー管理サーバ８ａと通信可能なコンピュータである。この電子マネー端末６０は、複数の電子マネー会社８（ここではＸ社及びＹ社の２社）の各々に対応して設けられ、玉貸ユニット２０及び入金精算装置３０と、各電子マネー会社８に設けられた電子マネー管理サーバ８ａとの間における通信を中継するものである。電子マネー管理サーバ８ａは、電子貨幣価値の大きさを特定可能な電子貨幣価値特定情報である電子マネーＩＤと対応付けて、該電子貨幣価値の大きさである電子マネー残額を記憶・管理するものである。
【００４１】
この遊技用システム１では、図１及び図２に示すように、紙幣２，硬貨３，精算カード４，及び電子マネーカード５が使用される。紙幣２は貨幣の一例であって、ここでは1000円紙幣，2000円紙幣，5000円紙幣，及び10000円紙幣の４種類が使用される。硬貨３も貨幣の一例であって、ここでは500円硬貨，及び100円硬貨の２種類が使用される。
【００４２】
精算カード４は、パチンコ機１０での遊技に使用可能な遊技用価値の大きさを特定可能な遊技用価値特定情報が記録されたものであり、ここでは該遊技用価値特定情報として、前記入金ＩＤ及び前記カード残額が記録されている。なお、既に入金ＩＤ及びカード残額が記録されている状態で入金が行われると、該入金に応じて新たに生成された入金ＩＤと該入金に供された金額に相当するカード残額が、先に記録されている入金ＩＤ及びカード残額とは別に記録されることになる。この場合には、複数記録されているカード残額の合算額が遊技に使用可能な遊技用価値の大きさであるカード残額となり、該合算額のうちの先に記録されているカード残額から優先して遊技に使用される。この精算カード４は、長方形状を呈するプラスチック製の薄板における所定の部位に、入金ＩＤ及びカード残額を含む各種の情報が記録される記録領域（図示外）が形成されてなるものであり、ここでは該記録領域として不揮発性のＥＥＰＲＯＭを備える非接触式の集積回路を搭載したＩＣカードである。
【００４３】
この精算カード４は、後述する玉貸ユニット２０において、入金ＩＤ及びカード残額が記録されていない状態で精算カードストッカ２５ｂに複数枚（最大で１０枚）が収納されており、制御部２２のＲＡＭで入金ＩＤとユニット残額とが記憶されている状態で終了操作を受け付けたときに、該精算カードストッカ２５ｂから精算カードＲ／Ｗ２５に対して搬送され、該精算カードＲ／Ｗ２５により入金ＩＤとユニット残額（＝カード残額）とが記録されて、精算カード挿入口２５ａから排出される。
【００４４】
電子マネーカード５は電子貨幣価値記録媒体の一例であって、電子貨幣価値の大きさを特定可能な電子貨幣価値特定情報が記録されたものであり、ここでは該電子貨幣価値特定情報として、前記電子マネーＩＤ及び前記電子マネー残額が、複数の電子マネー会社８（Ｘ社及びＹ社）の各々について記録されている。この電子マネーカード５も、長方形状を呈するプラスチック製の薄板における所定の部位に、電子マネーＩＤ及び電子マネー残額を含む各種の情報が記録される記録領域（図示外）が複数の電子マネー会社８の各々について形成されてなるものであり、ここでは該記録領域として不揮発性のＥＥＰＲＯＭを備える非接触式の集積回路を搭載したＩＣカードである。
【００４５】
この電子マネーカード５は、遊技者が、ある電子マネー会社８との間で電子貨幣サービスの利用契約を締結した場合に、該電子マネーカード５の一の記憶領域に、当該電子マネー会社８の電子マネーＩＤ及び電子マネー残額が記録されて発行される。なお遊技者が、２社目以降の電子マネー会社８との間で電子貨幣サービスの利用契約を締結した場合には、既に発行されている電子マネーカード５の他の記憶領域に、当該電子マネー会社８の電子マネーＩＤ及び電子マネー残額が追加して記録される。
【００４６】
玉貸ユニット２０に対応して設けられるパチンコ機１０は遊技機の一例であって、遊技媒体であるパチンコ玉を遊技領域に打ち込むことにより遊技を行うものであり、ここでは対応する玉貸ユニット２０との間でパチンコ玉の貸与に関する信号のやり取りが行われて玉貸処理が行われる、いわゆるＣＲ式のパチンコ機である。このパチンコ機１０は、遊技場６に配置された遊技島（図示外）において該パチンコ機１０の機種等に従って設置されている。
【００４７】
このパチンコ機１０は、図２（ａ）に示すように、その前面に遊技領域，上皿，下皿，及び発射ハンドル等を備えると共に、残度数表示器１４，及び玉貸ボタン１５を備え、図１に示すように、その内部に遊技制御基板１１，払出制御基板１２，及び玉払出装置１３等を備えており、これらの各構成要素は図１に示すように接続されている。
【００４８】
遊技制御基板１１は、パチンコ機１０における遊技状態を制御するものである。払出制御基板１２は、玉貸ユニット２０の後述する玉貸通信部２２ａと通信可能に接続され、後述する玉貸処理が行われる場合に、パチンコ機１０と玉貸ユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４及び玉貸ボタン１５とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４及び玉貸ボタン１５は、パチンコ機１０の前面に配置されているものであるが、前記払出制御基板１２を介して玉貸ユニット２０と通信可能に接続されているため、玉貸ユニット２０に属するものである。
【００４９】
残度数表示器１４は、玉貸ユニット２０の制御部２２のＲＡＭに記憶されているユニット残額に相当する度数，又は玉貸ユニット２０の精算カードＲ／Ｗ２５により受け付けている精算カード４に記録されているカード残額に相当する度数を、残度数として表示するための表示器である。ここで度数は、ユニット残額又はカード残額が所定の比率で変換されたものであり、この例ではパチンコ機１０での遊技に使用される予め定められた一単位の遊技用価値の大きさ（ユニット残額又はカード残額）である単位有価価値の大きさ（１００円）と当該単位有価価値の大きさに対応する消費税（５円）との合算額である１０５円が１度数である。玉貸ボタン１５は、玉貸ユニット２０の制御部２２のＲＡＭに記憶されているユニット残額，又は玉貸ユニット２０の精算カードＲ／Ｗ２５により受け付けている精算カード４に記録されているカード残額を使用した玉貸操作を受け付けるボタンである。以下、遊技用システム１の構成要素である玉貸ユニット２０及び入金精算装置３０について説明する。
【００５０】
玉貸ユニット２０は遊技使用処理手段の一例であって、パチンコ機１０に対応して設けられ、該パチンコ機１０での遊技に使用可能な遊技用価値の大きさを特定し、該特定された遊技用価値の大きさの範囲内における所定の大きさの遊技用価値を前記パチンコ機１０での遊技に使用させるための遊技使用処理を行うものである。ここで遊技用価値の大きさの特定，及び遊技使用処理は、制御部２２により行われる。また玉貸ユニット２０は、減算処理手段（制御部２２），及び遊技用価値変換処理手段（制御部２２）等を備えるものである。
【００５１】
この玉貸ユニット２０は、縦長の箱型の形状を呈するものであり、図２（ａ）に示すように、その前面に紙幣挿入口２３ａ，硬貨挿入口２４ａ，硬貨返却ボタン２４ｂ，ディスプレイ２７，硬貨返却口２４ｃ，精算カード挿入口２５ａ，及び電子マネーカード挿入口２６ａ等を備え、図２（ｂ）及び図２（ｃ）に示すように、その内部に紙幣識別機２３，制御部２２，システムコントローラ用通信部２１ａ，電子マネー端末用通信部２１ｂ，玉貸通信部２２ａ，硬貨識別機２４，精算カードＲ／Ｗ２５，精算カードストッカ２５ｂ，及び電子マネーカードＲ／Ｗ２６等を備えており、これらの各構成要素は図１に示すように接続されている。この玉貸ユニット２０は、ユニットＩＤにより、各玉貸ユニット２０を個々に識別可能とされている。
【００５２】
システムコントローラ用通信部２１ａは、前述の如く、システムコントローラ５０と通信可能に接続されており、玉貸ユニット２０とシステムコントローラ５０との間における通信を司るものである。電子マネー端末用通信部２１ｂは、前述の如く、電子マネー端末６０と通信可能に接続されており、玉貸ユニット２０と電子マネー端末６０との間における通信を司るものである。なおシステムコントローラ用通信部２１ａ及び電子マネー端末通信部２１ｂから送信される情報には前記ユニットＩＤが含まれるので、システムコントローラ５０では、該情報と共に受信したユニットＩＤに基づいて、該情報の送信元である玉貸ユニット２０を特定可能である。玉貸通信部２２ａは、前述の如く、パチンコ機１０の払出制御基板１２と通信可能に接続されている。これら各通信部は、制御部２２に設けられている。
【００５３】
制御部２２は、ＣＰＵ，ＲＡＭ，ＲＯＭ等を備えており、ＲＯＭに記憶されている処理プログラムがＲＡＭを作業領域としてＣＰＵで実行されることにより、玉貸ユニット２０に備えられる各構成要素の動作を制御して各種の処理を行うものである。この制御部２２のＲＡＭは、システムコントローラ５０から送信されてきた入金ＩＤと対応付けて、後述する貨幣受付手段（紙幣識別機２３又は硬貨識別機２４）により受け付けた貨幣の金額に相当する遊技用価値の大きさであるユニット残額を記憶するものである。なお制御部２２の他の機能については後述する。
【００５４】
紙幣識別機２３は貨幣受付手段の一例であって、貨幣を受け付けるものであり、ここでは図２（ｂ）に示すように、ユニット残額又はカード残額が１度数に相当する１０５円未満である状態で、紙幣挿入口２３ａから前記４種類の紙幣２を受け付けて、該受け付けた紙幣２の真贋及び金種を識別する識別機である。なお紙幣識別機２３により受け付けられた紙幣２は、玉貸ユニット２０の背面から外部に排出され、遊技島に設けられた紙幣搬送機構（図示外）により搬送されて、金庫（図示外）に回収される。
【００５５】
硬貨識別機２４も貨幣受付手段の一例であって、貨幣を受け付けるものであり、ここでは図２（ｂ）に示すように、ユニット残額又はカード残額が１度数に相当する１０５円未満である状態で、硬貨挿入口２４ａから前記２種類の硬貨３を受け付けて、該硬貨挿入口２４ａから落下してきた硬貨３の真贋及び金種を識別する識別機である。なお硬貨識別機２４により受け付けられた硬貨３も、玉貸ユニット２０の背面から外部に排出され、遊技島に設けられた硬貨搬送機構（図示外）により搬送されて、金庫（図示外）に回収される。硬貨返却ボタン２４ｂは、硬貨識別機２４等において詰まった硬貨３の返却操作を受け付けるためのボタンであり、遊技者により硬貨返却ボタン２４ｂが押下されると、該詰まった硬貨３が硬貨返却口２４ｃに戻る。
【００５６】
精算カードＲ／Ｗ２５は、精算カードストッカ２５ｂから搬送されてきた精算カード４に対して、制御部２２のＲＡＭで記憶されている入金ＩＤを記録し、かつ制御部２２のＲＡＭで記憶されているユニット残額をカード残額として記録して、精算カード挿入口２５ａから排出するものである。また精算カードＲ／Ｗ２５は、精算カード挿入口２５ａから精算カード４を受け付けて、該受け付けた精算カード４に記録されている入金ＩＤ及びカード残額を読み取ると共に、該受け付けている精算カード４に対して更新後のカード残額を記録するものである。精算カードストッカ２５ｂは、精算カードＲ／Ｗ２５の背後に設けられ、入金ＩＤ及びカード残額が記録されていない精算カード４を複数枚（最大で１０枚）収納可能なものである。
【００５７】
電子マネーカードＲ／Ｗ２６は電子貨幣価値記録媒体受付手段の一例であって、電子貨幣価値記録媒体である電子マネーカード５を受け付けるものであり、具体的には、電子マネーカード挿入口２６ａから電子マネーカード５を受け付けて、該受け付けた電子マネーカード５に記録されている電子マネーＩＤ及び電子マネー残額を読み取ると共に、該受け付けている電子マネーカード５に対して更新後の電子マネー残額を記録するものである。
【００５８】
タッチパネル式のディスプレイ２７は、該ディスプレイにより各種の情報を表示すると共に、該タッチパネルにより各種の入力を受け付けるものである。このタッチパネル式のディスプレイ２７は提供機関指定受付手段の一例であって、後述する図４のＤ１２１に示すように、電子マネーカードＲ／Ｗ２６により受け付けた電子マネーカード５に記録されている電子貨幣価値特定情報から特定される複数の電子マネー会社８（キャリア）のうちのいずれかの指定を受け付けるものである。なおディスプレイ２７の表示内容については後述する。
【００５９】
ここで前記制御部２２は、前述の如く、パチンコ機１０での遊技に使用可能な遊技用価値の大きさの特定を行う。具体的には、前記貨幣受付手段（紙幣識別機２３，硬貨識別機２４）により貨幣（紙幣２，硬貨３）を受け付けた場合に、該受け付けた貨幣の金額である受付金額を、遊技用価値の大きさであるユニット残額と特定する。また前記精算カードＲ／Ｗ２５により精算カード４を受け付けた場合に、該受け付けた精算カード４に記録されている入金ＩＤ及びカード残額のシステムコントローラ５０に対する送信をシステムコントローラ用通信部２１ａに対して指示する処理を行い、該指示に応じてシステムコントローラ５０から送信されてくる照合ＯＫ通知をシステムコントローラ用通信部２１ａにより受信したことに基づいて、前記受け付けた精算カード４に記録されているカード残額を、遊技用価値の大きさであるカード残額と特定する。
【００６０】
また前記制御部２２は、前述の如く、前記特定された遊技用価値の大きさ（ユニット残額，カード残額）の範囲内における所定の大きさの遊技用価値を前記パチンコ機１０での遊技に使用させるための遊技使用処理（玉貸処理）を行う。具体的には、玉貸ボタン１５が押下されて玉貸操作を受け付けた場合に、前記特定された残額（ユニット残額，カード残額）と予め設定された玉貸設定金額（例えば消費税込みの５度数に相当する５２５円）とを比較して、残額≧玉貸設定金額であれば該玉貸設定金額に相当するパチンコ玉の払出を払出制御基板１２に対して指示する処理を行い、残額（例えば３００円）＜玉貸設定金額であれば前記端数額を除く残額（即ち２１０円）に相当するパチンコ玉の払出を払出制御基板１２に対して指示する処理を行う。なお残額＜消費税込みの１度数に相当する１０５円（即ち端数額）であれば、払出制御基板１２に対してパチンコ玉の払出を指示する処理は行わない。
【００６１】
また前記制御部２２は減算処理手段の一例であって、前記遊技使用処理（玉貸処理）に供される使用価値の大きさである使用金額と当該使用金額に対応する消費税とを、前記遊技用価値の大きさ（ユニット残額，カード残額）から減算するための減算処理を行うものである。具体的には、玉貸処理が行われた場合に、残額≧玉貸設定金額であれば、該玉貸設定金額を使用金額＋消費税として、制御部２２のＲＡＭに記憶されているユニット残額，又は精算カード４に記録されているカード残額から減算する処理を行い、残額（例えば３００円）＜玉貸設定金額であれば、前記端数額を除く残額（即ち２１０円）を使用金額＋消費税として、制御部２２のＲＡＭに記憶されているユニット残額，又は精算カード４に記録されているカード残額から減算する処理を行う（即ち減算後のユニット残額又はカード残額が端数額になる）。そして、これらの処理の終了後に、入金ＩＤ及び使用金額のシステムコントローラ５０に対する送信をシステムコントローラ用通信部２１ａに対して指示する処理を行う。
【００６２】
さらに前記制御部２２は遊技用価値変換処理手段の一例であって、電子マネーカードＲ／Ｗ２６により受け付けた電子マネーカード５に記録されている電子貨幣価値特定情報から特定される電子貨幣価値の大きさ（電子マネー残額）のうちの少なくとも一部を前記遊技用価値の大きさに変換するための遊技用価値変換処理を行うものであり、ここでは前記提供機関指定受付手段（タッチパネル式のディスプレイ２７）により指定を受け付けた電子マネー会社８（キャリア）の電子貨幣価値特定情報から特定される電子貨幣価値の大きさを前記遊技用価値の大きさに変換するための遊技用価値変換処理を行う。具体的には、後述する図４のＤ１２１で選択されたキャリアの電子マネー残額のうちの、同Ｄ１２２で選択された金額を、遊技用価値の大きさに変換する。ここで変換された遊技用価値の大きさは、制御部２２のＲＡＭに記憶されているユニット残額又は精算カードＲ／Ｗ２５により受け付けている精算カード４に記録されているカード残額に加算更新される。
【００６３】
また遊技用価値変換処理手段として機能する制御部２２は、前記遊技用価値の大きさ（ユニット残額，カード残額）が前記減算処理手段による減算処理の後に予め定められた遊技用価値の大きさ（例えば１０００円）未満となったことを条件として、電子マネーカードＲ／Ｗ２６により受け付けた電子マネーカード５に記録されている電子貨幣価値特定情報から特定される電子貨幣価値の大きさ（電子マネー残額）のうちの予め定められた遊技用価値の大きさに相当する電子貨幣価値の大きさ又は予め定められた電子貨幣価値の大きさを前記遊技用価値の大きさに変換するための遊技用価値変換処理、即ち自動入金処理を行うものである。具体的には、後述する図４のＤ１２２に示すように、「はい」ボタンが押下されて自動入金が選択されている自動入金ＯＮの状態で、玉貸ボタン１５が押下されて玉貸操作が受け付けられ、ユニット残額又はカード残額が玉貸処理及び減算処理の後に予め定められた遊技用価値の大きさである１０００円未満となったことを条件として、遊技者から入金操作を受け付けることなく、同Ｄ１２６に示すように、同Ｄ１２１で選択されたキャリアの電子マネー残額のうちの、前記予め定められた電子貨幣価値の大きさである同Ｄ１２２で選択された金額を、遊技用価値の大きさに変換する。ここで変換された遊技用価値の大きさは、制御部２２のＲＡＭに記憶されているユニット残額又は受け付けている精算カード４に記録されているカード残額に加算更新（即ち自動入金）される。この予め定められた遊技用価値の大きさは、システムコントローラ５０で設定され、玉貸ユニット２０に配信されて記憶される。なお予め定められた遊技用価値の大きさは、１０００円には限られず、任意に設定変更可能であり、例えば１円に設定すれば、残額が該１円未満（即ち残額が０円）となったことを条件として自動入金処理が行われる。
【００６４】
ここで図３及び図４を参照して、ディスプレイ２７の表示内容について説明する。
【００６５】
まず、貨幣受付手段により貨幣を受け付けると（ここでは紙幣識別機２３により10000円紙幣を受け付けると）、前記遊技用価値の大きさの特定が行われ、Ｄ１０１で、該受け付けた貨幣の金額である受付金額（ここでは１００００円）がユニット残額として表示されると共に、玉貸可能状態である旨が表示される。このＤ１０１の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のユニット残額が消費税込みの１度数に相当する１０５円以上である場合には、Ｄ１０２で、該ユニット残額（ここでは９４７５円）が表示されると共に、ユニット残額から該５２５円を減算した旨，及び玉貸可能状態である旨が表示される。一方、該減算処理により使用金額＋消費税（ここでは５２５円）が減算更新された後のユニット残額が消費税込みの１度数に相当する１０５円未満である場合には、Ｄ１０３で、該ユニット残額（ここでは２５円）が表示されると共に、ユニット残額から該５２５円を減算した旨，残額不足である旨，及び貨幣又は電子マネーカード５の挿入を促す旨が表示される。
【００６６】
このＤ１０３の状態で、貨幣受付手段により貨幣を受け付けると、前記遊技用価値の大きさの特定が行われ、受付金額がユニット残額に加算更新されて、Ｄ１０１に戻る。またＤ１０３の状態で、電子マネーカードＲ／Ｗ２６により電子マネーカード５を受け付けると、後述するＤ１２１に進む。なおＤ１０１〜Ｄ１０３の状態で、画面に表示された「終了」ボタンが押下されて終了操作を受け付けると、入金ＩＤ及びユニット残額（＝カード残額）を記録した精算カード４が排出される。
【００６７】
一方、精算カードＲ／Ｗ２５により精算カード４を受け付けると、前記遊技用価値の大きさの特定が行われ、Ｄ１１１で、該受け付けた精算カード４に記録されているカード残額（ここでは１０７５円）が表示されると共に、玉貸可能状態である旨が表示される。このＤ１１１の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のカード残額が消費税込みの１度数に相当する１０５円以上である場合には、Ｄ１１２で、該カード残額（ここでは５５０円）が表示されると共に、カード残額から該５２５円を減算した旨，及び玉貸可能状態である旨が表示される。一方、該減算処理により使用金額＋消費税（ここでは５２５円）が減算更新された後のカード残額が消費税込みの１度数に相当する１０５円未満である場合には、Ｄ１１３で、該カード残額（ここでは２５円）が表示されると共に、カード残額から該５２５円を減算した旨，残額不足である旨，及び貨幣又は電子マネーカード５の挿入を促す旨が表示される。
【００６８】
このＤ１１３の状態で、貨幣受付手段により貨幣を受け付けると、前記遊技用価値の大きさの特定が行われ、受付金額がカード残額に加算更新されて、Ｄ１１１に戻る。またＤ１１３の状態で、電子マネーカードＲ／Ｗ２６により電子マネーカード５を受け付けると、後述するＤ１２１に進む。なおＤ１１１〜Ｄ１１３の状態で、画面に表示された「終了」ボタンが押下されて終了操作を受け付けると、前記受け付けている精算カード４が排出される。
【００６９】
Ｄ１０３又はＤ１１３の状態で、電子マネーカードＲ／Ｗ２６により電子マネーカード５を受け付けると、該受け付けた電子マネーカード５に記録されているＸ社電子マネー残額とＹ社電子マネー残額の照合の後、Ｄ１２１で、前記ユニット残額又はカード残額，及び当該Ｘ社電子マネー残額とＹ社電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１２１の状態におけるタッチパネル式のディスプレイ２７は、前記提供機関指定受付手段として機能する。
【００７０】
このＤ１２１の状態で、いずれかのキャリア選択ボタン（ここでは「Ｘ社電子マネー残額」ボタン）が押下されて入金に使用するキャリアが選択されると、Ｄ１２２で、前記ユニット残額又はカード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示され、かつ自動入金をするか否かの選択を促す旨，並びに該選択するための自動入金選択ボタン（ここでは「はい」ボタン，及び「いいえ」ボタン）が表示される。
【００７１】
このＤ１２２の状態で、いずれかの入金金額選択ボタン（ここでは「３０００円」ボタン）が押下されて入金金額が選択され、かついずれかの自動入金選択ボタンが押下されると、Ｄ１２１で選択されたキャリアの電子マネー残額のうちのＤ１２２で選択された金額が遊技用価値の大きさに変換されて、制御部２２のＲＡＭに記憶されているユニット残額又は精算カードＲ／Ｗ２５により受け付けている精算カード４に記録されているカード残額に加算更新される一方、Ｄ１２１で選択されたキャリアの電子マネー残額からＤ１２２で選択された金額が減算更新され、Ｄ１２３で、更新後のユニット残額又はカード残額，及び電子マネー残額が表示されると共に、Ｄ１２１で選択されたキャリアの電子マネー残額のうちのＤ１２２で選択された金額を入金した旨（ここではＸ社電子マネー残額から３０００円を入金した旨），及び玉貸可能状態である旨が表示される。
【００７２】
このＤ１２３の状態で、玉貸ボタン１５が押下されて玉貸操作を受け付けると、前記玉貸処理及び前記減算処理が行われる。そして該玉貸処理及び減算処理が継続して行われていくと、Ｄ１２４に示すように、ユニット残額又はカード残額が、次回の減算処理によって前記予め定められた遊技用価値の大きさである１０００円未満になる状態（即ち残額が１０００円以上１５２５円未満の状態）となる。このＤ１２４の状態で、玉貸ボタン１５が押下されて玉貸操作を受け付けると、前記玉貸処理及び前記減算処理が行われ、前記Ｄ１２２で「いいえ」ボタンが押下されて自動入金が選択されていない自動入金ＯＦＦの場合にはＤ１２５に進み、前記Ｄ１２２で「はい」ボタンが押下されて自動入金が選択されている自動入金ＯＮの場合にはＤ１２６に進む。
【００７３】
自動入金ＯＦＦの場合には、Ｄ１２５で、前記減算処理により使用金額＋消費税（ここでは５２５円）が減算更新された後のユニット残額又はカード残額（ここでは９２５円），及び前記電子マネー残額が表示されると共に、ユニット残額又はカード残額から該５２５円を減算した旨，及び玉貸可能状態である旨が表示される。このＤ１２５の状態で、玉貸ボタン１５が押下されて玉貸操作を受け付けると、前記玉貸処理及び前記減算処理が行われる。そして該玉貸処理及び減算処理が継続して行われていった結果、該減算処理により使用金額＋消費税が減算更新された後のユニット残額又はカード残額が消費税込みの１度数に相当する１０５円未満（即ち端数額）となった場合には、Ｄ１２１に戻る。
【００７４】
自動入金ＯＮの場合には、前記減算処理により使用金額＋消費税（ここでは５２５円）がユニット残額又はカード残額から減算更新され、前記加算更新処理によりＤ１２１で選択されたキャリアの電子マネー残額のうちの前記予め定められた電子貨幣価値の大きさであるＤ１２２で選択された金額（ここでは３０００円）が遊技用価値の大きさに変換されて、制御部２２のＲＡＭに記憶されているユニット残額又は精算カードＲ／Ｗ２５により受け付けている精算カード４に記録されているカード残額に加算更新される一方（即ち１４５０円−５２５円＋３０００円＝３９２５円）、Ｄ１２１で選択されたキャリアの電子マネー残額からＤ１２２で選択された金額が減算更新され、Ｄ１２６で、更新後のユニット残額又はカード残額，及び電子マネー残額が表示されると共に、ユニット残額又はカード残額から該５２５円を減算した旨，Ｄ１２１で選択されたキャリアの電子マネー残額のうちのＤ１２２で選択された金額を自動入金した旨（ここではＸ社電子マネー残額から３０００円を自動入金した旨），及び玉貸可能状態である旨が表示される。
【００７５】
なおＤ１２１〜Ｄ１２６の状態で、画面に表示された「終了」ボタンが押下されて終了操作を受け付けると、精算カードＲ／Ｗ２５により精算カード４を受け付けていない場合には、入金ＩＤ及びユニット残額（＝カード残額）を記録した精算カード４が排出され、精算カードＲ／Ｗ２５により精算カード４を受け付けている場合には、該受け付けている精算カード４が排出される。また、図示しないが、ディスプレイ２７では、遊技データ，テレビ画像，インターネット画像等の閲覧も可能である。
【００７６】
入金精算装置３０は、遊技場６における所定の箇所（例えば遊技島の端部，景品カウンタの近傍等）に設けられ、電子貨幣価値変換処理手段（制御部３２），電子貨幣価値加算更新処理手段（制御部３２），及び遊技用価値変換処理手段（制御部３２）等を備えるものである。
【００７７】
この入金精算装置３０は、縦長の箱型の形状を呈するものであり、図５に示すように、その前面に精算カード挿入口３５ａ，電子マネーカード挿入口３６ａ，ディスプレイ３７，紙幣挿入口３３ａ，紙幣払出口３３ｄ，硬貨挿入口３４ａ，及び硬貨払出口３４ｄ等を備え、図５及び図１に示すように、その内部にシステムコントローラ用通信部３１ａ，電子マネー端末用通信部３１ｂ，制御部３２，紙幣識別機３３，紙幣収納部３３ｂ，紙幣払出部３３ｃ，硬貨識別機３４，硬貨収納部３４ｂ，硬貨払出部３４ｃ，精算カードＲ／Ｗ３５，精算カード回収部３５ｂ，及び電子マネーカードＲ／Ｗ３６等を備えており、これらの各構成要素は図１に示すように接続されている。この入金精算装置３０は、装置ＩＤにより、各入金精算装置３０を個々に識別可能とされている。
【００７８】
システムコントローラ用通信部３１ａは、前述の如く、システムコントローラ５０と通信可能に接続されており、入金精算装置３０とシステムコントローラ５０との間における通信を司るものである。電子マネー端末用通信部３１ｂは、前述の如く、電子マネー端末６０と通信可能に接続されており、入金精算装置３０と電子マネー端末６０との間における通信を司るものである。なおシステムコントローラ用通信部３１ａ及び電子マネー端末通信部３１ｂから送信される情報には前記装置ＩＤが含まれるので、システムコントローラ５０では、該情報と共に受信した装置ＩＤに基づいて、該情報の送信元である入金精算装置３０を特定可能である。これら各通信部は、制御部３２に設けられている。
【００７９】
制御部３２は、ＣＰＵ，ＲＡＭ，ＲＯＭ等を備えており、ＲＯＭに記憶されている処理プログラムがＲＡＭを作業領域としてＣＰＵで実行されることにより、入金精算装置３０に備えられる各構成要素の動作を制御して各種の処理を行うものである。なお制御部３２の機能については後述する。
【００８０】
紙幣識別機３３は貨幣受付手段の一例であって、貨幣を受け付けるものであり、ここでは紙幣挿入口３３ａから前記４種類の紙幣２を受け付けて、該受け付けた紙幣２の真贋及び金種を識別する識別機である。なお紙幣識別機３３により受け付けられた紙幣２は、該紙幣識別機３３の背後に設けられている紙幣収納部３３ｂに金種毎に収納される。そして後述する貨幣の返却が行われるときに、紙幣収納部３３ｂに収納されている紙幣２が、該紙幣収納部３３ｂの前方に設けられている紙幣払出部３３ｃに搬送されて、該紙幣払出部３３ｃの前方に設けられている紙幣払出口３３ｄから払い出されて返却される。
【００８１】
硬貨識別機３４も貨幣受付手段の一例であって、貨幣を受け付けるものであり、ここでは硬貨挿入口３４ａから前記２種類の硬貨３を受け付けて、該受け付けた硬貨３の真贋及び金種を識別する識別機である。なお硬貨識別機３４により受け付けられた硬貨３も、該硬貨識別機３４の背後に設けられている硬貨収納部３４ｂに金種毎に収納される。そして後述する貨幣の返却が行われるときに、硬貨収納部３４ｂに収納されている硬貨３が、該硬貨収納部３４ｂの前方に設けられている硬貨払出部３４ｃに搬送されて、該硬貨払出部３４ｃの前方に設けられている硬貨払出口３４ｄから払い出されて返却される。従って、この入金精算装置３０では、50円硬貨，10円硬貨，5円硬貨，及び1円硬貨といった小金種の貨幣の払い出しは行われない。
【００８２】
精算カードＲ／Ｗ３５は、精算カード挿入口３５ａから精算カード４を受け付けて、該受け付けた精算カード４に記録されている入金ＩＤ及びカード残額を読み取ると共に、該受け付けている精算カード４に対して更新後のカード残額を記録するものである。精算カード回収部３５ｂは、精算カードＲ／Ｗ３５の背後に設けられ、更新後のカード残額が零となった精算カード４を回収して収納するものである。
【００８３】
電子マネーカードＲ／Ｗ３６は電子貨幣価値記録媒体受付手段の一例であって、電子貨幣価値記録媒体である電子マネーカード５を受け付けるものであり、具体的には、電子マネーカード挿入口３６ａから電子マネーカード５を受け付けて、該受け付けた電子マネーカード５に記録されている電子マネーＩＤ及び電子マネー残額を読み取ると共に、該受け付けている電子マネーカード５に対して更新後の電子マネー残額を記録するものである。
【００８４】
タッチパネル式のディスプレイ３７は、該ディスプレイにより各種の情報を表示すると共に、該タッチパネルにより各種の入力を受け付けるものである。このタッチパネル式のディスプレイ３７は提供機関指定受付手段の一例であって、後述する図６のＤ１６２，及び図７のＤ１８２に示すように、電子マネーカードＲ／Ｗ３６により受け付けた電子マネーカード５に記録されている電子貨幣価値特定情報から特定される複数の電子マネー会社８（キャリア）のうちのいずれかの指定を受け付けるものである。
【００８５】
またタッチパネル式のディスプレイ３７は変換価値指定受付手段の一例であって、電子貨幣価値変換処理手段（制御部３２）により変換する遊技用価値の大きさ又は電子貨幣価値加算更新処理手段（制御部３２）により加算更新する電子貨幣価値の大きさの指定を受け付けるものである。具体的には、後述する図７のＤ１８３に示すように、加算更新する電子貨幣価値の大きさである電子マネーへの返却金額の指定を受け付ける。なおディスプレイ３７の表示内容については後述する。
【００８６】
ここで前記制御部３２は遊技用価値変換処理手段の一例であって、電子マネーカードＲ／Ｗ３６により受け付けた電子マネーカード５に記録されている電子貨幣価値特定情報から特定される電子貨幣価値の大きさ（電子マネー残額）のうちの少なくとも一部を前記遊技用価値の大きさに変換するための遊技用価値変換処理を行うものであり、ここでは前記提供機関指定受付手段（タッチパネル式のディスプレイ３７）により指定を受け付けた電子マネー会社８（キャリア）の電子貨幣価値特定情報から特定される電子貨幣価値の大きさを前記遊技用価値の大きさに変換するための遊技用価値変換処理を行う。具体的には、後述する図６のＤ１６２で選択されたキャリアの電子マネー残額のうちの、同Ｄ１６３で選択された金額を、遊技用価値の大きさに変換する。ここで変換された遊技用価値の大きさは、精算カードＲ／Ｗ３５により受け付けている精算カード４に記録されているカード残額に加算更新される。
【００８７】
また前記制御部３２は電子貨幣価値変換処理手段の一例であって、前記遊技用価値の大きさ（カード残額）のうちの少なくとも一部を電子貨幣価値の大きさに変換するための電子貨幣価値変換処理を行うものであり、ここでは該遊技用価値の大きさのうちの前記変換価値指定受付手段（タッチパネル式のディスプレイ３７）により指定を受け付けた遊技用価値の大きさ又は該指定を受け付けた電子貨幣価値の大きさに相当する遊技用価値の大きさを電子貨幣価値の大きさに変換するための電子貨幣価値変換処理を行う。具体的には、後述する図７のＤ１８３で指定された電子貨幣価値の大きさである電子マネーへの返却金額に相当するカード残額を、電子貨幣価値の大きさに変換する。
【００８８】
さらに前記制御部３２は電子貨幣価値加算更新処理手段の一例であって、前記電子貨幣価値変換処理手段により変換された電子貨幣価値の大きさを、電子マネーカードＲ／Ｗ３６により受け付けた電子マネーカード５に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、前記提供機関指定受付手段（タッチパネル式のディスプレイ３７）により指定を受け付けた電子マネー会社８（キャリア）の電子貨幣価値特定情報から特定される電子マネー残額に対して加算更新するための電子貨幣価値加算更新処理を行う。具体的には、前記電子貨幣価値変換処理手段により変換された電子貨幣価値の大きさを、後述する図７のＤ１８２で選択されたキャリアの電子マネー残額に対して加算更新する。
【００８９】
ここで図６及び図７を参照して、ディスプレイ３７の表示内容について説明する。
【００９０】
まず、ディスプレイ３７では、Ｄ１５０に示すモード選択画面で、モードの選択を促す旨，並びに該選択をするためのモード選択ボタンである「貨幣で入金」ボタン，「電子マネーで入金」ボタン，「貨幣を返却」ボタン，及び「電子マネーに返却」ボタンが表示される。
【００９１】
このＤ１５０の状態で、「貨幣で入金」ボタンが押下されると、貨幣入金モードになり、Ｄ１５１で、精算カード４の挿入を促す旨が表示される。このＤ１５１の状態で、精算カードＲ／Ｗ３５により精算カード４を受け付けると、該受け付けた精算カード４に記録されているカード残額の照合の後、Ｄ１５２で、当該カード残額（ここでは３９２５円）が表示されると共に、貨幣の挿入を促す旨が表示される。
【００９２】
このＤ１５２の状態で、貨幣受付手段により貨幣を受け付けると（ここでは紙幣識別機３３により1000円紙幣を３枚受け付けると）、受付金額が精算カードＲ／Ｗ３５により受け付けている精算カード４に記録されているカード残額に加算更新されて該精算カード４が排出され、Ｄ１５３で、更新後のカード残額が表示されると共に、前記受け付けた金額（ここでは３０００円）を入金した旨，及び精算カード４の取り出しを促す旨が表示される。そして精算カード４が取り出されると、Ｄ１５０に戻る。
【００９３】
また前記Ｄ１５０の状態で、「電子マネーで入金」ボタンが押下されると、電子マネー入金モードになり、Ｄ１６１で、精算カード４と電子マネーカード５の挿入を促す旨が表示される。このＤ１６１の状態で、精算カードＲ／Ｗ３５により精算カード４を受け付けると共に、電子マネーカードＲ／Ｗ３６により電子マネーカード５を受け付けると、該受け付けた精算カード４に記録されているカード残額と、該受け付けた電子マネーカード５に記録されているＸ社電子マネー残額とＹ社電子マネー残額の照合の後、Ｄ１６２で、当該カード残額（ここでは３９２５円），及び当該Ｘ社電子マネー残額とＹ社電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１６２の状態におけるタッチパネル式のディスプレイ３７は、前記提供機関指定受付手段として機能する。
【００９４】
このＤ１６２の状態で、いずれかのキャリア選択ボタン（ここでは「Ｘ社電子マネー残額」ボタン）が押下されて入金に使用するキャリアが選択されると、Ｄ１６３で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示される。
【００９５】
このＤ１６３の状態で、いずれかの入金金額選択ボタン（ここでは「３０００円」ボタン）が押下されて入金金額が選択されると、Ｄ１６２で選択されたキャリアの電子マネー残額のうちのＤ１６３で選択された金額が遊技用価値の大きさに変換されて、精算カードＲ／Ｗ３５により受け付けている精算カード４に記録されているカード残額に加算更新されて該精算カード４が排出される一方、Ｄ１６２で選択されたキャリアの電子マネー残額からＤ１６３で選択された金額が減算更新されて電子マネーカード５が排出され、Ｄ１６４で、更新後のカード残額，及び電子マネー残額が表示されると共に、Ｄ１６２で選択されたキャリアの電子マネー残額のうちのＤ１６３で選択された金額を入金した旨（ここではＸ社電子マネー残額から３０００円を入金した旨），及び精算カード４と電子マネーカード５の取り出しを促す旨が表示される。そして精算カード４と電子マネーカード５が取り出されると、Ｄ１５０に戻る。
【００９６】
また前記Ｄ１５０の状態で、「貨幣を返却」ボタンが押下されると、貨幣返却モードになり、Ｄ１７１で、精算カード４の挿入を促す旨が表示される。このＤ１７１の状態で、精算カードＲ／Ｗ３５により精算カード４を受け付けると、該受け付けた精算カード４に記録されているカード残額の照合の後、Ｄ１７２で、当該カード残額（ここでは３９２５円）が表示されると共に、貨幣での返却金額の指定を促す旨，及び該指定をするためのテンキーが表示される。なお入金精算装置３０では、前述の如く、１００円未満の小金種の貨幣の払い出しは行われないので、貨幣での返却金額として１００円未満を含む金額は指定できない。
【００９７】
このＤ１７２の状態で、貨幣での返却金額が指定されて「決定」ボタンが押下されると、該返却金額に相当する貨幣が払い出されて返却されると共に、該返却金額が精算カードＲ／Ｗ３５により受け付けている精算カード４に記録されているカード残額から減算更新されて該精算カード４が排出され、Ｄ１７３で、更新後のカード残額が表示されると共に、前記指定された金額（ここでは３０００円）の貨幣を返却した旨，及び精算カード４の取り出しを促す旨が表示される。そして精算カード４が取り出されると、Ｄ１５０に戻る。
【００９８】
なお減算更新後のカード残額が零である場合には、精算カード４は排出されずに精算カード回収部３５ｂに回収され、Ｄ１７３’で、更新後のカード残額（即ち０円）が表示されると共に、前記指定された金額（即ちカード残額の全額）の貨幣を返却した旨，及び精算カード４を回収した旨が表示される。そして所定時間の経過後に、Ｄ１５０に戻る。
【００９９】
さらに前記Ｄ１５０の状態で、「電子マネーに返却」ボタンが押下されると、電子マネー返却モードになり、Ｄ１８１で、精算カード４と電子マネーカード５の挿入を促す旨が表示される。このＤ１８１で、精算カードＲ／Ｗ３５により精算カード４を受け付けると共に、電子マネーカードＲ／Ｗ３６により電子マネーカード５を受け付けると、該受け付けた精算カード４に記録されているカード残額と、該受け付けた電子マネーカード５に記録されているＸ社電子マネー残額とＹ社電子マネー残額の照合の後、Ｄ１８２で、当該カード残額（ここでは３９２５円），及び当該Ｘ社電子マネー残額とＹ社電子マネー残額が表示されると共に、カード残額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１８２の状態におけるタッチパネル式のディスプレイ３７は、前記提供機関指定受付手段として機能する。
【０１００】
このＤ１８２の状態で、いずれかのキャリア選択ボタン（ここでは「Ｘ社電子マネー残額」ボタン）が押下されてカード残額を返却するキャリアが選択されると、Ｄ１８３で、前記カード残額，及び該選択されたキャリアの電子マネー残額（ここではＸ社電子マネー残額）が表示されると共に、電子マネーへの返却金額の指定を促す旨，及び該指定をするためのテンキーが表示される。即ち、このＤ１８３の状態におけるタッチパネル式のディスプレイ３７は、前記変換価値指定受付手段として機能する。
【０１０１】
このＤ１８３の状態で、電子マネーへの返却金額が指定されて「決定」ボタンが押下されると、該返却金額が精算カードＲ／Ｗ３５により受け付けている精算カード４に記録されているカード残額から減算更新されて該精算カード４が排出される一方、該返却金額に相当するカード残額が電子貨幣価値の大きさに変換されて、Ｄ１８２で選択されたキャリアの電子マネー残額に対して加算更新されて電子マネーカード５が排出され、Ｄ１８４で、更新後のカード残額，及び電子マネー残額が表示されると共に、前記Ｄ１８２で選択されたキャリアの電子マネー残額に前記Ｄ１８３で指定された金額を返却した旨（ここではＸ社電子マネー残額に３０００円を返却した旨），及び精算カード４と電子マネーカード５の取り出しを促す旨が表示される。そして精算カード４と電子マネーカード５が取り出されると、Ｄ１５０に戻る。
【０１０２】
なお減算更新後のカード残額が零である場合には、精算カード４は排出されずに精算カード回収部３５ｂに回収され、図示しないが、更新後のカード残額（即ち０円）が表示されると共に、前記Ｄ１８２で選択されたキャリアの電子マネー残額に前記Ｄ１８３で指定された金額（即ちカード残額の全額）を返却した旨，電子マネーカード５の取り出しを促す旨，及び精算カード４を回収した旨が表示される。そして所定時間の経過後に、Ｄ１５０に戻る。
【０１０３】
なおＤ１５１〜Ｄ１８３の状態で、画面に表示された「終了」ボタンが押下されて終了操作を受け付けると、受け付けているカード（精算カード４及び／又は電子マネーカード５）が排出されて、Ｄ１５０に戻る。
【０１０４】
次に、図８〜図１１を参照して、第１実施形態に係る遊技用システム１の作用について説明する。
【０１０５】
まず図８及び図９は、第１実施形態に係る玉貸ユニット２０における処理の一例を表すフローチャートである。この玉貸ユニット２０は、貨幣受付手段により貨幣を受け付けると（Ｓ１０１）、前記受付金額をシステムコントローラ５０に対して送信する（Ｓ１０２）。該受付金額を受信したシステムコントローラ５０は、入金ＩＤを生成し（Ｓ１０３）、該生成した入金ＩＤと対応付けて、前記受信した受付金額を残額として記憶し（Ｓ１０４）、該生成した入金ＩＤを前記受付金額の送信元である玉貸ユニット２０に対して送信する（Ｓ１０５）。該入金ＩＤを受信した玉貸ユニット２０は、該受信した入金ＩＤと対応付けて、前記受付金額をユニット残額として制御部２２のＲＡＭに記憶し（Ｓ１０６）、該ユニット残額をディスプレイ２７に表示して（Ｓ１０７）、玉貸可能状態となる（Ｓ１０８）。
【０１０６】
この玉貸可能状態で、玉貸ボタン１５が押下されて玉貸操作を受け付けると（Ｓ１０９）、制御部２２によりユニット残額を使用した玉貸処理を行うと共に、減算処理手段である制御部２２により前記使用金額と該使用金額に対応する消費税をユニット残額から減算更新する減算処理を行い（Ｓ１１０）、制御部２２のＲＡＭに記憶されている入金ＩＤと前記使用金額＋消費税をシステムコントローラ５０に対して送信する（Ｓ１１１）。該入金ＩＤと使用金額＋消費税を受信したシステムコントローラ５０は、該受信した使用金額＋消費税を、該受信した入金ＩＤと対応付けて記憶している残額から減算更新し（Ｓ１１２）、減算完了通知を前記入金ＩＤと使用金額＋消費税の送信元である玉貸ユニット２０に対して送信する（Ｓ１１３）。
【０１０７】
該減算完了通知を受信した玉貸ユニット２０は、減算更新後のユニット残額が消費税込みの１度数に相当する１０５円以上であるか否かを判定する（Ｓ１１４）。このＳ１１４でユニット残額が１０５円以上であると判定された場合には、前記Ｓ１０７に戻る。一方、Ｓ１１４でユニット残額が１０５円未満であると判定された場合には、貨幣の受付，電子マネーカード５の受付，又は終了操作を待機する（Ｓ１１５）。このＳ１１５で貨幣を受け付けた場合には、前記Ｓ１０２に戻る。またＳ１１５で電子マネーカード５を受け付けた場合には、後述するＳ１５１に進む。またＳ１１５で終了操作があった場合には、制御部２２のＲＡＭで記憶している入金ＩＤとユニット残額を消去し、該入金ＩＤとユニット残額（＝カード残額）を精算カード４に記録して排出する（Ｓ１１６）。
【０１０８】
また玉貸ユニット２０は、精算カードＲ／Ｗ２５により精算カード４を受け付けると（Ｓ１２１）、該受け付けた精算カード４に記録されている入金ＩＤとカード残額をシステムコントローラ５０に対して送信する（Ｓ１２２）。該入金ＩＤとカード残額を受信したシステムコントローラ５０は、該受信したカード残額と、該受信した入金ＩＤと対応付けて記憶している残額との照合を行い（Ｓ１２３）、照合ＯＫならば、照合ＯＫ通知を前記入金ＩＤとカード残額の送信元である玉貸ユニット２０に対して送信する（Ｓ１２４）。該照合ＯＫ通知を受信した玉貸ユニット２０は、前記受け付けた精算カード４に記録されているカード残額をディスプレイ２７に表示して（Ｓ１２５）、玉貸可能状態となる（Ｓ１２６）。
【０１０９】
この玉貸可能状態で、玉貸ボタン１５が押下されて玉貸操作を受け付けると（Ｓ１２７）、制御部２２によりカード残額を使用した玉貸処理を行うと共に、減算処理手段である制御部２２により前記使用金額と該使用金額に対応する消費税をカード残額から減算更新する減算処理を行い（Ｓ１２８）、前記受け付けた精算カード４に記録されている入金ＩＤと前記使用金額＋消費税をシステムコントローラ５０に対して送信する（Ｓ１２９）。該入金ＩＤと使用金額＋消費税を受信したシステムコントローラ５０は、該受信した使用金額＋消費税を、該受信した入金ＩＤと対応付けて記憶している残額から減算更新し（Ｓ１３０）、減算完了通知を前記入金ＩＤと使用金額＋消費税の送信元である玉貸ユニット２０に対して送信する（Ｓ１３１）。
【０１１０】
該減算完了通知を受信した玉貸ユニット２０は、減算更新後のカード残額が１度数に相当する１０５円以上であるか否かを判定する（Ｓ１３２）。このＳ１３２でカード残額が１０５円以上であると判定された場合には、前記Ｓ１２５に戻る。一方、Ｓ１３２でカード残額が１０５円未満であると判定された場合には、貨幣の受付，電子マネーカード５の受付，又は終了操作を待機する（Ｓ１３３）。このＳ１３３で貨幣を受け付けた場合には、前記受付金額をシステムコントローラ５０に対して送信する（Ｓ１３４）。該受付金額を受信したシステムコントローラ５０は、入金ＩＤを生成し（Ｓ１３５）、該生成した入金ＩＤと対応付けて、前記受信した受付金額を残額として記憶し（Ｓ１３６）、該生成した入金ＩＤを前記受付金額の送信元である玉貸ユニット２０に対して送信する（Ｓ１３７）。該入金ＩＤを受信した玉貸ユニット２０は、該受信した入金ＩＤと対応付けて、前記受付金額をカード残額として精算カード４に記録して（Ｓ１３８）、前記Ｓ１２５に戻る。またＳ１３３で電子マネーカード５を受け付けた場合には、後述するＳ１５１に進む。またＳ１３３で終了操作があった場合には、前記受け付けている精算カード４を排出する（Ｓ１３９）。
【０１１１】
また玉貸ユニット２０は、電子マネーカードＲ／Ｗ２６により電子マネーカード５を受け付けると（Ｓ１５１）、該受け付けた電子マネーカード５に記録されている各キャリアの電子マネーＩＤと電子マネー残額を各キャリアの電子マネー端末６０に対して送信する（Ｓ１５２）。該電子マネー端末６０は、玉貸ユニット２０から送信されてきた電子マネーＩＤと電子マネー残額を受信して、当該キャリアの電子マネー管理サーバ８ａに対して送信する（Ｓ１５３）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ１５４）、前記電子マネーＩＤと電子マネー残額の送信元である玉貸ユニット２０に対して送信する（Ｓ１５５）。該照合ＯＫ通知を受信した玉貸ユニット２０は、前記受け付けた電子マネーカード５に記録されている各キャリアの電子マネー残額をディスプレイ２７に表示する（Ｓ１５６）。
【０１１２】
ここで前記図４のＤ１２１に示すように入金に使用するキャリアの選択を受け付けると共に、前記図４のＤ１２２に示すように入金金額の選択を受け付けると（Ｓ１５７）、該入金金額をシステムコントローラ５０に対して送信する（Ｓ１５８）。該入金金額を受信したシステムコントローラ５０は、入金ＩＤを生成し（Ｓ１５９）、該生成した入金ＩＤと対応付けて、前記受信した入金金額を残額として記憶し（Ｓ１６０）、該生成した入金ＩＤを前記入金金額の送信元である玉貸ユニット２０に対して送信する（Ｓ１６１）。該入金ＩＤを受信した玉貸ユニット２０は、該受信した入金ＩＤと対応付けて、前記入金金額をユニット残額として制御部２２のＲＡＭに記憶又はカード残額として前記受け付けている精算カード４に記録する（Ｓ１６２）。
【０１１３】
そして前記入金金額を前記図４のＤ１２１で選択されたキャリアの電子マネー残額から減算更新し（Ｓ１６３）、当該キャリアの電子マネーＩＤと減算更新後の電子マネー残額を当該キャリアの電子マネー端末６０に対して送信する（Ｓ１６４）。該電子マネー端末６０は、玉貸ユニット２０から送信されてきた電子マネーＩＤと減算更新後の電子マネー残額を受信して、当該キャリアの電子マネー管理サーバ８ａに対して送信する（Ｓ１６５）。該電子マネーＩＤと減算更新後の電子マネー残額を受信した電子マネー管理サーバ８ａは、該受信した減算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ１６６）、前記電子マネーＩＤと減算更新後の電子マネー残額の送信元である玉貸ユニット２０に対して送信する（Ｓ１６７）。該更新完了通知を受信した玉貸ユニット２０は、更新後のユニット残額又はカード残額，及び電子マネー残額をディスプレイ２７に表示する（Ｓ１６８）。
【０１１４】
このように、遊技用価値変換処理手段により、遊技者が所有する電子マネーカード５に記録されている電子貨幣価値特定情報から特定される電子マネー残額が遊技用価値の大きさに変換されることによって、遊技者が貨幣を所有していない場合であっても、電子マネー残額で入金することができるので、遊技者の利便性が向上する。しかも遊技用価値変換処理手段により、遊技者が指定したキャリアの電子貨幣価値特定情報から特定される電子マネー残額が遊技用価値の大きさに変換されることによって、遊技者が複数のキャリアと契約している場合であっても、希望するキャリアの電子マネー残額で入金することができるので、遊技者の利便性が向上する。
【０１１５】
また玉貸ユニット２０は、精算カードＲ／Ｗ２５により精算カード４を受け付けていない場合には、前記Ｓ１０８〜Ｓ１１３の処理を行った後、また精算カードＲ／Ｗ２５により精算カード４を受け付けている場合には、前記Ｓ１２６〜Ｓ１３１の処理を行った後に、ユニット残額又はカード残額が予め定められた遊技用価値の大きさである１０００円未満であるか否かを判定する（Ｓ１６９）。このＳ１６９で残額が１０００円以上であると判定された場合には、前記Ｓ１０７又は前記Ｓ１２５に戻る。一方、Ｓ１６９で残額が１０００円未満であると判定された場合には、自動入金ＯＮであるか自動入金ＯＦＦであるかの判定を行う（Ｓ１７０）。
【０１１６】
このＳ１７０で自動入金ＯＦＦである、即ち前記図４のＤ１２２で「いいえ」ボタンが押下されて自動入金が選択されていないと判定された場合には、前記Ｓ１１４又はＳ１３２に戻る。一方、Ｓ１７０で自動入金ＯＮである、即ち前記図４のＤ１２２で「はい」ボタンが押下されて自動入金が選択されていると判定された場合には、遊技者から入金操作を受け付けることなく、前記Ｓ１５８〜Ｓ１６８の処理（即ち自動入金処理）を行う。
【０１１７】
このように、ユニット残額又はカード残額が減算処理の後に予め定められた遊技用価値の大きさ未満となったことを条件として、遊技用価値変換処理手段により、遊技者が所有する電子マネーカード５に記録されている電子貨幣価値特定情報から特定される電子マネー残額が遊技用価値の大きさに変換されることによって、該ユニット残額又はカード残額が少なくなった場合であっても、遊技者から入金操作を受け付けることなく自動的に電子マネー残額で入金されるので、遊技者の利便性が向上する。
【０１１８】
次に図１０及び図１１は、第１実施形態に係る入金精算装置３０における処理の一例を表すフローチャートである。この入金精算装置３０は、前記図６のＤ１５０で「貨幣で入金」ボタンが押下されると、貨幣入金モードになり（Ｓ２０１）、精算カードＲ／Ｗ３５により精算カード４を受け付けると（Ｓ２０２）、該受け付けた精算カード４に記録されている入金ＩＤとカード残額をシステムコントローラ５０に対して送信する（Ｓ２０３）。該入金ＩＤとカード残額を受信したシステムコントローラ５０は、該受信したカード残額と、該受信した入金ＩＤと対応付けて記憶している残額との照合を行い（Ｓ２０４）、照合ＯＫならば、照合ＯＫ通知を前記入金ＩＤとカード残額の送信元である入金精算装置３０に対して送信する（Ｓ２０５）。該照合ＯＫ通知を受信した入金精算装置３０は、前記受け付けた精算カード４に記録されているカード残額をディスプレイ３７に表示する（Ｓ２０６）。
【０１１９】
そして貨幣受付手段により貨幣を受け付けると（Ｓ２０７）、前記受付金額をシステムコントローラ５０に対して送信する（Ｓ２０８）。該受付金額を受信したシステムコントローラ５０は、入金ＩＤを生成し（Ｓ２０９）、該生成した入金ＩＤと対応付けて、前記受信した受付金額を残額として記憶し（Ｓ２０９）、該生成した入金ＩＤを前記受付金額の送信元である入金精算装置３０に対して送信する（Ｓ２１０）。該入金ＩＤを受信した入金精算装置３０は、該受信した入金ＩＤと対応付けて、前記受付金額をカード残額として前記受け付けている精算カード４のカード残額に記録して（Ｓ２１２）、該精算カード４を排出する（Ｓ２１３）。
【０１２０】
また入金精算装置３０は、前記図６のＤ１５０で「電子マネーで入金」ボタンが押下されると、電子マネー入金モードになり（Ｓ２２１）、精算カードＲ／Ｗ３５により精算カード４を受け付けると共に、電子マネーカードＲ／Ｗ３６により電子マネーカード５を受け付ける（Ｓ２２２）。そしてＳ２２２で精算カード４を受け付けたことに基づいて、該受け付けた精算カード４に記録されている入金ＩＤとカード残額をシステムコントローラ５０に対して送信する（Ｓ２２３）。該入金ＩＤとカード残額を受信したシステムコントローラ５０は、該受信したカード残額と、該受信した入金ＩＤと対応付けて記憶している残額との照合を行い（Ｓ２２４）、照合ＯＫならば、照合ＯＫ通知を前記入金ＩＤとカード残額の送信元である入金精算装置３０に対して送信する（Ｓ２２５）。
【０１２１】
またＳ２２２で電子マネーカード５を受け付けたことに基づいて、該受け付けた電子マネーカード５に記録されている各キャリアの電子マネーＩＤと電子マネー残額を各キャリアの電子マネー端末６０に対して送信する（Ｓ２２６）。該電子マネー端末６０は、入金精算装置３０から送信されてきた電子マネーＩＤと電子マネー残額を受信して、当該キャリアの電子マネー管理サーバ８ａに対して送信する（Ｓ２２７）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ２２８）、前記電子マネーＩＤと電子マネー残額の送信元である入金精算装置３０に対して送信する（Ｓ２２９）。前記Ｓ２２５及び該Ｓ２２９の照合ＯＫ通知を受信した入金精算装置３０は、前記受け付けた精算カード４に記録されているカード残額，及び前記受け付けた電子マネーカード５に記録されている各キャリアの電子マネー残額をディスプレイ３７に表示する（Ｓ２３０）。
【０１２２】
ここで前記図６のＤ１６２に示すように入金に使用するキャリアの選択を受け付けると共に、前記図６のＤ１６３に示すように入金金額の選択を受け付けると（Ｓ２３１）、該入金金額をシステムコントローラ５０に対して送信する（Ｓ２３２）。該入金金額を受信したシステムコントローラ５０は、入金ＩＤを生成し（Ｓ２３３）、該生成した入金ＩＤと対応付けて、前記受信した入金金額を残額として記憶し（Ｓ２３４）、該生成した入金ＩＤを前記入金金額の送信元である入金精算装置３０に対して送信する（Ｓ２３５）。該入金ＩＤを受信した入金精算装置３０は、該受信した入金ＩＤと対応付けて、前記入金金額をカード残額として前記受け付けている精算カード４に記録する（Ｓ２３６）。
【０１２３】
そして前記入金金額を前記図６のＤ１６２で選択されたキャリアの電子マネー残額から減算更新し（Ｓ２３７）、当該キャリアの電子マネーＩＤと減算更新後の電子マネー残額を当該キャリアの電子マネー端末６０に対して送信する（Ｓ２３８）。該電子マネー端末６０は、入金精算装置３０から送信されてきた電子マネーＩＤと減算更新後の電子マネー残額を受信して、当該キャリアの電子マネー管理サーバ８ａに対して送信する（Ｓ２３９）。該電子マネーＩＤと減算更新後の電子マネー残額を受信した電子マネー管理サーバ８ａは、該受信した減算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ２４０）、前記電子マネーＩＤと減算更新後の電子マネー残額の送信元である入金精算装置３０に対して送信する（Ｓ２４１）。該更新完了通知を受信した入金精算装置３０は、更新後のカード残額，及び電子マネー残額をディスプレイ３７に表示して（Ｓ２４２）、前記受け付けている精算カード４及び電子マネーカード５を排出する（Ｓ２４３）。
【０１２４】
このように、遊技用価値変換処理手段により、遊技者が所有する電子マネーカード５に記録されている電子貨幣価値特定情報から特定される電子マネー残額が遊技用価値の大きさに変換されることによって、遊技者が貨幣を所有していない場合であっても、電子マネー残額で入金することができるので、遊技者の利便性が向上する。しかも遊技用価値変換処理手段により、遊技者が指定したキャリアの電子貨幣価値特定情報から特定される電子マネー残額が遊技用価値の大きさに変換されることによって、遊技者が複数のキャリアと契約している場合であっても、希望するキャリアの電子マネー残額で入金することができるので、遊技者の利便性が向上する。
【０１２５】
また入金精算装置３０は、前記図６のＤ１５０で「貨幣で返却」ボタンが押下されると、貨幣返却モードになり（Ｓ２６１）、前記Ｓ２０２〜Ｓ２０６の処理が行われた後に、前記図７のＤ１７２に示すように貨幣への返却金額の指定を受け付けると（Ｓ２６２）、前記受け付けた精算カード４に記録されている入金ＩＤと前記返却金額をシステムコントローラ５０に対して送信する（Ｓ２６３）。該入金ＩＤと返却金額を受信したシステムコントローラ５０は、該受信した返却金額を、該受信した入金ＩＤと対応付けて記憶している残額から減算更新し（Ｓ２６４）、減算完了通知を前記入金ＩＤと返却金額の送信元である入金精算装置３０に対して送信する（Ｓ２６５）。
【０１２６】
該減算完了通知を受信した入金精算装置３０は、前記返却金額を前記受け付けている精算カード４に記録されているカード残額から減算更新し（Ｓ２６６）、該減算更新後のカード残額が零であるか否かを判定する（Ｓ２６７）。このＳ２６７でカード残額が零でないと判定された場合には、更新後のカード残額を表示し、前記返却金額に相当する貨幣を払い出して返却し、前記受け付けている精算カード４を排出する（Ｓ２６８）。一方、Ｓ２６７でカード残額が零であると判定された場合には、更新後のカード残額（即ち零）を表示し、前記返却金額に相当する貨幣を払い出して返却し、前記受け付けている精算カード４を精算カード回収部３５ｂに回収する（Ｓ２６９）。
【０１２７】
また入金精算装置３０は、前記図６のＤ１５０で「電子マネーに返却」ボタンが押下されると、電子マネー返却モードになり（Ｓ２７１）、前記Ｓ２２２〜Ｓ２３０の処理が行われた後に、前記図７のＤ１８２に示すようにカード残額を返却するキャリアの選択を受け付けると共に、前記図７のＤ１８３に示すように電子マネーへの返却金額の指定を受け付けると（Ｓ２７２）、前記受け付けた精算カード４に記録されている入金ＩＤと前記返却金額をシステムコントローラ５０に対して送信する（Ｓ２７３）。該入金ＩＤと返却金額を受信したシステムコントローラ５０は、該受信した返却金額を、該受信した入金ＩＤと対応付けて記憶している残額から減算更新し（Ｓ２７４）、減算完了通知を前記入金ＩＤと返却金額の送信元である入金精算装置３０に対して送信する（Ｓ２７５）。
【０１２８】
該減算完了通知を受信した入金精算装置３０は、前記返却金額を前記受け付けている精算カード４に記録されているカード残額から減算更新し（Ｓ２７６）、前記返却金額を電子貨幣価値の大きさに変換して、前記図７のＤ１８２で選択されたキャリアの電子マネー残額に加算更新し（Ｓ２７７）、当該キャリアの電子マネーＩＤと加算更新後の電子マネー残額を当該キャリアの電子マネー端末６０に対して送信する（Ｓ２７８）。該電子マネー端末６０は、入金精算装置３０から送信されてきた電子マネーＩＤと加算更新後の電子マネー残額を受信して、当該キャリアの電子マネー管理サーバ８ａに対して送信する（Ｓ２７９）。該電子マネーＩＤと加算更新後の電子マネー残額を受信した電子マネー管理サーバ８ａは、該受信した加算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ２８０）、前記電子マネーＩＤと加算更新後の電子マネー残額の送信元である入金精算装置３０に対して送信する（Ｓ２８１）。
【０１２９】
該更新完了通知を受信した入金精算装置３０は、減算更新後のカード残額が零であるか否かを判定する（Ｓ２８２）。このＳ２８２でカード残額が零でないと判定された場合には、更新後のカード残額，及び電子マネー残額を表示し、前記受け付けている精算カード４と電子マネーカード５を排出する（Ｓ２８３）。一方、Ｓ２８２でカード残額が零であると判定された場合には、更新後のカード残額（即ち零），及び電子マネー残額を表示し、前記受け付けている電子マネーカード５を排出する一方、前記受け付けている精算カード４を精算カード回収部３５ｂに回収する（Ｓ２８４）。
【０１３０】
以上に説明した第１実施形態に係る遊技用システム１によれば、減算処理手段により、遊技使用処理に供される使用金額と当該使用金額に対応する消費税とがユニット残額又はカード残額から減算され、電子貨幣価値変換処理手段により、該減算後のカード残額が電子貨幣価値の大きさに変換され、電子貨幣価値加算更新処理手段により、該変換された電子貨幣価値の大きさが電子マネーカード５に記録されている電子貨幣価値特定情報から特定される電子マネー残額に対して加算更新されることによって、消費税が徴収された後の一単位の遊技用価値の大きさと当該一単位の遊技用価値の大きさに対応する消費税との合算額未満の端数額がでる場合であっても、該端数額が電子貨幣価値の大きさに変換されて遊技者に対して返却されるので、遊技者が不利益を被ることがない。また該端数額分のパチンコ玉を貸与するパチンコ機１０への改造や入替が不要であり、遊技場の従業員が小金種の貨幣を入金精算装置３０に補充する手間もかからない。
【０１３１】
また電子貨幣価値変換処理手段により、遊技者の指定に基づくカード残額が電子貨幣価値の大きさに変換されるので、遊技者の利便性が向上する。さらに電子貨幣価値加算更新処理手段により、遊技者が指定したキャリアの電子貨幣価値特定情報から特定される電子マネー残額に対して前記変換された電子貨幣価値の大きさが加算更新されることによって、遊技者が複数のキャリアと契約している場合であっても、希望するキャリアの電子マネー残額に対して端数額を返却することができるので、遊技者の利便性が向上する。
【０１３２】
［２．第２実施形態に係る遊技用システム１］
次に、図１，及び図１２〜図１５を参照して、第２実施形態に係る遊技用システム１の構成について説明する。ここで前述した第１実施形態に係る遊技用システム１は、遊技に使用された後の端数額を含む遊技用価値の大きさを電子貨幣価値の大きさに変換するものであるのに対し、この第２実施形態に係る遊技用システム１は、入金に供される貨幣の金額のうちの端数額を電子貨幣価値の大きさに変換するものである。この第２実施形態に係る遊技用システム１は、第１実施形態と比較して、システムコントローラ５０における記憶内容と、玉貸ユニット２０及び入金精算装置３０の機能のみが異なり、その他の点は同様である。以下、第２実施形態に係る遊技用システム１の構成について、第１実施形態と異なる点についてのみ説明する。
【０１３３】
前述の如く、第２実施形態においては、入金に供される貨幣の金額のうちの端数額が電子貨幣価値の大きさに変換されるので、第２実施形態における遊技用価値の大きさには、端数額が含まれず、換言すれば、第２実施形態における遊技用価値の大きさは、消費税込みの１度数に相当する１０５円の倍数に限られる。従って、第２実施形態に係るシステムコントローラ５０において記憶されている残額も、図１に示すように、当該１０５円の倍数に限られる。
【０１３４】
第２実施形態に係る玉貸ユニット２０の構成要素は、図１及び図３に示すように、第１実施形態と同様であるが、制御部２２の機能，及びディスプレイ２７の表示内容が、第１実施形態と異なる。
【０１３５】
ここで制御部２２は端数額特定処理手段の一例であって、パチンコ機１０での遊技に使用される予め定められた一単位の遊技用価値の大きさである単位使用価値の大きさ（ここでは１００円）と当該単位使用価値の大きさに対応する消費税（ここでは５円）との合算額（即ち１０５円）を減算していったときに生じる該合算額未満の端数額を前記貨幣受付手段（紙幣識別機２３，硬貨識別機２４）により受け付けた貨幣（紙幣２，硬貨３）の金額から特定するための端数額特定処理を行うものである。具体的には、例えば紙幣識別機２３により10000円紙幣を受け付けた場合には、該１００００円から１０５円を順次減算していくと該１０５円未満の２５円が余るので、該２５円が端数額と特定される。なお端数額特定処理手段として機能する制御部２２は、前記端数額を入金に供される電子マネー残額から特定するための端数額特定処理も行う。
【０１３６】
また制御部２２は電子貨幣価値変換処理手段の一例であって、前記端数額特定処理手段により特定された端数額を電子貨幣価値の大きさに変換するための電子貨幣価値変換処理を行うものである。
【０１３７】
また制御部２２は電子貨幣価値加算更新処理手段の一例であって、前記電子貨幣価値変換処理手段により変換された電子貨幣価値の大きさ（即ち前記端数額に相当する電子貨幣価値の大きさ）を、電子マネーカードＲ／Ｗ２６により受け付けた電子マネーカード５に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、前記提供機関指定受付手段（タッチパネル式のディスプレイ２７）により指定を受け付けた電子マネー会社８（キャリア）の電子貨幣価値特定情報から特定される電子マネー残額に対して加算更新するための電子貨幣価値加算更新処理を行う。具体的には、前記電子貨幣価値変換処理手段により変換された前記端数額に相当する電子貨幣価値の大きさを、後述する図１２のＤ２０１で選択されたキャリアの電子マネー残額に対して加算更新する。
【０１３８】
なお制御部２２は、第１実施形態と同様に、前記減算処理手段，及び前記遊技用価値変換処理手段として機能する。
【０１３９】
また玉貸ユニット２０は遊技使用処理手段の一例であって、前記貨幣受付手段により受け付けた貨幣の金額から前記端数額特定処理手段により特定された端数額を除く金額に相当する遊技用価値の大きさの範囲内における所定の大きさの遊技用価値を前記パチンコ機１０での遊技に使用させるための遊技使用処理（玉貸処理）を行うものであり、該遊技使用処理は、制御部２２により行われる。なお制御部２２は、入金に供された電子マネー残額から前記端数額特定処理手段により特定された端数額を除く金額に相当する遊技用価値の大きさの範囲内における所定の大きさの遊技用価値を前記パチンコ機１０での遊技に使用させるための遊技使用処理も行う。
【０１４０】
ここで図１２及び図１３を参照して、ディスプレイ２７の表示内容について説明する。
【０１４１】
まず、電子マネーカードＲ／Ｗ２６により電子マネーカード５を受け付けると、該受け付けた電子マネーカード５に記録されているＸ社電子マネー残額とＹ社電子マネー残額の照合の後、Ｄ２０１で、当該Ｘ社電子マネー残額とＹ社電子マネー残額が表示されると共に、端数額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２０１の状態におけるタッチパネル式のディスプレイ２７は、前記提供機関指定受付手段として機能する。このＤ２０１の状態で、いずれかのキャリア選択ボタン（ここでは「Ｘ社電子マネー残額」ボタン）が押下されて端数額を返却するキャリアが選択されると、Ｄ２０２で、該選択されたキャリアの電子マネー残額が表示されると共に、貨幣又は精算カード４の挿入を促す旨が表示される。
【０１４２】
このＤ２０２の状態で、貨幣受付手段により貨幣を受け付けると（ここでは紙幣識別機２３により10000円紙幣を受け付けると）、前記端数額の特定が行われて、受付金額から該端数額を除く金額がユニット残額として制御部２２のＲＡＭに記憶されると共に、該特定された端数額が電子貨幣価値の大きさに変換されて、該変換された電子貨幣価値の大きさがＤ２０１で選択されたキャリアの電子マネー残額に対して加算更新され、Ｄ２０３で、該ユニット残額，及び更新後の電子マネー残額が表示されると共に、Ｄ２０１で選択されたキャリアの電子マネー残額に端数額を返却した旨（ここではＸ社電子マネー残額に２５円を返却した旨），受付金額から端数額を除く金額を入金した旨（ここでは１００００円から２５円を除く９９７５円を入金した旨），及び玉貸可能状態である旨が表示される。
【０１４３】
このＤ２０３の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のユニット残額が零でない場合には、Ｄ２０４で、該ユニット残額（ここでは９４７５円），及び前記電子マネー残額が表示されると共に、ユニット残額から該５２５円を減算した旨，及び玉貸可能状態である旨が表示される。一方、該減算処理により使用金額＋消費税（ここでは５２５円）が減算更新された後のユニット残額が零である場合には、Ｄ２０５で、ユニット残額（ここでは０円），及び前記電子マネー残額が表示されると共に、残額不足である旨，及び貨幣の挿入又は画面に表示された「電子マネー入金」ボタンの押下を促す旨が表示される。
【０１４４】
このＤ２０５の状態で、貨幣受付手段により貨幣を受け付けると、前記端数額の特定が行われて、受付金額から該端数額を除く金額がユニット残額として制御部２２のＲＡＭに記憶されると共に、該特定された端数額が電子貨幣価値の大きさに変換されて、該変換された電子貨幣価値の大きさがＤ２０１で選択されたキャリアの電子マネー残額に対して加算更新され、Ｄ２０３に戻る。またＤ２０５の状態で、「電子マネー入金」ボタンが押下されて電子マネー入金操作を受け付けると、後述するＤ２２１に進む。なおＤ２０１〜Ｄ２０５の状態で、画面に表示された「終了」ボタンが押下されて終了操作を受け付けると、ユニット残額が零でない場合には、受け付けている電子マネーカード５が排出されると共に、入金ＩＤ及びユニット残額（＝カード残額）を記録した精算カード４が排出され、ユニット残額が零である場合には、受け付けている電子マネーカード５が排出される。
【０１４５】
一方、前記Ｄ２０２の状態で、精算カードＲ／Ｗ２５により精算カード４を受け付けると、該受け付けた精算カード４に記録されているカード残額の照合の後、Ｄ２１１で、当該カード残額（ここでは１０５０円），及び前記電子マネー残額が表示されると共に、玉貸可能状態である旨が表示される。
【０１４６】
このＤ２１１の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のカード残額が零でない場合には、Ｄ２１２で、該カード残額（ここでは５２５円），及び前記電子マネー残額が表示されると共に、カード残額から該５２５円を減算した旨，及び玉貸可能状態である旨が表示される。一方、該減算処理により使用金額＋消費税（ここでは５２５円）が減算更新された後のカード残額が零である場合には、Ｄ２１３で、カード残額（ここでは０円），及び前記電子マネー残額が表示されると共に、残額不足である旨，及び貨幣の挿入又は画面に表示された「電子マネー入金」ボタンの押下を促す旨が表示される。
【０１４７】
このＤ２１３の状態で、貨幣受付手段により貨幣を受け付けると、前記端数額の特定が行われて、受付金額から該端数額を除く金額がカード残額として前記受け付けている精算カード４に記録されると共に、該特定された端数額が電子貨幣価値の大きさに変換されて、該変換された電子貨幣価値の大きさがＤ２０１で選択されたキャリアの電子マネー残額に対して加算更新され、Ｄ２１１に戻る。このＤ２１１では、前述した表示内容に加えて、Ｄ２０１で選択されたキャリアの電子マネー残額に端数額を返却した旨，及び受付金額から端数額を除く金額を入金した旨が表示される。またＤ２１３の状態で、「電子マネー入金」ボタンが押下されて電子マネー入金操作を受け付けると、後述するＤ２２１に進む。なおＤ２１１〜Ｄ２１３の状態で、画面に表示された「終了」ボタンが押下されて終了操作を受け付けると、カード残額が零でない場合には、受け付けている精算カード４と電子マネーカード５が排出され、カード残額が零である場合には、受け付けている電子マネーカード５が排出される一方、受け付けている精算カード４は精算カードストッカ２５ｂに回収される。
【０１４８】
Ｄ２０５又はＤ２１３の状態で、「電子マネー入金」ボタンが押下されて電子マネー入金操作を受け付けると、Ｄ２２１で、前記ユニット残額又はカード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２２１の状態におけるタッチパネル式のディスプレイ２７は、前記提供機関指定受付手段として機能する。
【０１４９】
このＤ２２１の状態で、いずれかのキャリア選択ボタン（ここでは「Ｘ社電子マネー残額」ボタン）が押下されて入金に使用するキャリアが選択されると、Ｄ２２２で、前記ユニット残額又はカード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示され、かつ自動入金をするか否かの選択を促す旨，並びに該選択するための自動入金選択ボタン（ここでは「はい」ボタン，及び「いいえ」ボタン）が表示される。
【０１５０】
このＤ２２２の状態で、いずれかの入金金額選択ボタン（ここでは「３０００円」ボタン）が押下されて入金金額が選択され、かついずれかの自動入金選択ボタンが押下されると、前記端数額（ここでは６０円）の特定が行われて、入金金額から該端数額を除く金額（ここでは２９４０円）が、ユニット残額として制御部２２のＲＡＭに記録されるか，又はカード残額として前記受け付けている精算カード４に記録されると共に、Ｄ２２１で選択されたキャリアの電子マネー残額から、入金金額から端数額を除く金額が減算更新される。そしてＤ２２３で、ユニット残額又はカード残額，及び更新後の電子マネー残額が表示されると共に、当該キャリアの電子マネー残額から端数額を除く金額を入金した旨（ここではＸ社電子マネー残額から端数額６０円を除く２９４０円を入金した旨），及び玉貸可能状態である旨が表示される。
【０１５１】
このＤ２２３の状態で、玉貸ボタン１５が押下されて玉貸操作を受け付けると、前記玉貸処理及び前記減算処理が行われる。そして該玉貸処理及び減算処理が継続して行われていくと、Ｄ２２４に示すように、ユニット残額又はカード残額が、次回の減算処理によって前記予め定められた遊技用価値の大きさである１０００円未満になる状態（即ち残額が１０００円以上１５２５円未満の状態）となる。このＤ２２４の状態で、玉貸ボタン１５が押下されて玉貸操作を受け付けると、前記玉貸処理及び前記減算処理が行われ、前記Ｄ２２２で「いいえ」ボタンが押下されて自動入金が選択されていない自動入金ＯＦＦの場合にはＤ２２５に進み、前記Ｄ２２２で「はい」ボタンが押下されて自動入金が選択されている自動入金ＯＮの場合にはＤ２２６に進む。
【０１５２】
自動入金ＯＦＦの場合には、Ｄ２２５で、前記減算処理により使用金額＋消費税（ここでは５２５円）が減算更新された後のユニット残額又はカード残額（ここでは８４０円），及び前記電子マネー残額が表示されると共に、ユニット残額又はカード残額から該５２５円を減算した旨，及び玉貸可能状態である旨が表示される。このＤ２２５の状態で、玉貸ボタン１５が押下されて玉貸操作を受け付けると、前記玉貸処理及び前記減算処理が行われる。そして該玉貸処理及び減算処理が継続して行われていった結果、該減算処理により使用金額＋消費税が減算更新された後のユニット残額又はカード残額が零となった場合には、Ｄ２２１に戻る。
【０１５３】
自動入金ＯＮの場合には、前記減算処理により使用金額＋消費税（ここでは５２５円）がユニット残額又はカード残額から減算更新され、前記加算更新処理によりＤ２２１で選択されたキャリアの電子マネー残額のうちの前記予め定められた電子貨幣価値の大きさであるＤ２２２で選択された金額（ここでは３０００円）に基づいて、前記端数額（ここでは６０円）の特定が行われ、入金金額から該端数額を除く金額（ここでは２９４０円）が遊技用価値の大きさに変換されて、制御部２２のＲＡＭに記憶されているユニット残額又は精算カードＲ／Ｗ２５により受け付けている精算カード４に記録されているカード残額に加算更新される一方（即ち１３６５円−５２５円＋２９４０円＝３７８０円）、Ｄ２２１で選択されたキャリアの電子マネー残額から、Ｄ２２２で選択された金額から端数額を除く金額が減算更新され、Ｄ２２６で、更新後のユニット残額又はカード残額，及び電子マネー残額が表示されると共に、ユニット残額又はカード残額から該５２５円を減算した旨，Ｄ２２１で選択されたキャリアの電子マネー残額から端数額を除く金額を自動入金した旨（ここではＸ社電子マネー残額から端数額６０円を除く２９４０円を自動入金した旨），及び玉貸可能状態である旨が表示される。
【０１５４】
第２実施形態に係る入金精算装置３０の構成要素は、図１及び図５に示すように、第１実施形態と同様であるが、制御部３２の機能，ディスプレイ３７の機能，及びディスプレイ３７の表示内容が、第１実施形態と異なる。
【０１５５】
ここで制御部３２は端数額特定処理手段の一例であって、パチンコ機１０での遊技に使用される予め定められた一単位の遊技用価値の大きさである単位使用価値の大きさ（ここでは１００円）と当該単位使用価値の大きさに対応する消費税（ここでは５円）との合算額（即ち１０５円）を減算していったときに生じる該合算額未満の端数額を前記貨幣受付手段（紙幣識別機３３，硬貨識別機３４）により受け付けた貨幣（紙幣２，硬貨３）の金額から特定するための端数額特定処理を行うものである。具体的には、例えば紙幣識別機３３により10000円紙幣を受け付けた場合には、該１００００円から１０５円を順次減算していくと該１０５円未満の２５円が余るので、該２５円が端数額と特定される。なお端数額特定処理手段として機能する制御部３２は、前記端数額を入金に供される電子マネー残額から特定するための端数額特定処理も行う。
【０１５６】
また制御部３２は電子貨幣価値変換処理手段の一例であって、前記端数額特定処理手段により特定された端数額を電子貨幣価値の大きさに変換するための電子貨幣価値変換処理を行うものである。
【０１５７】
また制御部３２は電子貨幣価値加算更新処理手段の一例であって、前記電子貨幣価値変換処理手段により変換された電子貨幣価値の大きさ（即ち前記端数額に相当する電子貨幣価値の大きさ）を、電子マネーカードＲ／Ｗ３６により受け付けた電子マネーカード５に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、前記提供機関指定受付手段（タッチパネル式のディスプレイ３７）により指定を受け付けた電子マネー会社８（キャリア）の電子貨幣価値特定情報から特定される電子マネー残額に対して加算更新するための電子貨幣価値加算更新処理を行う。具体的には、前記電子貨幣価値変換処理手段により変換された前記端数額に相当する電子貨幣価値の大きさを、後述する図１４のＤ２５２で選択されたキャリアの電子マネー残額に対して加算更新する。
【０１５８】
なお第２実施形態に係る制御部３２は、第１実施形態と同様に、前記遊技用価値変換処理手段として機能する。
【０１５９】
ここで図１４及び図１５を参照して、ディスプレイ３７の表示内容について説明する。なお第２実施形態に係るディスプレイ３７は、第１実施形態と同様に、提供機関指定受付手段として機能するが、第１実施形態とは異なり、変換価値指定受付手段としては機能しない。
【０１６０】
まずディスプレイ３７では、Ｄ２５０で、精算カード４と電子マネーカード５の挿入を促す旨が表示される。このＤ２５０の状態で、精算カードＲ／Ｗ３５により精算カード４を受け付けると共に、電子マネーカードＲ／Ｗ３６により電子マネーカード５を受け付けると、該受け付けた精算カード４に記録されているカード残額と、該受け付けた電子マネーカード５に記録されているＸ社電子マネー残額とＹ社電子マネー残額の照合の後、Ｄ２５１で、当該カード残額（ここでは１０５０円），及び当該Ｘ社電子マネー残額とＹ社電子マネー残額が表示されると共に、入金モード又は精算モードの選択を促す旨，並びに該選択をするためのモード選択ボタンである「入金」ボタン，及び「精算」ボタンが表示される。
【０１６１】
このＤ２５１の状態で、「入金」ボタンが押下されると、入金モードになり、Ｄ２５２で、前記カード残額，及び前記電子マネー残額が表示されると共に、端数額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２５２の状態におけるタッチパネル式のディスプレイ３７は、前記提供機関指定受付手段として機能する。
【０１６２】
このＤ２５２の状態で、いずれかのキャリア選択ボタン（ここでは「Ｘ社電子マネー残額」ボタン）が押下されて端数額を返却するキャリアが選択されると、Ｄ２５３で、前記カード残額，及び該選択されたキャリアの電子マネー残額が表示されると共に、貨幣の挿入又は画面に表示された「電子マネー入金」ボタンの押下を促す旨が表示される。
【０１６３】
このＤ２５３の状態で、貨幣受付手段により貨幣を受け付けると、前記端数額の特定が行われて、受付金額から該端数額を除く金額が前記受け付けている精算カード４に記録されているカード残額に対して加算更新されて該精算カード４が排出されると共に、該特定された端数額が電子貨幣価値の大きさに変換されて、該変換された電子貨幣価値の大きさがＤ２５２で選択されたキャリアの電子マネー残額に対して加算更新されて電子マネーカード５が排出され、Ｄ２５４で、更新後のカード残額，及び電子マネー残額が表示されると共に、Ｄ２５２で選択されたキャリアの電子マネー残額に端数額を返却した旨（ここではＸ社電子マネー残額に２５円を返却した旨），受付金額から端数額を除く金額を入金した旨（ここでは１００００円から２５円を除く９９７５円を入金した旨），及び精算カード４と電子マネーカード５の取り出しを促す旨が表示される。そして精算カード４と電子マネーカード５が取り出されると、Ｄ２５０に戻る。
【０１６４】
またＤ２５３の状態で、「電子マネー入金」ボタンが押下されて電子マネー入金操作を受け付けると、Ｄ２６１で、前記カード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２６１の状態におけるタッチパネル式のディスプレイ３７は、前記提供機関指定受付手段として機能する。
【０１６５】
このＤ２６１の状態で、いずれかのキャリア選択ボタン（ここでは「Ｘ社電子マネー残額」ボタン）が押下されて入金に使用するキャリアが選択されると、Ｄ２６２で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示される。
【０１６６】
このＤ２６２の状態で、いずれかの入金金額選択ボタン（ここでは「３０００円」ボタン）が押下されて入金金額が選択されると、前記端数額（ここでは６０円）の特定が行われて、入金金額から該端数額を除く金額（ここでは２９４０円）が、前記受け付けている精算カード４に記録されているカード残額に対して加算更新されて該精算カード４が排出されると共に、Ｄ２６１で選択されたキャリアの電子マネー残額から、入金金額から端数額を除く金額が減算更新されて、電子マネーカード５が排出される。そしてＤ２６３で、更新後のカード残額，及び電子マネー残額が表示されると共に、Ｄ２６１で選択されたキャリアの電子マネー残額から端数額を除く金額を入金した旨（ここではＸ社電子マネー残額から端数額６０円を除く２９４０円を入金した旨），及び精算カード４と電子マネーカード５の取り出しを促す旨が表示される。そして精算カード４と電子マネーカード５が取り出されると、Ｄ２５０に戻る。
【０１６７】
一方、前記Ｄ２５１の状態で、「精算」ボタンが押下されると、精算モードになり、Ｄ２７１で、前記カード残額，及び前記電子マネー残額が表示されると共に、カード残額の返却方法の選択を促す旨，並びに該選択をするための返却方法選択ボタンである「貨幣を返却」ボタン，及び「電子マネーに返却」ボタンが表示される。
【０１６８】
このＤ２７１の状態で、「貨幣を返却」ボタンが操作されると、貨幣返却モードになり、Ｄ２７２で、前記カード残額が表示されると共に、貨幣での返却金額の指定を促す旨，及び該指定をするためのテンキーが表示される。なお入金精算装置３０では、前述の如く、１００円未満の小金種の貨幣の払い出しは行われないので、貨幣での返却金額として１００円未満を含む金額は指定できない。
【０１６９】
このＤ２７２の状態で、カード残額に１００円未満の金額が含まれず、かつ該カード残額の全額が貨幣での返却金額として指定されて「決定」ボタンが押下されると、該返却金額に相当する貨幣が払い出されて返却されると共に、該返却金額が精算カードＲ／Ｗ３５により受け付けている精算カード４に記録されているカード残額から減算更新されてカード残額が零になって該精算カード４が精算カード回収部３５ｂに回収され、Ｄ２７３で、更新後のカード残額（即ち０円）が表示されると共に、前記指定された金額（即ちカード残額の全額）の貨幣を返却した旨，及び精算カード４を回収した旨が表示される。そして所定時間の経過後に、Ｄ２５０に戻る。またＤ２７２の状態で、カード残額の一部が貨幣での返却金額として指定されて「決定」ボタンが押下されると、Ｄ２８２に進む、
【０１７０】
一方、Ｄ２７１の状態で、「電子マネーに返却」ボタンが操作されると、電子マネー返却モードになり、Ｄ２８２で、前記カード残額，及び前記電子マネー残額が表示されると共に、カード残額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２８２の状態におけるタッチパネル式のディスプレイ３７は、前記提供機関指定受付手段として機能する。
【０１７１】
このＤ２８２の状態で、いずれかのキャリア選択ボタン（ここでは「Ｘ社電子マネー残額」ボタン）が押下されてカード残額を返却するキャリアが選択されると、前記Ｄ２７２で返却金額が指定されている場合には、該返却金額に相当する貨幣が払い出されて返却され、カード残額の全額が精算カードＲ／Ｗ３５により受け付けている精算カード４に記録されているカード残額から減算更新されてカード残額が零になって該精算カード４が精算カード回収部３５ｂに回収され、カード残額の全額（又は前記Ｄ２７２で返却金額が指定されている場合には、カード残額から該返却金額を除いた金額）が電子貨幣価値の大きさに変換されて、Ｄ２８２で選択されたキャリアの電子マネー残額に対して加算更新されて電子マネーカード５が排出され、Ｄ２８４で、更新後のカード残額（即ち０円），及び電子マネー残額が表示されると共に、前記Ｄ２７２で返却金額が指定されている場合には該指定された返却金額の貨幣を返却した旨，前記Ｄ２８２で選択されたキャリアの電子マネー残額に前記変換された電子貨幣価値の大きさを返却した旨，電子マネーカード５の取り出しを促す旨，及び精算カード４を回収した旨が表示される。そして電子マネーカード５が取り出されると、Ｄ２５０に戻る。
【０１７２】
次に、図１６〜図１９を参照して、第２実施形態に係る遊技用システム１の作用について説明する。
【０１７３】
まず図１６及び図１７は、第２実施形態に係る玉貸ユニット２０における処理の一例を表すフローチャートである。この玉貸ユニット２０は、電子マネーカードＲ／Ｗ２６により電子マネーカード５を受け付けると（Ｓ３０１）、該受け付けた電子マネーカード５に記録されている各キャリアの電子マネーＩＤと電子マネー残額を各キャリアの電子マネー端末６０に対して送信する（Ｓ３０２）。該電子マネー端末６０は、玉貸ユニット２０から送信されてきた電子マネーＩＤと電子マネー残額を受信して、当該キャリアの電子マネー管理サーバ８ａに対して送信する（Ｓ３０３）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ３０４）、前記電子マネーＩＤと電子マネー残額の送信元である玉貸ユニット２０に対して送信する（Ｓ３０５）。該照合ＯＫ通知を受信した玉貸ユニット２０は、前記受け付けた電子マネーカード５に記録されている各キャリアの電子マネー残額をディスプレイ２７に表示し（Ｓ３０６）、前記図１２のＤ２０１に示すように端数額を返却するキャリアの選択を受け付ける（Ｓ３０７）。
【０１７４】
この玉貸ユニット２０は、貨幣受付手段により貨幣を受け付けると（Ｓ３１１）、前記受付金額に基づいて端数額を特定し（Ｓ３１２）、該受付金額−端数額をシステムコントローラ５０に対して送信する（Ｓ３１３）。該受付金額−端数額を受信したシステムコントローラ５０は、入金ＩＤを生成し（Ｓ３１４）、該生成した入金ＩＤと対応付けて、前記受信した受付金額−端数額を残額として記憶し（Ｓ３１５）、該生成した入金ＩＤを前記受付金額−端数額の送信元である玉貸ユニット２０に対して送信する（Ｓ３１６）。該入金ＩＤを受信した玉貸ユニット２０は、該受信した入金ＩＤと対応付けて、前記受付金額−端数額をユニット残額として制御部２２のＲＡＭに記憶する（Ｓ３１７）。
【０１７５】
そして端数額を電子貨幣価値の大きさに変換して、前記図１２のＤ２０１で選択されたキャリアの電子マネー残額に加算更新し（Ｓ３１８）、当該キャリアの電子マネーＩＤと加算更新後の電子マネー残額を当該キャリアの電子マネー端末６０に対して送信する（Ｓ３１９）。該電子マネー端末６０は、玉貸ユニット２０から送信されてきた電子マネーＩＤと加算更新後の電子マネー残額を受信して、当該キャリアの電子マネー管理サーバ８ａに対して送信する（Ｓ３２０）。該電子マネーＩＤと加算更新後の電子マネー残額を受信した電子マネー管理サーバ８ａは、該受信した加算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ３２１）、前記電子マネーＩＤと加算更新後の電子マネー残額の送信元である玉貸ユニット２０に対して送信する（Ｓ３２２）。該更新完了通知を受信した玉貸ユニット２０は、更新後のユニット残額，及び電子マネー残額をディスプレイ２７に表示して（Ｓ３２３）、玉貸可能状態となる（Ｓ３２４）。
【０１７６】
この玉貸可能状態で、玉貸ボタン１５が押下されて玉貸操作を受け付けると（Ｓ３２５）、制御部２２によりユニット残額を使用した玉貸処理を行うと共に、減算処理手段である制御部２２により前記使用金額と該使用金額に対応する消費税をユニット残額から減算更新する減算処理を行い（Ｓ３２６）、制御部２２のＲＡＭに記憶されている入金ＩＤと前記使用金額＋消費税をシステムコントローラ５０に対して送信する（Ｓ３２７）。該入金ＩＤと使用金額＋消費税を受信したシステムコントローラ５０は、該受信した使用金額＋消費税を、該受信した入金ＩＤと対応付けて記憶している残額から減算更新し（Ｓ３２８）、減算完了通知を前記入金ＩＤと使用金額＋消費税の送信元である玉貸ユニット２０に対して送信する（Ｓ３２９）。
【０１７７】
該減算完了通知を受信した玉貸ユニット２０は、減算更新後のユニット残額が零であるか否かを判定する（Ｓ３３０）。このＳ３３０でユニット残額が零であると判定された場合には、前記Ｓ３２３に戻る。一方、Ｓ３３０でユニット残額が零であると判定された場合には、貨幣の受付，電子マネー入金操作，又は終了操作を待機する（Ｓ３３１）。このＳ３３１で貨幣を受け付けた場合には、前記Ｓ３１２に戻る。またＳ３３１で電子マネー入金操作があった場合には、後述するＳ３５１に進む。またＳ３３１で終了操作があった場合には、前記受け付けている電子マネーカード５を排出する（Ｓ３３２）。
【０１７８】
また玉貸ユニット２０は、精算カードＲ／Ｗ２５により精算カード４を受け付けると（Ｓ３４１）、該受け付けた精算カード４に記録されている入金ＩＤとカード残額をシステムコントローラ５０に対して送信する（Ｓ３４２）。該入金ＩＤとカード残額を受信したシステムコントローラ５０は、該受信したカード残額と、該受信した入金ＩＤと対応付けて記憶している残額との照合を行い（Ｓ３４３）、照合ＯＫならば、照合ＯＫ通知を前記入金ＩＤとカード残額の送信元である玉貸ユニット２０に対して送信する（Ｓ３４４）。該照合ＯＫ通知を受信した玉貸ユニット２０は、前記受け付けた精算カード４に記録されているカード残額をディスプレイ２７に表示して（Ｓ３４５）、玉貸可能状態となる（Ｓ３４６）。そして前記Ｓ３２５〜Ｓ３３２の処理が行われる（ただしユニット残額はカード残額と読み替える）。
【０１７９】
また玉貸ユニット２０は、電子マネー入金操作があり（Ｓ３５１）、前記図１３のＤ２２１に示すように入金に使用するキャリアの選択を受け付けると共に、前記図１３のＤ２２２に示すように入金金額の選択を受け付けると（Ｓ３５２）、該入金金額に基づいて端数額を特定し（Ｓ３５３）、該入金金額−端数額をシステムコントローラ５０に対して送信する（Ｓ３５４）。該入金金額−端数額を受信したシステムコントローラ５０は、入金ＩＤを生成し（Ｓ３５５）、該生成した入金ＩＤと対応付けて、前記受信した入金金額−端数額を残額として記憶し（Ｓ３５６）、該生成した入金ＩＤを前記入金金額−端数額の送信元である玉貸ユニット２０に対して送信する（Ｓ３５７）。該入金ＩＤを受信した玉貸ユニット２０は、該受信した入金ＩＤと対応付けて、前記入金金額−端数額を、ユニット残額として制御部２２のＲＡＭに記憶するか，又はカード残額として前記受け付けている精算カード４に記録する（Ｓ３５８）。
【０１８０】
そして前記図１３のＤ２２１で選択されたキャリアの電子マネー残額から、前記入金金額から端数額を除く金額を減算更新し（Ｓ３５９）、当該キャリアの電子マネーＩＤと減算更新後の電子マネー残額を当該キャリアの電子マネー端末６０に対して送信する（Ｓ３６０）。該電子マネー端末６０は、玉貸ユニット２０から送信されてきた電子マネーＩＤと減算更新後の電子マネー残額を受信して、当該キャリアの電子マネー管理サーバ８ａに対して送信する（Ｓ３６１）。該電子マネーＩＤと減算更新後の電子マネー残額を受信した電子マネー管理サーバ８ａは、該受信した減算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ３６２）、前記電子マネーＩＤと減算更新後の電子マネー残額の送信元である玉貸ユニット２０に対して送信する（Ｓ３６３）。該更新完了通知を受信した玉貸ユニット２０は、更新後のユニット残額又はカード残額，及び電子マネー残額をディスプレイ２７に表示する（Ｓ３６４）。
【０１８１】
このように、遊技用価値変換処理手段により、遊技者が所有する電子マネーカード５に記録されている電子貨幣価値特定情報から特定される電子マネー残額が遊技用価値の大きさに変換されることによって、遊技者が貨幣を所有していない場合であっても、電子マネー残額で入金することができるので、遊技者の利便性が向上する。しかも遊技用価値変換処理手段により、遊技者が指定したキャリアの電子貨幣価値特定情報から特定される電子マネー残額が遊技用価値の大きさに変換されることによって、遊技者が複数のキャリアと契約している場合であっても、希望するキャリアの電子マネー残額で入金することができるので、遊技者の利便性が向上する。
【０１８２】
また玉貸ユニット２０は、精算カードＲ／Ｗ２５により精算カード４を受け付けていない場合には、前記Ｓ３２４〜Ｓ３２９の処理を行った後、また精算カードＲ／Ｗ２５により精算カード４を受け付けている場合には、前記Ｓ３４６，及びＳ３２５〜〜Ｓ３２９の処理を行った後に、ユニット残額又はカード残額が予め定められた遊技用価値の大きさである１０００円未満であるか否かを判定する（Ｓ３６５）。このＳ３６５で残額が１０００円以上であると判定された場合には、前記Ｓ３２３又は前記Ｓ３４５に戻る。一方、Ｓ３６５で残額が１０００円未満であると判定された場合には、自動入金ＯＮであるか自動入金ＯＦＦであるかの判定を行う（Ｓ３６６）。
【０１８３】
このＳ３６６で自動入金ＯＦＦである、即ち前記図１３のＤ２２２で「いいえ」ボタンが押下されて自動入金が選択されていないと判定された場合には、前記Ｓ３３０に戻る。一方、Ｓ３６６で自動入金ＯＮである、即ち前記図１３のＤ２２２で「はい」ボタンが押下されて自動入金が選択されていると判定された場合には、遊技者から入金操作を受け付けることなく、前記Ｓ３５３〜Ｓ３６４の処理（即ち自動入金処理）を行う。
【０１８４】
このように、ユニット残額又はカード残額が減算処理の後に予め定められた遊技用価値の大きさ未満となったことを条件として、遊技用価値変換処理手段により、遊技者が所有する電子マネーカード５に記録されている電子貨幣価値特定情報から特定される電子マネー残額が遊技用価値の大きさに変換されることによって、該ユニット残額又はカード残額が少なくなった場合であっても、遊技者から入金操作を受け付けることなく自動的に電子マネー残額で入金されるので、遊技者の利便性が向上する。
【０１８５】
次に図１８及び図１９は、第２実施形態に係る入金精算装置３０における処理の一例を表すフローチャートである。この入金精算装置３０は、精算カードＲ／Ｗ３５により精算カード４を受け付けると共に、電子マネーカードＲ／Ｗ３６により電子マネーカード５を受け付ける（Ｓ４０１）。そしてＳ４０１で精算カード４を受け付けたことに基づいて、該受け付けた精算カード４に記録されている入金ＩＤとカード残額をシステムコントローラ５０に対して送信する（Ｓ４０２）。該入金ＩＤとカード残額を受信したシステムコントローラ５０は、該受信したカード残額と、該受信した入金ＩＤと対応付けて記憶している残額との照合を行い（Ｓ４０３）、照合ＯＫならば、照合ＯＫ通知を前記入金ＩＤとカード残額の送信元である入金精算装置３０に対して送信する（Ｓ４０４）。
【０１８６】
またＳ４０１で電子マネーカード５を受け付けたことに基づいて、該受け付けた電子マネーカード５に記録されている各キャリアの電子マネーＩＤと電子マネー残額を各キャリアの電子マネー端末６０に対して送信する（Ｓ４０５）。該電子マネー端末６０は、入金精算装置３０から送信されてきた電子マネーＩＤと電子マネー残額を受信して、当該キャリアの電子マネー管理サーバ８ａに対して送信する（Ｓ４０６）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ４０７）、前記電子マネーＩＤと電子マネー残額の送信元である入金精算装置３０に対して送信する（Ｓ４０８）。前記Ｓ４０４及び該Ｓ４０８の照合ＯＫ通知を受信した入金精算装置３０は、前記受け付けた精算カード４に記録されているカード残額，及び前記受け付けた電子マネーカード５に記録されている各キャリアの電子マネー残額をディスプレイ３７に表示し（Ｓ４０９）、入金モード又は精算モードの選択を待機する（Ｓ４１０）。
【０１８７】
この入金精算装置３０は、前記図１４のＤ２５１で「入金」ボタンが押下されると、入金モードになり（Ｓ４１１）、前記図１４のＤ２５２に示すように端数額を返却するキャリアの選択を受け付けると（Ｓ４１２）、貨幣の受付，又は電子マネー入金操作を待機する（Ｓ４１３）。
【０１８８】
この入金精算装置３０は、貨幣受付手段により貨幣を受け付けると（Ｓ４２１）、前記受付金額に基づいて端数額を特定し（Ｓ４２２）、該受付金額−端数額をシステムコントローラ５０に対して送信する（Ｓ４２３）。該受付金額−端数額を受信したシステムコントローラ５０は、入金ＩＤを生成し（Ｓ４２４）、該生成した入金ＩＤと対応付けて、前記受信した受付金額−端数額を残額として記憶し（Ｓ４２５）、該生成した入金ＩＤを前記受付金額−端数額の送信元である入金精算装置３０に対して送信する（Ｓ４２６）。該入金ＩＤを受信した入金精算装置３０は、該受信した入金ＩＤと対応付けて、前記受付金額−端数額をカード残額として前記受け付けている精算カード４に記録する（Ｓ４２７）。
【０１８９】
そして端数額を電子貨幣価値の大きさに変換して、前記図１４のＤ２５２で選択されたキャリアの電子マネー残額に加算更新し（Ｓ４２８）、当該キャリアの電子マネーＩＤと加算更新後の電子マネー残額を当該キャリアの電子マネー端末６０に対して送信する（Ｓ４２９）。該電子マネー端末６０は、入金精算装置３０から送信されてきた電子マネーＩＤと加算更新後の電子マネー残額を受信して、当該キャリアの電子マネー管理サーバ８ａに対して送信する（Ｓ４３０）。該電子マネーＩＤと加算更新後の電子マネー残額を受信した電子マネー管理サーバ８ａは、該受信した加算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ４３１）、前記電子マネーＩＤと加算更新後の電子マネー残額の送信元である入金精算装置３０に対して送信する（Ｓ４３２）。該更新完了通知を受信した入金精算装置３０は、更新後のユニット残額，及び電子マネー残額をディスプレイ３７に表示し、前記受け付けている精算カード４と電子マネーカード５を排出する（Ｓ４３３）。
【０１９０】
また入金精算装置３０は、電子マネー入金操作があり（Ｓ４４１）、前記図１４のＤ２６１に示すように入金に使用するキャリアの選択を受け付けると共に、前記図１４のＤ２６２に示すように入金金額の選択を受け付けると（Ｓ４４２）、該入金金額に基づいて端数額を特定し（Ｓ４４３）、該入金金額−端数額をシステムコントローラ５０に対して送信する（Ｓ４４４）。該入金金額−端数額を受信したシステムコントローラ５０は、入金ＩＤを生成し（Ｓ４４５）、該生成した入金ＩＤと対応付けて、前記受信した入金金額−端数額を残額として記憶し（Ｓ４４６）、該生成した入金ＩＤを前記入金金額−端数額の送信元である入金精算装置３０に対して送信する（Ｓ４４７）。該入金ＩＤを受信した入金精算装置３０は、該受信した入金ＩＤと対応付けて、前記入金金額−端数額をカード残額として前記受け付けている精算カード４に記録する（Ｓ４４８）。
【０１９１】
そして前記図１４のＤ２６１で選択されたキャリアの電子マネー残額から、前記入金金額から端数額を除く金額を減算更新し（Ｓ４４９）、当該キャリアの電子マネーＩＤと減算更新後の電子マネー残額を当該キャリアの電子マネー端末６０に対して送信する（Ｓ４５０）。該電子マネー端末６０は、入金精算装置３０から送信されてきた電子マネーＩＤと減算更新後の電子マネー残額を受信して、当該キャリアの電子マネー管理サーバ８ａに対して送信する（Ｓ４５１）。該電子マネーＩＤと減算更新後の電子マネー残額を受信した電子マネー管理サーバ８ａは、該受信した減算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ４５２）、前記電子マネーＩＤと減算更新後の電子マネー残額の送信元である入金精算装置３０に対して送信する（Ｓ４５３）。該更新完了通知を受信した入金精算装置３０は、更新後のカード残額，及び電子マネー残額をディスプレイ３７に表示し、前記受け付けている精算カード４と電子マネーカード５を排出する（Ｓ４５４）。
【０１９２】
このように、遊技用価値変換処理手段により、遊技者が所有する電子マネーカード５に記録されている電子貨幣価値特定情報から特定される電子マネー残額が遊技用価値の大きさに変換されることによって、遊技者が貨幣を所有していない場合であっても、電子マネー残額で入金することができるので、遊技者の利便性が向上する。しかも遊技用価値変換処理手段により、遊技者が指定したキャリアの電子貨幣価値特定情報から特定される電子マネー残額が遊技用価値の大きさに変換されることによって、遊技者が複数のキャリアと契約している場合であっても、希望するキャリアの電子マネー残額で入金することができるので、遊技者の利便性が向上する。
【０１９３】
また入金精算装置３０は、前記図１４のＤ２５１で「精算」ボタンが押下されると、精算モードになり（Ｓ４６１）、貨幣返却モード，又は電子マネー返却モードの選択を待機する（Ｓ４６２）。
【０１９４】
ここで前記図１５のＤ２７１で「貨幣を返却」ボタンが押下されると、貨幣返却モードになり（Ｓ４７１）、貨幣への返却金額の指定を受け付けると（Ｓ４７２）、該返却金額としてカード残額の全額が指定された場合には、カード残額（ここでは零）をディスプレイ３７に表示し、該返却金額に相当する貨幣を払い出して返却し、前記受け付けている電子マネーカード５を排出すると共に、前記受け付けている精算カード４を精算カード回収部３５ｂに回収する一方（Ｓ４７３）、該返却金額としてカード残額の一部が指定された場合には、後述するＳ４８２に進む。
【０１９５】
一方、前記図１５のＤ２７１で「電子マネーに返却」ボタンが押下されると、電子マネー返却モードになり（Ｓ４８１）、前記図１５のＤ２８２に示すようにカード残額を返却するキャリアの選択を受け付けると（Ｓ４８２）、前記受け付けている精算カード４に記録されている入金ＩＤとカード残額をシステムコントローラ５０に対して送信する（Ｓ４８３）。該入金ＩＤとカード残額を受信したシステムコントローラ５０は、該受信したカード残額を、該受信した入金ＩＤと対応付けて記憶している残額から減算更新して残額を零とし（Ｓ４８４）、減算完了通知を前記入金ＩＤとカード残額の送信元である入金精算装置３０に対して送信する（Ｓ４８５）。
【０１９６】
該減算完了通知を受信した入金精算装置３０は、前記受け付けている精算カード４に記録されているカード残額を零とし（Ｓ４８６）、カード残額−貨幣への返却金額を電子貨幣価値の大きさに変換して、前記図１５のＤ２８２で選択されたキャリアの電子マネー残額に加算更新し（Ｓ４８７）、当該キャリアの電子マネーＩＤと加算更新後の電子マネー残額を当該キャリアの電子マネー端末６０に対して送信する（Ｓ４８８）。該電子マネー端末６０は、入金精算装置３０から送信されてきた電子マネーＩＤと加算更新後の電子マネー残額を受信して、当該キャリアの電子マネー管理サーバ８ａに対して送信する（Ｓ４８９）。該電子マネーＩＤと加算更新後の電子マネー残額を受信した電子マネー管理サーバ８ａは、該受信した加算更新後の電子マネー残額に基づいて、該受信した電子マネーＩＤと対応付けて記憶している電子マネー残額を更新し、更新完了通知を電子マネー端末６０に対して送信する。該電子マネー端末６０は、電子マネー管理サーバ８ａから送信されてきた更新完了通知を受信して（Ｓ４９０）、前記電子マネーＩＤと加算更新後の電子マネー残額の送信元である入金精算装置３０に対して送信する（Ｓ４９１）。該更新完了通知を受信した入金精算装置３０は、更新後のカード残額（ここでは零）及び電子マネー残額をディスプレイ３７に表示し、前記Ｓ４７２で返却金額が指定されている場合には該返却金額に相当する貨幣を払い出して返却し、前記受け付けている電子マネーカード５を排出すると共に、前記受け付けている精算カード４を精算カード回収部３５ｂに回収する（Ｓ４９２）。
【０１９７】
以上に説明した第２実施形態に係る遊技用システム１によれば、端数額特定手段により、パチンコ機１０での遊技に使用される予め定められた一単位の遊技用価値の大きさである単位使用価値の大きさ（１００円）と当該単位使用価値の大きさに対応する消費税（５円）との合算額（１０５円）を減算していったときに生ずる該合算額未満の端数額が貨幣受付手段により受け付けた貨幣の金額から特定され、電子貨幣価値変換処理手段により、該端数額が電子貨幣価値の大きさに変換され、電子貨幣価値加算更新処理手段により、該変換された端数額に相当する電子貨幣価値の大きさが電子マネーカード５に記録されている電子貨幣価値特定情報から特定される電子マネー残額に対して加算更新されることによって、消費税が徴収された後の一単位の遊技用価値の大きさと当該一単位の遊技用価値の大きさに対応する消費税との合算額未満の端数額がでる場合であっても、該端数額が電子貨幣価値の大きさに変換されて遊技者に対して返却されるので、遊技者が不利益を被ることがない。また該端数額分のパチンコ玉を貸与するパチンコ機１０への改造や入替が不要であり、遊技場の従業員が小金種の貨幣を入金精算装置３０に補充する手間もかからない。
【０１９８】
［３．第３実施形態に係る遊技用システム１］
次に、図２０〜図２６を参照して、第３実施形態に係る遊技用システム１の構成について説明する。ここで前述した第１実施形態に係る遊技用システム１では、精算カード４及び電子マネーカード５が使用されるのに対し、この第３実施形態に係る遊技用システム１では、該精算カード４及び電子マネーカード５に代えて会員カード５’が使用される。この第３実施形態に係る遊技用システム１は、第１実施形態と比較して、玉貸ユニット２０及び入金精算装置３０の構成及び機能のみが異なり、その他の点は第１実施形態と同様である。以下、第３実施形態に係る遊技用システム１の構成について、第１実施形態と異なる点についてのみ説明する。
【０１９９】
会員カード５’は記録媒体の一例であって、パチンコ機１０での遊技に使用可能な遊技用価値の大きさを特定可能な遊技用価値特定情報と、電子貨幣価値の大きさを特定可能な電子貨幣価値特定情報と、が記録されたものであり、ここでは該遊技用価値特定情報として、前記入金ＩＤ及び前記カード残額が記録されていると共に、該電子貨幣価値特定情報として、前記電子マネーＩＤ及び前記電子マネー残額が、複数の電子マネー会社８（Ｘ社及びＹ社）の各々について記録されている。なお、既に入金ＩＤ及びカード残額が記録されている状態で入金が行われると、該入金に応じて新たに生成された入金ＩＤと該入金に供された金額に相当するカード残額が、先に記録されている入金ＩＤ及びカード残額とは別に記録されることになる。この場合には、複数記録されているカード残額の合算額が遊技に使用可能な遊技用価値の大きさであるカード残額となり、該合算額のうちの先に記録されているカード残額から優先して遊技に使用される。この会員カード５’は、長方形状を呈するプラスチック製の薄板における所定の部位に、入金ＩＤ及びカード残額を含む各種の情報が記録される記録領域（図示外）が形成されていると共に、電子マネーＩＤ及び電子マネー残額を含む各種の情報が記録される記録領域（図示外）が複数の電子マネー会社８の各々について形成されてなるものであり、ここでは該記録領域として不揮発性のＥＥＰＲＯＭを備える非接触式の集積回路を搭載したＩＣカードである。
【０２００】
この会員カード５’は、会員登録を行った遊技者に対して発行されるものであり、該遊技者が、ある電子マネー会社８との間で電子貨幣サービスの利用契約を締結した場合には、該会員カード５’の記憶領域に当該電子マネー会社８の電子マネーＩＤ及び電子マネー残額が追加して記録される。
【０２０１】
なお前記残度数表示器１４では、玉貸ユニット２０の会員カードＲ／Ｗ２６’により受け付けている会員カード５’に記録されているカード残額に相当する前記度数が、残度数として表示される。また前記玉貸ボタン１５は、玉貸ユニット２０の会員カードＲ／Ｗ２６’により受け付けている会員カード５’に記録されているカード残額を使用した玉貸操作を受け付ける。
【０２０２】
第３実施形態に係る玉貸ユニット２０は、図２０及び図２１に示すように、第１実施形態と比較して、精算カードＲ／Ｗ２５，及び電子マネーカードＲ／Ｗ２６を備えていない一方、会員カードＲ／Ｗ２６’を備えている点が異なる。この会員カードＲ／Ｗ２６’は記録媒体受付手段の一例であって、記録媒体である会員カード５’を受け付けるものであり、具体的には、会員カード挿入口２６ａ’から会員カード５’を受け付けて、該受け付けた会員カード５’に記録されている入金ＩＤ，カード残額，電子マネーＩＤ，及び電子マネー残額を読み取ると共に、該受け付けている電子マネーカード５に対して更新後のカード残額及び電子マネー残額を記録するものである。また第３実施形態に係る玉貸ユニット２０は、第１実施形態と比較して、制御部２２の機能と、ディスプレイ２７の表示内容が異なる。
【０２０３】
玉貸ユニット２０は遊技使用処理手段の一例であって、パチンコ機１０に対応して設けられ、会員カード５’を受け付けて、該受け付けた会員カード５’に記録されている遊技用価値特定情報から特定される遊技用価値の大きさの範囲内における所定の大きさの遊技用価値を前記パチンコ機１０での遊技に使用させるための遊技使用処理を行うものである。ここで会員カード５’の受付は、前記会員カードＲ／Ｗ２６’により行われ、遊技使用処理は、制御部２２により行われる。
【０２０４】
ここで制御部２２は、前述の如く、前記会員カードＲ／Ｗ２６’により受け付けた会員カード５’に記録されている遊技用価値特定情報から特定される遊技用価値の大きさ（カード残額）の範囲内における所定の大きさの遊技用価値を前記パチンコ機１０での遊技に使用させるための遊技使用処理（玉貸処理）を行うが、その具体的な機能は、第１実施形態と同様である。
【０２０５】
また制御部２２は減算処理手段の一例であって、前記遊技使用処理（玉貸処理）に供される使用価値の大きさである使用金額と当該使用金額に対応する消費税とを、前記会員カードＲ／Ｗ２６’により受け付けた会員カード５’に記録されている遊技用価値特定情報から特定される遊技用価値の大きさ（カード残額）から減算するための減算処理を行うものであるが、その具体的な機能は、第１実施形態と同様である。
【０２０６】
さらに制御部２２は遊技用価値変換処理手段の一例であって、前記会員カードＲ／Ｗ２６’により受け付けた会員カード５’に記録されている電子貨幣価値特定情報から特定される電子貨幣価値の大きさ（電子マネー残額）のうちの少なくとも一部を前記遊技用価値の大きさに変換するための遊技用価値変換処理を行うものであり、ここでは後述する提供機関指定受付手段（タッチパネル式のディスプレイ２７）により指定を受け付けた電子マネー会社８（キャリア）の電子貨幣価値特定情報から特定される電子貨幣価値の大きさを前記遊技用価値の大きさに変換するための遊技用価値変換処理を行うものであるが、その具体的な機能は、第１実施形態と同様である。
【０２０７】
また遊技用価値変換処理手段として機能する制御部２２は、前記遊技用価値の大きさ（カード残額）が前記減算処理手段による減算処理の後に予め定められた遊技用価値の大きさ（例えば１０００円）未満となったことを条件として、前記会員カードＲ／Ｗ２６’により受け付けた会員カード５’に記録されている電子貨幣価値特定情報から特定される電子貨幣価値の大きさ（電子マネー残額）のうちの予め定められた遊技用価値の大きさに相当する電子貨幣価値の大きさ又は予め定められた電子貨幣価値の大きさを前記遊技用価値の大きさに変換するための遊技用価値変換処理、即ち自動入金処理を行うものであるが、その具体的な機能は、第１実施形態と同様である。
【０２０８】
またタッチパネル式のディスプレイ２７は提供機関指定受付手段の一例であって、前記会員カードＲ／Ｗ２６’により受け付けた会員カード５’に記録されている電子貨幣価値特定情報から特定される複数の電子マネー会社８（キャリア）のうちのいずれかの指定を受け付けるものであるが、その具体的な機能は、第１実施形態と同様である。
【０２０９】
ここで図２２及び図２３を参照して、ディスプレイ２７の表示内容について説明するが、図３及び図４に示す第１実施形態と異なる点については、図中において太線で示す。
【０２１０】
まず、会員カードＲ／Ｗ２６’により会員カード５’を受け付けると、該受け付けた会員カード５’に記録されているカード残額とＸ社電子マネー残額とＹ社電子マネー残額の照合の後、Ｄ１１１で、当該カード残額（ここでは１０７５円），及び当該Ｘ社電子マネー残額とＹ社電子マネー残額が表示されると共に、玉貸可能状態である旨が表示される。このＤ１１１の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のカード残額が消費税込みの１度数に相当する１０５円以上である場合には、Ｄ１１２で、該カード残額（ここでは５５０円），及び前記電子マネー残額が表示されると共に、カード残額から該５２５円を減算した旨，及び玉貸可能状態である旨が表示される。一方、該減算処理により使用金額＋消費税（ここでは５２５円）が減算更新された後のカード残額が消費税込みの１度数に相当する１０５円未満である場合には、Ｄ１１３で、該カード残額（ここでは２５円），及び前記電子マネー残額が表示されると共に、カード残額から該５２５円を減算した旨，残額不足である旨，及び貨幣の挿入又は画面に表示された「電子マネー入金」ボタンの操作を促す旨が表示される。
【０２１１】
このＤ１１３の状態で、貨幣受付手段により貨幣を受け付けると、受付金額がカード残額に加算更新されて、Ｄ１１１に戻る。またＤ１１３の状態で、画面に表示された「電子マネー入金」ボタンが押下されて電子マネー入金操作を受け付けると、後述するＤ１２１に進む。なおＤ１１１〜Ｄ１１３の状態で、画面に表示された「終了」ボタンが押下されて終了操作を受け付けると、前記受け付けている会員カード５’が排出される。
【０２１２】
Ｄ１１３の状態で、画面に表示された「電子マネー入金」ボタンが押下されて電子マネー入金操作を受け付けると、Ｄ１２１で、前記カード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１２１の状態におけるタッチパネル式のディスプレイ２７は、前記提供機関指定受付手段として機能する。
【０２１３】
このＤ１２１の状態で、いずれかのキャリア選択ボタン（ここでは「Ｘ社電子マネー残額」ボタン）が押下されて入金に使用するキャリアが選択されると、Ｄ１２２で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示され、かつ自動入金をするか否かの選択を促す旨，並びに該選択するための自動入金選択ボタン（ここでは「はい」ボタン，及び「いいえ」ボタン）が表示される。
【０２１４】
このＤ１２２の状態で、いずれかの入金金額選択ボタン（ここでは「３０００円」ボタン）が押下されて入金金額が選択され、かついずれかの自動入金選択ボタンが押下されると、Ｄ１２１で選択されたキャリアの電子マネー残額のうちのＤ１２２で選択された金額が遊技用価値の大きさに変換されて、会員カードＲ／Ｗ２６’により受け付けている会員カード５’に記録されているカード残額に加算更新される一方、Ｄ１２１で選択されたキャリアの電子マネー残額からＤ１２２で選択された金額が減算更新され、Ｄ１２３で、更新後のカード残額，及び電子マネー残額が表示されると共に、Ｄ１２１で選択されたキャリアの電子マネー残額のうちのＤ１２２で選択された金額を入金した旨（ここではＸ社電子マネー残額から３０００円を入金した旨），及び玉貸可能状態である旨が表示される。
【０２１５】
このＤ１２３の状態で、玉貸ボタン１５が押下されて玉貸操作を受け付けると、前記玉貸処理及び前記減算処理が行われる。そして該玉貸処理及び減算処理が継続して行われていくと、Ｄ１２４に示すように、カード残額が、次回の減算処理によって前記予め定められた遊技用価値の大きさである１０００円未満になる状態（即ち残額が１０００円以上１５２５円未満の状態）となる。このＤ１２４の状態で、玉貸ボタン１５が押下されて玉貸操作を受け付けると、前記玉貸処理及び前記減算処理が行われ、前記Ｄ１２２で「いいえ」ボタンが押下されて自動入金が選択されていない自動入金ＯＦＦの場合にはＤ１２５に進み、前記Ｄ１２２で「はい」ボタンが押下されて自動入金が選択されている自動入金ＯＮの場合にはＤ１２６に進む。
【０２１６】
自動入金ＯＦＦの場合には、Ｄ１２５で、前記減算処理により使用金額＋消費税（ここでは５２５円）が減算更新された後のカード残額（ここでは９２５円），及び前記電子マネー残額が表示されると共に、カード残額から該５２５円を減算した旨，及び玉貸可能状態である旨が表示される。このＤ１２５の状態で、玉貸ボタン１５が押下されて玉貸操作を受け付けると、前記玉貸処理及び前記減算処理が行われる。そして該玉貸処理及び減算処理が継続して行われていった結果、該減算処理により使用金額＋消費税が減算更新された後のカード残額が消費税込みの１度数に相当する１０５円未満（即ち端数額）となった場合には、Ｄ１２１に戻る。
【０２１７】
自動入金ＯＮの場合には、前記減算処理により使用金額＋消費税（ここでは５２５円）がカード残額から減算更新され、前記加算更新処理によりＤ１２１で選択されたキャリアの電子マネー残額のうちの前記予め定められた電子貨幣価値の大きさであるＤ１２２で選択された金額（ここでは３０００円）が遊技用価値の大きさに変換されて、会員カードＲ／Ｗ２６’により受け付けている会員カード５’に記録されているカード残額に加算更新される一方（即ち１４５０円−５２５円＋３０００円＝３９２５円）、Ｄ１２１で選択されたキャリアの電子マネー残額からＤ１２２で選択された金額が減算更新され、Ｄ１２６で、更新後のカード残額，及び電子マネー残額が表示されると共に、カード残額から該５２５円を減算した旨，Ｄ１２１で選択されたキャリアの電子マネー残額のうちのＤ１２２で選択された金額を自動入金した旨（ここではＸ社電子マネー残額から３０００円を自動入金した旨），及び玉貸可能状態である旨が表示される。
【０２１８】
なおＤ１２１〜Ｄ１２６の状態で、画面に表示された「終了」ボタンが押下されて終了操作を受け付けると、会員カードＲ／Ｗ２６’により受け付けている会員カード５’が排出される。また、図示しないが、ディスプレイ２７では、遊技データ，テレビ画像，インターネット画像等の閲覧も可能である。
【０２１９】
第３実施形態に係る入金精算装置３０は、図２０及び図２４に示すように、第１実施形態と比較して、精算カードＲ／Ｗ３５，及び電子マネーカードＲ／Ｗ３６を備えていない一方、会員カードＲ／Ｗ３６’を備えている点が異なる。この会員カードＲ／Ｗ３６’は記録媒体受付手段の一例であって、記録媒体である会員カード５’を受け付けるものであり、具体的には、会員カード挿入口３６ａ’から会員カード５’を受け付けて、該受け付けた会員カード５’に記録されている入金ＩＤ，カード残額，電子マネーＩＤ，及び電子マネー残額を読み取ると共に、該受け付けている会員カード５’に対して更新後のカード残額及び電子マネー残額を記録するものである。また第３実施形態に係る入金精算装置３０は、第１実施形態と比較して、制御部３２の機能とディスプレイ３７の表示内容が異なる。
【０２２０】
ここで制御部３２は遊技用価値変換処理手段の一例であって、前記会員カードＲ／Ｗ３６’により受け付けた会員カード５’に記録されている電子貨幣価値特定情報から特定される電子貨幣価値の大きさ（電子マネー残額）のうちの少なくとも一部を前記遊技用価値の大きさに変換するための遊技用価値変換処理を行うものであり、ここでは後述する提供機関指定受付手段（タッチパネル式のディスプレイ３７）により指定を受け付けた電子マネー会社８（キャリア）の電子貨幣価値特定情報から特定される電子貨幣価値の大きさを前記遊技用価値の大きさに変換するための遊技用価値変換処理を行うものであるが、その具体的な機能は、第１実施形態と同様である。
【０２２１】
また制御部３２は電子貨幣価値変換処理手段の一例であって、前記会員カードＲ／Ｗ３６’により受け付けた会員カード５’に記録されている遊技用価値特定情報から特定される遊技用価値の大きさ（カード残額）のうちの少なくとも一部を前記電子貨幣価値の大きさに変換するための電子貨幣価値変換処理を行うものであり、ここでは該遊技用価値の大きさのうちの後述する変換価値指定受付手段（タッチパネル式のディスプレイ３７）により指定を受け付けた遊技用価値の大きさ又は該指定を受け付けた電子貨幣価値の大きさに相当する遊技用価値の大きさを電子貨幣価値の大きさに変換するための電子貨幣価値変換処理を行うものであるが、その具体的な機能は、第１実施形態と同様である。
【０２２２】
さらに制御部３２は電子貨幣価値加算更新処理手段の一例であって、前記電子貨幣価値変換処理手段により変換された電子貨幣価値の大きさを、前記会員カードＲ／Ｗ３６’により受け付けた会員カード５’に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、後述する提供機関指定受付手段（タッチパネル式のディスプレイ３７）により指定を受け付けた電子マネー会社８（キャリア）の電子貨幣価値特定情報から特定される電子マネー残額に対して加算更新するための電子貨幣価値加算更新処理を行うものであるが、その具体的な機能は、第１実施形態と同様である。
【０２２３】
またタッチパネル式のディスプレイ３７は提供機関指定受付手段の一例であって、前記会員カードＲ／Ｗ３６’により受け付けた会員カード５’に記録されている電子貨幣価値特定情報から特定される複数の電子マネー会社８（キャリア）のうちのいずれかの指定を受け付けるものであるが、その具体的な機能は、第１実施形態と同様である。なおタッチパネル式のディスプレイ３７は、第１実施形態と同様に、変換価値指定受付手段として機能するものである。
【０２２４】
ここで図２５及び図２６を参照して、ディスプレイ３７の表示内容について説明するが、図６及び図７に示す第１実施形態と異なる点については、図中において太線で示す。
【０２２５】
まずディスプレイ３７では、Ｄ１５０’で、会員カード５’の挿入を促す旨が表示される。このＤ１５０’の状態で、会員カードＲ／Ｗ３６’により会員カード５’を受け付けると、該受け付けた会員カード５’に記録されているカード残額とＸ社電子マネー残額とＹ社電子マネー残額の照合の後、Ｄ１５１’で、当該カード残額（ここでは３９２５円），及び当該Ｘ社電子マネー残額とＹ社電子マネー残額が表示されると共に、入金モード又は精算モードの選択を促す旨，並びに該選択をするためのモード選択ボタンである「入金」ボタン，及び「精算」ボタンが表示される。
【０２２６】
このＤ１５１’の状態で、「入金」ボタンが押下されると、入金モードになり、Ｄ１５２’で、前記カード残額，及び前記電子マネー残額が表示されると共に、貨幣の挿入又は画面に表示された「電子マネー入金」ボタンの押下を促す旨が表示される。このＤ１５２’の状態で、貨幣受付手段により貨幣を受け付けると（ここでは紙幣識別機３３により1000円紙幣を３枚受け付けると）、受付金額が会員カードＲ／Ｗ３６’により受け付けている会員カード５’に記録されているカード残額に加算更新されて該会員カード５’が排出され、Ｄ１５３で、更新後のカード残額，及び前記電子マネー残額が表示されると共に、前記受け付けた金額（ここでは３０００円）を入金した旨，及び会員カード５’の取り出しを促す旨が表示される。そして会員カード５’が取り出されると、Ｄ１５０’に戻る。
【０２２７】
またＤ１５２’の状態で、「電子マネー入金」ボタンが押下されると、Ｄ１６２で、前記カード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１６２の状態におけるタッチパネル式のディスプレイ３７は、前記提供機関指定受付手段として機能する。
【０２２８】
このＤ１６２の状態で、いずれかのキャリア選択ボタン（ここでは「Ｘ社電子マネー残額」ボタン）が押下されて入金に使用するキャリアが選択されると、Ｄ１６３で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示される。
【０２２９】
このＤ１６３の状態で、いずれかの入金金額選択ボタン（ここでは「３０００円」ボタン）が押下されて入金金額が選択されると、Ｄ１６２で選択されたキャリアの電子マネー残額のうちのＤ１６３で選択された金額が遊技用価値の大きさに変換されて、会員カードＲ／Ｗ３６’により受け付けている会員カード５’に記録されているカード残額に加算更新される一方、Ｄ１６２で選択されたキャリアの電子マネー残額からＤ１６３で選択された金額が減算更新されて会員カード５’が排出され、Ｄ１６４で、更新後のカード残額，及び電子マネー残額が表示されると共に、Ｄ１６２で選択されたキャリアの電子マネー残額のうちのＤ１６３で選択された金額を入金した旨（ここではＸ社電子マネー残額から３０００円を入金した旨），及び会員カード５’の取り出しを促す旨が表示される。そして会員カード５’が取り出されると、Ｄ１５０に戻る。
【０２３０】
また前記Ｄ１５１’の状態で、「精算」ボタンが押下されると、精算モードになり、Ｄ１７１’で、前記カード残額，及び前記電子マネー残額が表示されると共に、カード残額の返却方法の選択を促す旨，並びに該選択をするための返却方法選択ボタンである「貨幣を返却」ボタン，及び「電子マネーに返却」ボタンが表示される。
【０２３１】
このＤ１７１’の状態で、「貨幣を返却」ボタンが操作されると、貨幣返却モードになり、Ｄ１７２で、前記カード残額（ここでは３９２５円）が表示されると共に、貨幣での返却金額の指定を促す旨，及び該指定をするためのテンキーが表示される。なお入金精算装置３０では、前述の如く、１００円未満の小金種の貨幣の払い出しは行われないので、貨幣での返却金額として１００円未満を含む金額は指定できない。
【０２３２】
このＤ１７２の状態で、貨幣での返却金額が指定されて「決定」ボタンが押下されると、該返却金額に相当する貨幣が払い出されて返却されると共に、該返却金額が会員カードＲ／Ｗ３６’により受け付けている会員カード５’に記録されているカード残額から減算更新されて該会員カード５’が排出され、Ｄ１７３で、更新後のカード残額が表示されると共に、前記指定された金額（ここでは３０００円）の貨幣を返却した旨，及び会員カード５’の取り出しを促す旨が表示される。そして会員カード５’が取り出されると、Ｄ１５０’に戻る。
【０２３３】
一方、Ｄ１７１’の状態で、「電子マネーに返却」ボタンが操作されると、電子マネー返却モードになり、Ｄ１８２で、前記カード残額（ここでは３９２５円），及び前記電子マネー残額が表示されると共に、カード残額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ１８２の状態におけるタッチパネル式のディスプレイ３７は、前記提供機関指定受付手段として機能する。
【０２３４】
このＤ１８２の状態で、いずれかのキャリア選択ボタン（ここでは「Ｘ社電子マネー残額」ボタン）が押下されてカード残額を返却するキャリアが選択されると、Ｄ１８３で、前記カード残額，及び該選択されたキャリアの電子マネー残額（ここではＸ社電子マネー残額）が表示されると共に、電子マネーへの返却金額の指定を促す旨，及び該指定をするためのテンキーが表示される。即ち、このＤ１８３の状態におけるタッチパネル式のディスプレイ３７は、前記変換価値指定受付手段として機能する。
【０２３５】
このＤ１８３の状態で、電子マネーへの返却金額が指定されて「決定」ボタンが押下されると、該返却金額が会員カードＲ／Ｗ３６’により受け付けている会員カード５’に記録されているカード残額から減算更新される一方、該返却金額に相当するカード残額が電子貨幣価値の大きさに変換されて、Ｄ１８２で選択されたキャリアの電子マネー残額に対して加算更新されて会員カード５’が排出され、Ｄ１８４で、更新後のカード残額，及び電子マネー残額が表示されると共に、前記Ｄ１８２で選択されたキャリアの電子マネー残額に前記Ｄ１８３で指定された金額を返却した旨（ここではＸ社電子マネー残額に３０００円を返却した旨），及び会員カード５’の取り出しを促す旨が表示される。そして会員カード５’が取り出されると、Ｄ１５０’に戻る。
【０２３６】
なおＤ１５１’〜Ｄ１８３の状態で、画面に表示された「終了」ボタンが押下されて終了操作を受け付けると、受け付けている会員カード５’が排出されて、Ｄ１５０’に戻る。
【０２３７】
次に、図２７〜図３０を参照して、第３実施形態に係る遊技用システム１の作用について説明するが、図８〜図１１に示す第１実施形態と異なるステップについては、図中においてダッシュ（’）を付してあり、ここでは該異なるステップについてのみ説明する。
【０２３８】
まず図２７及び図２８は、第３実施形態に係る玉貸ユニット２０における処理の一例を表すフローチャートである。まず図２７において、玉貸ユニット２０では、前記Ｓ１０１〜Ｓ１２４の処理に代えて、Ｓ１０１’〜Ｓ１０９’の処理が行われる。具体的には、会員カードＲ／Ｗ２６’により会員カード５’を受け付けると（Ｓ１０１’）、該受け付けた会員カード５’に記録されている入金ＩＤとカード残額をシステムコントローラ５０に対して送信する（Ｓ１０２’）。該入金ＩＤとカード残額を受信したシステムコントローラ５０は、該受信したカード残額と、該受信した入金ＩＤと対応付けて記憶している残額との照合を行い（Ｓ１０３’）、照合ＯＫならば、照合ＯＫ通知を前記入金ＩＤとカード残額の送信元である玉貸ユニット２０に対して送信する（Ｓ１０４’）。
【０２３９】
また前記受け付けた会員カード５’に記録されている各キャリアの電子マネーＩＤと電子マネー残額を各キャリアの電子マネー端末６０に対して送信する（Ｓ１０５’）。該電子マネー端末６０は、玉貸ユニット２０から送信されてきた電子マネーＩＤと電子マネー残額を受信して、当該キャリアの電子マネー管理サーバ８ａに対して送信する（Ｓ１０６’）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ１０７’）、前記電子マネーＩＤと電子マネー残額の送信元である玉貸ユニット２０に対して送信する（Ｓ１０８’）。前記Ｓ１０４’及び該Ｓ１０８’の照合ＯＫ通知を受信した玉貸ユニット２０は、前記受け付けた会員カード５’に記録されているカード残額，及び各キャリアの電子マネー残額をディスプレイ２７に表示する（Ｓ１０９’）。
【０２４０】
また玉貸ユニット２０では、前記Ｓ１３３の処理に代えて、Ｓ１３２でカード残額が１０５円未満であると判定された場合には、貨幣の受付，電子マネー入金操作，又は終了操作を待機する、Ｓ１３３’の処理が行われる。また玉貸ユニット２０では、前記Ｓ１３８の処理に代えて、受信した入金ＩＤと対応付けて、前記受付金額をカード残額として会員カード５’に記録する、Ｓ１３８’の処理が行われる。さらに玉貸ユニット２０では、前記Ｓ１３９の処理に代えて、Ｓ１３３で終了操作があった場合には、前記受け付けている会員カード５’を排出する、Ｓ１３９’の処理が行われる。次に図２８において、玉貸ユニット２０では、前記Ｓ１５１の処理に代えて、電子マネー入金操作を受け付ける、Ｓ１５１’の処理が行われる。
【０２４１】
次に図２９及び図３０は、第３実施形態に係る入金精算装置３０における処理の一例を表すフローチャートである。まず図２９において、入金精算装置３０では、前記Ｓ２０１〜Ｓ２３０の処理に代えて、Ｓ２０１’〜Ｓ２３０’の処理が行われる。具体的には、会員カードＲ／Ｗ３６’により会員カード５’を受け付けると（Ｓ２０１’）、該受け付けた会員カード５’に記録されている入金ＩＤとカード残額をシステムコントローラ５０に対して送信する（Ｓ２０２’）。該入金ＩＤとカード残額を受信したシステムコントローラ５０は、該受信したカード残額と、該受信した入金ＩＤと対応付けて記憶している残額との照合を行い（Ｓ２０３’）、照合ＯＫならば、照合ＯＫ通知を前記入金ＩＤとカード残額の送信元である入金精算装置３０に対して送信する（Ｓ２０４’）。
【０２４２】
また前記受け付けた会員カード５’に記録されている各キャリアの電子マネーＩＤと電子マネー残額を各キャリアの電子マネー端末６０に対して送信する（Ｓ２０５’）。該電子マネー端末６０は、入金精算装置３０から送信されてきた電子マネーＩＤと電子マネー残額を受信して、当該キャリアの電子マネー管理サーバ８ａに対して送信する（Ｓ２０６’）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ２０７’）、前記電子マネーＩＤと電子マネー残額の送信元である入金精算装置３０に対して送信する（Ｓ２０８’）。前記Ｓ２０４’及び該Ｓ２０８’の照合ＯＫ通知を受信した入金精算装置３０は、前記受け付けた会員カード５’に記録されているカード残額，及び各キャリアの電子マネー残額をディスプレイ３７に表示し（Ｓ２０９’）、入金モード又は精算モードの選択を待機する（Ｓ２１０’）。
【０２４３】
この入金精算装置３０は、前記図２５のＤ１５１’で「入金」ボタンが押下されると、入金モードになり（Ｓ２１１’）、貨幣の受付，又は電子マネー入金操作を待機する（Ｓ２１２’）。
【０２４４】
この入金精算装置３０は、貨幣受付手段により貨幣を受け付けると（Ｓ２２１’）、前記受付金額をシステムコントローラ５０に対して送信する（Ｓ２２２’）。該受付金額を受信したシステムコントローラ５０は、入金ＩＤを生成し（Ｓ２２３’）、該生成した入金ＩＤと対応付けて、前記受信した受付金額を残額として記憶し（Ｓ２２４’）、該生成した入金ＩＤを前記受付金額の送信元である入金精算装置３０に対して送信する（Ｓ２２５’）。該入金ＩＤを受信した入金精算装置３０は、該受信した入金ＩＤと対応付けて、前記受付金額をカード残額として前記受け付けている会員カード５’に記録し（Ｓ２２６’）、更新後のカード残額をディスプレイ３７に表示する（Ｓ２２７’）。
【０２４５】
また入金精算装置３０では、電子マネー入金操作を受け付ける、Ｓ２３０’の処理が行われる。さらに入金精算装置３０では、前記Ｓ２４３の処理に代えて、前記受け付けている会員カード５’を排出する、Ｓ２４３’の処理が行われる。次に図３０において、入金精算装置３０は、前記図２５のＤ１５１’で「精算」ボタンが押下されると、精算モードになり（Ｓ２５１’）、貨幣返却モード，又は電子マネー返却モードの選択を待機する（Ｓ２５２’）。
【０２４６】
以上に説明した第３実施形態に係る遊技用システム１によれば、減算処理手段により、遊技使用処理に供される使用金額と当該使用金額に対応する消費税とが会員カード５’に記録されている遊技用価値特定情報から特定されるカード残額から減算され、電子貨幣価値変換処理手段により、該減算後のカード残額が電子貨幣価値の大きさに変換され、電子貨幣価値加算更新処理手段により、該変換された電子貨幣価値の大きさが会員カード５’に記録されている電子貨幣価値特定情報から特定される電子マネー残額に対して加算更新されることによって、消費税が徴収された後の一単位の遊技用価値の大きさと当該一単位の遊技用価値の大きさに対応する消費税との合算額未満の端数額がでる場合であっても、該端数額が電子貨幣価値の大きさに変換されて遊技者に対して返却されるので、遊技者が不利益を被ることがない。また該端数額分のパチンコ玉を貸与するパチンコ機１０への改造や入替が不要であり、遊技場の従業員が小金種の貨幣を入金精算装置３０に補充する手間もかからない。
【０２４７】
［４．第４実施形態に係る遊技用システム１］
次に、図２０，及び図３１〜図３４を参照して、第４実施形態に係る遊技用システム１の構成について説明する。ここで前述した第２実施形態に係る遊技用システム１では、精算カード４及び電子マネーカード５が使用されるのに対し、この第４実施形態に係る遊技用システム１では、該精算カード４及び電子マネーカード５に代えて会員カード５’が使用される。なお会員カード５’は、第３実施形態と同様である。この第４実施形態に係る遊技用システム１は、第２実施形態と比較して、玉貸ユニット２０及び入金精算装置３０の構成及び機能のみが異なり、その他の点は第２実施形態と同様である。以下、第４実施形態に係る遊技用システム１の構成について、第２実施形態と異なる点についてのみ説明する。
【０２４８】
第４実施形態に係る玉貸ユニット２０は、図２０及び図２１に示すように、第２実施形態と比較して、精算カードＲ／Ｗ２５，及び電子マネーカードＲ／Ｗ２６を備えていない一方、会員カードＲ／Ｗ２６’を備えている点が異なる。この会員カードＲ／Ｗ２６’は、第３実施形態と同様である。また第４実施形態に係る玉貸ユニット２０は、第２実施形態と比較して、制御部２２の機能と、ディスプレイ２７の表示内容が異なる。
【０２４９】
ここで制御部２２は、第２実施形態と同様に、前記端数額特定処理手段，及び前記電子貨幣価値変換処理手段として機能するものである。また制御部２２は電子貨幣価値加算更新処理手段の一例であって、前記電子貨幣価値変換処理手段により変換された電子貨幣価値の大きさ（即ち前記端数額に相当する電子貨幣価値の大きさ）を、会員カードＲ／Ｗ２６’により受け付けた会員カード５’に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、後述する提供機関指定受付手段（タッチパネル式のディスプレイ２７）により指定を受け付けた電子マネー会社８（キャリア）の電子貨幣価値特定情報から特定される電子マネー残額に対して加算更新するための電子貨幣価値加算更新処理を行う。具体的には、前記電子貨幣価値変換処理手段により変換された前記端数額に相当する電子貨幣価値の大きさを、後述する図３１のＤ２０１で選択されたキャリアの電子マネー残額に対して加算更新する。
【０２５０】
また制御部２２は、第３実施形態と同様に、前記減算処理手段，及び前記遊技用価値変換処理手段として機能するものである。また玉貸ユニット２０は、第３実施形態と同様に、前記遊技使用処理手段として機能するものである。さらにタッチパネル式のディスプレイ２７は、第３実施形態と同様に、提供機関指定受付手段として機能するものである。
【０２５１】
ここで図３１及び図３２を参照して、ディスプレイ２７の表示内容について説明するが、図１２及び図１３に示す第２実施形態と異なる点については、図中において太線で示す。
【０２５２】
まず、会員カードＲ／Ｗ２６’により会員カード５’を受け付けると、該受け付けた会員カード５’に記録されているカード残額とＸ社電子マネー残額とＹ社電子マネー残額の照合の後、Ｄ２０１で、当該カード残額，及び当該Ｘ社電子マネー残額とＹ社電子マネー残額が表示されると共に、端数額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２０１の状態におけるタッチパネル式のディスプレイ２７は、前記提供機関指定受付手段として機能する。
【０２５３】
このＤ２０１の状態で、いずれかのキャリア選択ボタン（ここでは「Ｘ社電子マネー残額」ボタン）が押下されて端数額を返却するキャリアが選択されると、カード残額が零である場合にはＳ２０２に進み、カード残額が零でない場合にはＳ２１１に進む。
【０２５４】
Ｄ２０２では、前記カード残額（ここでは０円），及び前記選択されたキャリアの電子マネー残額が表示されると共に、残額不足である旨，及び貨幣の挿入又は画面に表示された「電子マネー入金」ボタンの押下を促す旨が表示される。
【０２５５】
このＤ２０２の状態で、貨幣受付手段により貨幣を受け付けると、前記端数額の特定が行われて、受付金額から該端数額を除く金額がカード残額として前記受け付けている会員カード５’に記録されると共に、該特定された端数額が電子貨幣価値の大きさに変換されて、該変換された電子貨幣価値の大きさがＤ２０１で選択されたキャリアの電子マネー残額に対して加算更新され、Ｄ２０３で、更新後のカード残額，及び電子マネー残額が表示されると共に、Ｄ２０１で選択されたキャリアの電子マネー残額に端数額を返却した旨（ここではＸ社電子マネー残額に２５円を返却した旨），受付金額から端数額を除く金額を入金した旨（ここでは１００００円から２５円を除く９９７５円を入金した旨），及び玉貸可能状態である旨が表示される。
【０２５６】
このＤ２０３の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のカード残額が零でない場合には、Ｄ２０４で、該カード残額（ここでは９４７５円），及び前記電子マネー残額が表示されると共に、カード残額から該５２５円を減算した旨，及び玉貸可能状態である旨が表示される。一方、該減算処理により使用金額＋消費税（ここでは５２５円）が減算更新された後のカード残額が零である場合には、Ｄ２０５で、カード残額（ここでは０円），及び前記電子マネー残額が表示されると共に、残額不足である旨，及び貨幣の挿入又は画面に表示された「電子マネー入金」ボタンの押下を促す旨が表示される。
【０２５７】
このＤ２０５の状態で、貨幣受付手段により貨幣を受け付けると、前記端数額の特定が行われて、受付金額から該端数額を除く金額がカード残額として前記受け付けている会員カード５’に記録されると共に、該特定された端数額が電子貨幣価値の大きさに変換されて、該変換された電子貨幣価値の大きさがＤ２０１で選択されたキャリアの電子マネー残額に対して加算更新され、Ｄ２０３に戻る。またＤ２０５の状態で、「電子マネー入金」ボタンが押下されて電子マネー入金操作を受け付けると、後述するＤ２２１に進む。なおＤ２０１〜Ｄ２０５の状態で、画面に表示された「終了」ボタンが押下されて終了操作を受け付けると、受け付けている会員カード５’が排出される。
【０２５８】
Ｄ２１１では、前記カード残額（ここでは１０５０円），及び前記電子マネー残額が表示されると共に、玉貸可能状態である旨が表示される。このＤ２１１の状態で、玉貸ボタン１５が押下されて玉貸操作を受け付けると、前記玉貸処理及び前記減算処理が行われる。そして、該減算処理により使用金額＋消費税（ここでは５２５円）が減算更新された後のカード残額が零でない場合には、Ｄ２１２で、該カード残額（ここでは５２５円），及び前記電子マネー残額が表示されると共に、カード残額から該５２５円を減算した旨，及び玉貸可能状態である旨が表示される。一方、該減算処理により使用金額＋消費税（ここでは５２５円）が減算更新された後のカード残額が零である場合には、Ｄ２１３で、カード残額（ここでは０円），及び前記電子マネー残額が表示されると共に、残額不足である旨，及び貨幣の挿入又は画面に表示された「電子マネー入金」ボタンの押下を促す旨が表示される。
【０２５９】
このＤ２１３の状態で、貨幣受付手段により貨幣を受け付けると、前記端数額の特定が行われて、受付金額から該端数額を除く金額がカード残額として前記受け付けている会員カード５’に記録されると共に、該特定された端数額が電子貨幣価値の大きさに変換されて、該変換された電子貨幣価値の大きさがＤ２０１で選択されたキャリアの電子マネー残額に対して加算更新され、Ｄ２１１に戻る。このＤ２１１では、前述した表示内容に加えて、Ｄ２０１で選択されたキャリアの電子マネー残額に端数額を返却した旨，及び受付金額から端数額を除く金額を入金した旨が表示される。またＤ２１３の状態で、「電子マネー入金」ボタンが押下されて電子マネー入金操作を受け付けると、後述するＤ２２１に進む。なおＤ２１１〜Ｄ２１３の状態で、画面に表示された「終了」ボタンが押下されて終了操作を受け付けると、受け付けている会員カード５’が排出される。
【０２６０】
Ｄ２０５又はＤ２１３の状態で、「電子マネー入金」ボタンが押下されて電子マネー入金操作を受け付けると、Ｄ２２１で、前記カード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２２１の状態におけるタッチパネル式のディスプレイ２７は、前記提供機関指定受付手段として機能する。
【０２６１】
このＤ２２１の状態で、いずれかのキャリア選択ボタン（ここでは「Ｘ社電子マネー残額」ボタン）が押下されて入金に使用するキャリアが選択されると、Ｄ２２２で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示され、かつ自動入金をするか否かの選択を促す旨，並びに該選択するための自動入金選択ボタン（ここでは「はい」ボタン，及び「いいえ」ボタン）が表示される。
【０２６２】
このＤ２２２の状態で、いずれかの入金金額選択ボタン（ここでは「３０００円」ボタン）が押下されて入金金額が選択され、かついずれかの自動入金選択ボタンが押下されると、前記端数額（ここでは６０円）の特定が行われて、入金金額から該端数額を除く金額（ここでは２９４０円）がカード残額として前記受け付けている会員カード５’に記録されると共に、Ｄ２２１で選択されたキャリアの電子マネー残額から、入金金額から端数額を除く金額が減算更新される。そしてＤ２２３で、更新後のカード残額，及び電子マネー残額が表示されると共に、当該キャリアの電子マネー残額から端数額を除く金額を入金した旨（ここではＸ社電子マネー残額から端数額６０円を除く２９４０円を入金した旨），及び玉貸可能状態である旨が表示される。
【０２６３】
このＤ２２３の状態で、玉貸ボタン１５が押下されて玉貸操作を受け付けると、前記玉貸処理及び前記減算処理が行われる。そして該玉貸処理及び減算処理が継続して行われていくと、Ｄ２２４に示すように、カード残額が、次回の減算処理によって前記予め定められた遊技用価値の大きさである１０００円未満になる状態（即ち残額が１０００円以上１５２５円未満の状態）となる。このＤ２２４の状態で、玉貸ボタン１５が押下されて玉貸操作を受け付けると、前記玉貸処理及び前記減算処理が行われ、前記Ｄ２２２で「いいえ」ボタンが押下されて自動入金が選択されていない自動入金ＯＦＦの場合にはＤ１２５に進み、前記Ｄ２２２で「はい」ボタンが押下されて自動入金が選択されている自動入金ＯＮの場合にはＤ１２６に進む。
【０２６４】
自動入金ＯＦＦの場合には、Ｄ２２５で、前記減算処理により使用金額＋消費税（ここでは５２５円）が減算更新された後のカード残額（ここでは８４０円），及び前記電子マネー残額が表示されると共に、カード残額から該５２５円を減算した旨，及び玉貸可能状態である旨が表示される。このＤ２２５の状態で、玉貸ボタン１５が押下されて玉貸操作を受け付けると、前記玉貸処理及び前記減算処理が行われる。そして該玉貸処理及び減算処理が継続して行われていった結果、該減算処理により使用金額＋消費税が減算更新された後のカード残額が零となった場合には、Ｄ２２１に戻る。
【０２６５】
自動入金ＯＮの場合には、前記減算処理により使用金額＋消費税（ここでは５２５円）がカード残額から減算更新され、前記加算更新処理によりＤ２２１で選択されたキャリアの電子マネー残額のうちの前記予め定められた電子貨幣価値の大きさであるＤ２２２で選択された金額（ここでは３０００円）に基づいて、前記端数額（ここでは６０円）の特定が行われ、入金金額から該端数額を除く金額（ここでは２９４０円）が遊技用価値の大きさに変換されて、会員カードＲ／Ｗ２６’により受け付けている会員カード５’に記録されているカード残額に加算更新される一方（即ち１３６５円−５２５円＋２９４０円＝３７８０円）、Ｄ２２１で選択されたキャリアの電子マネー残額から、Ｄ２２２で選択された金額から端数額を除く金額が減算更新され、Ｄ２２６で、更新後のカード残額，及び電子マネー残額が表示されると共に、カード残額から該５２５円を減算した旨，Ｄ２２１で選択されたキャリアの電子マネー残額から端数額を除く金額を自動入金した旨（ここではＸ社電子マネー残額から端数額６０円を除く２９４０円を自動入金した旨），及び玉貸可能状態である旨が表示される。
【０２６６】
第４実施形態に係る入金精算装置３０は、図２０及び図２４に示すように、第２実施形態と比較して、精算カードＲ／Ｗ３５，及び電子マネーカードＲ／Ｗ３６を備えていない一方、会員カードＲ／Ｗ３６’を備えている点が異なる。この会員カードＲ／Ｗ３６’は、第３実施形態と同様である。また第４実施形態に係る入金精算装置３０は、第２実施形態と比較して、制御部３２の機能と、ディスプレイ３７の表示内容が異なる。
【０２６７】
ここで制御部３２は、第２実施形態と同様に、前記端数額特定処理手段，及び前記電子貨幣価値変換処理手段として機能するものである。また制御部３２は電子貨幣価値加算更新処理手段の一例であって、前記電子貨幣価値変換処理手段により変換された電子貨幣価値の大きさ（即ち前記端数額に相当する電子貨幣価値の大きさ）を、会員カードＲ／Ｗ３６’により受け付けた会員カード５’に記録されている電子貨幣価値特定情報から特定される電子マネー残額に対して加算更新するための電子貨幣価値加算更新処理を行うものであり、ここでは前記電子貨幣価値変換処理手段により変換された電子貨幣価値の大きさを、後述する提供機関指定受付手段（タッチパネル式のディスプレイ３７）により指定を受け付けた電子マネー会社８（キャリア）の電子貨幣価値特定情報から特定される電子マネー残額に対して加算更新するための電子貨幣価値加算更新処理を行う。具体的には、前記電子貨幣価値変換処理手段により変換された前記端数額に相当する電子貨幣価値の大きさを、後述する図３３のＤ２５２で選択されたキャリアの電子マネー残額に対して加算更新する。
【０２６８】
また制御部３２は遊技用価値加算更新処理手段の一例であって、貨幣受付手段（紙幣識別機３３，硬貨識別機３４）により受け付けた貨幣（紙幣２，硬貨３）の金額から前記端数額特定処理手段により特定された端数額を除く金額に相当する遊技用価値の大きさ（カード残額）を、前記会員カードＲ／Ｗ３６’により受け付けた会員カード５’に記録されている遊技用価値特定情報から特定されるカード残額に対して加算更新するための遊技用価値加算更新処理を行うものである。
【０２６９】
また制御部３２は、第３実施形態と同様に、前記減算処理手段，及び前記遊技用価値変換処理手段として機能するものである。また前記遊技用価値加算更新処理手段として機能する制御部３２は、前記遊技用価値変換処理手段により変換された遊技用価値の大きさを、前記会員カードＲ／Ｗ３６’により受け付けた会員カード５’に記録されている遊技用価値特定情報から特定されるカード残額に対して加算更新するための遊技用価値加算更新処理を行うものである。さらにタッチパネル式のディスプレイ３７は、第３実施形態と同様に、提供機関指定受付手段として機能するものである。
【０２７０】
ここで図３３及び図３４を参照して、ディスプレイ３７の表示内容について説明するが、図１４及び図１５に示す第２実施形態と異なる点については、図中において太線で示す。
【０２７１】
まずディスプレイ３７では、Ｄ２５０で、会員カード５’の挿入を促す旨が表示される。このＤ２５０の状態で、会員カードＲ／Ｗ３６’により会員カード５’を受け付けると、該受け付けた会員カード５’に記録されているカード残額とＸ社電子マネー残額とＹ社電子マネー残額の照合の後、Ｄ２５１で、当該カード残額（ここでは１０５０円），及び当該Ｘ社電子マネー残額とＹ社電子マネー残額が表示されると共に、入金モード又は精算モードの選択を促す旨，並びに該選択をするためのモード選択ボタンである「入金」ボタン，及び「精算」ボタンが表示される。
【０２７２】
このＤ２５１の状態で、「入金」ボタンが押下されると、入金モードになり、Ｄ２５２で、前記カード残額，及び前記電子マネー残額が表示されると共に、端数額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２５２の状態におけるタッチパネル式のディスプレイ３７は、前記提供機関指定受付手段として機能する。
【０２７３】
このＤ２５２の状態で、いずれかのキャリア選択ボタン（ここでは「Ｘ社電子マネー残額」ボタン）が押下されて端数額を返却するキャリアが選択されると、Ｄ２５３で、前記カード残額，及び該選択されたキャリアの電子マネー残額が表示されると共に、貨幣の挿入又は画面に表示された「電子マネー入金」ボタンの押下を促す旨が表示される。
【０２７４】
このＤ２５３の状態で、貨幣受付手段により貨幣を受け付けると、前記端数額の特定が行われて、受付金額から該端数額を除く金額が前記受け付けている会員カード５’に記録されているカード残額に対して加算更新されると共に、該特定された端数額が電子貨幣価値の大きさに変換されて、該変換された電子貨幣価値の大きさがＤ２５２で選択されたキャリアの電子マネー残額に対して加算更新されて会員カード５’が排出され、Ｄ２５４で、更新後のカード残額，及び電子マネー残額が表示されると共に、Ｄ２５２で選択されたキャリアの電子マネー残額に端数額を返却した旨（ここではＸ社電子マネー残額に２５円を返却した旨），受付金額から端数額を除く金額を入金した旨（ここでは１００００円から２５円を除く９９７５円を入金した旨），及び会員カード５’の取り出しを促す旨が表示される。そして会員カード５’が取り出されると、Ｄ２５０に戻る。
【０２７５】
またＤ２５３の状態で、「電子マネー入金」ボタンが押下されて電子マネー入金操作を受け付けると、Ｄ２６１で、前記カード残額，及び前記電子マネー残額が表示されると共に、入金に使用するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２６１の状態におけるタッチパネル式のディスプレイ３７は、前記提供機関指定受付手段として機能する。
【０２７６】
このＤ２６１の状態で、いずれかのキャリア選択ボタン（ここでは「Ｘ社電子マネー残額」ボタン）が押下されて入金に使用するキャリアが選択されると、Ｄ２６２で、前記カード残額，及び該選択されたキャリアの電子マネー残額（ここではＸ社電子マネー残額）が表示されると共に、入金する金額の選択を促す旨，並びに該選択するための入金金額選択ボタン（ここでは「１０００円」ボタン，「３０００円」ボタン，「５０００円」ボタン，及び「１００００円」ボタン）が表示される。
【０２７７】
このＤ２６２の状態で、いずれかの入金金額選択ボタン（ここでは「３０００円」ボタン）が押下されて入金金額が選択されると、前記端数額（ここでは６０円）の特定が行われて、入金金額から該端数額を除く金額（ここでは２９４０円）が、前記受け付けている会員カード５’に記録されているカード残額に対して加算更新されると共に、Ｄ２６１で選択されたキャリアの電子マネー残額から、入金金額から端数額を除く金額が減算更新されて、会員カード５’が排出される。そしてＤ２６３で、更新後のカード残額，及び電子マネー残額が表示されると共に、Ｄ２６１で選択されたキャリアの電子マネー残額から端数額を除く金額を入金した旨（ここではＸ社電子マネー残額から端数額６０円を除く２９４０円を入金した旨），及び会員カード５’の取り出しを促す旨が表示される。そして会員カード５’が取り出されると、Ｄ２５０に戻る。
【０２７８】
一方、前記Ｄ２５１の状態で、「精算」ボタンが押下されると、精算モードになり、Ｄ２７１で、前記カード残額，及び前記電子マネー残額が表示されると共に、カード残額の返却方法の選択を促す旨，並びに該選択をするための返却方法選択ボタンである「貨幣を返却」ボタン，及び「電子マネーに返却」ボタンが表示される。
【０２７９】
このＤ２７１の状態で、「貨幣を返却」ボタンが操作されると、貨幣返却モードになり、Ｄ２７２で、前記カード残額が表示されると共に、貨幣での返却金額の指定を促す旨，及び該指定をするためのテンキーが表示される。なお入金精算装置３０では、前述の如く、１００円未満の小金種の貨幣の払い出しは行われないので、貨幣での返却金額として１００円未満を含む金額は指定できない。
【０２８０】
このＤ２７２の状態で、カード残額に１００円未満の金額が含まれず、かつ該カード残額の全額が貨幣での返却金額として指定されて「決定」ボタンが押下されると、該返却金額に相当する貨幣が払い出されて返却されると共に、該返却金額が会員カードＲ／Ｗ３６’により受け付けている会員カード５’に記録されているカード残額から減算更新されてカード残額が零になって該会員カード５’が排出され、Ｄ２７３で、更新後のカード残額（即ち０円）が表示されると共に、前記指定された金額（即ちカード残額の全額）の貨幣を返却した旨，及び会員カード５’の取り出しを促す旨が表示される。そして会員カード５’が取り出されると、Ｄ２５０に戻る。またＤ２７２の状態で、カード残額の一部が貨幣での返却金額として指定されて「決定」ボタンが押下されると、Ｄ２８２に進む。
【０２８１】
一方、Ｄ２７１の状態で、「電子マネーに返却」ボタンが操作されると、電子マネー返却モードになり、Ｄ２８２で、前記カード残額，及び前記電子マネー残額が表示されると共に、カード残額を返却するキャリア（電子マネー会社８）の選択を促す旨，並びに該選択をするためのキャリア選択ボタンである「Ｘ社電子マネー残額」ボタン，及び「Ｙ社電子マネー残額」ボタンが表示される。即ち、このＤ２８２の状態におけるタッチパネル式のディスプレイ３７は、前記提供機関指定受付手段として機能する。
【０２８２】
このＤ２８２の状態で、いずれかのキャリア選択ボタン（ここでは「Ｘ社電子マネー残額」ボタン）が押下されてカード残額を返却するキャリアが選択されると、前記Ｄ２７２で返却金額が指定されている場合には、該返却金額に相当する貨幣が払い出されて返却され、カード残額の全額が会員カードＲ／Ｗ３６’により受け付けている会員カード５’に記録されているカード残額から減算更新されてカード残額が零になると共に、カード残額の全額（又は前記Ｄ２７２で返却金額が指定されている場合には、カード残額から該返却金額を除いた金額）が電子貨幣価値の大きさに変換されて、Ｄ２８２で選択されたキャリアの電子マネー残額に対して加算更新されて会員カード５’が排出され、Ｄ２８４で、更新後のカード残額（即ち０円），及び電子マネー残額が表示されると共に、前記Ｄ２７２で返却金額が指定されている場合には該指定された返却金額の貨幣を返却した旨，前記Ｄ２８２で選択されたキャリアの電子マネー残額に前記変換された電子貨幣価値の大きさを返却した旨，及び会員カード５’の取り出しを促す旨が表示される。そして会員カード５’が取り出されると、Ｄ２５０に戻る。
【０２８３】
次に、図３５〜図３８を参照して、第４実施形態に係る遊技用システム１の作用について説明するが、図１６〜図１９に示す第２実施形態と異なるステップについては、図中においてダッシュ（’又は”）を付してあり、ここでは該異なるステップについてのみ説明する。
【０２８４】
まず図３５及び図３６は、第４実施形態に係る玉貸ユニット２０における処理の一例を表すフローチャートである。まず図３５において、玉貸ユニット２０では、前記Ｓ３０１〜Ｓ３１１の処理に代えて、Ｓ３０１’〜Ｓ３１２”の処理が行われる。具体的には、会員カードＲ／Ｗ２６’により会員カード５’を受け付けると（Ｓ３０１’）、該受け付けた会員カード５’に記録されている入金ＩＤとカード残額をシステムコントローラ５０に対して送信する（Ｓ３０２’）。該入金ＩＤとカード残額を受信したシステムコントローラ５０は、該受信したカード残額と、該受信した入金ＩＤと対応付けて記憶している残額との照合を行い（Ｓ３０３’）、照合ＯＫならば、照合ＯＫ通知を前記入金ＩＤとカード残額の送信元である玉貸ユニット２０に対して送信する（Ｓ３０４’）。
【０２８５】
また前記受け付けた会員カード５’に記録されている各キャリアの電子マネーＩＤと電子マネー残額を各キャリアの電子マネー端末６０に対して送信する（Ｓ３０５’）。該電子マネー端末６０は、玉貸ユニット２０から送信されてきた電子マネーＩＤと電子マネー残額を受信して、当該キャリアの電子マネー管理サーバ８ａに対して送信する（Ｓ３０６’）。該電子マネーＩＤと電子マネー残額を受信した電子マネー管理サーバ８ａは、該受信した電子マネー残額と、該受信した電子マネーＩＤと対応付けて記憶している電子マネー残額との照合を行い、照合ＯＫならば、照合ＯＫ通知を電子マネー端末６０に対して送信する。該電子マネー端末６０は、電子マネー管理サーバ８ａから送信されてきた照合ＯＫ通知を受信して（Ｓ３０７’）、前記電子マネーＩＤと電子マネー残額の送信元である玉貸ユニット２０に対して送信する（Ｓ３０８’）。前記Ｓ３０４’及び該Ｓ３０８’の照合ＯＫ通知を受信した玉貸ユニット２０は、前記受け付けた会員カード５’に記録されているカード残額，及び各キャリアの電子マネー残額をディスプレイ２７に表示し（Ｓ３０９’）、前記図３１のＤ２０１に示すように端数額を返却するキャリアの選択を受け付け（Ｓ３１０’）、カード残額が零であるか否かを判定する（Ｓ３１１’）。
【０２８６】
このＳ３１１’でカード残額が零であると判定された場合には、貨幣の受付，電子マネー入金操作，又は終了操作を待機する（Ｓ３１２’）。このＳ３１２’で電子マネー入金操作があった場合には、後述するＳ３５１に進む。またＳ３１２’で終了操作があった場合には、前記受け付けている会員カード５’を排出する（Ｓ３１２”）。またＳ３１２’で貨幣を受け付けた場合には、前記Ｓ３１２〜Ｓ３２９の処理が行われた後、カード残額が零であるか否かを判定する（Ｓ３３０’）。このＳ３３０’で、カード残額が零でないと判定された場合には、前記Ｓ３２４に戻り、カード残額が零であると判定された場合には、前記Ｓ３１２’に戻る。一方、Ｓ３１１’でカード残額が零でないと判定された場合には、玉貸可能状態となり（Ｓ３４６’）、Ｓ３２５〜Ｓ３３０’の処理が行われる。なお図３６は、前記図１７と同様である。
【０２８７】
次に図３７及び図３８は、第４実施形態に係る入金精算装置３０における処理の一例を表すフローチャートである。まず図３７において、入金精算装置３０では、前記Ｓ４０１の処理に代えて、会員カード５’を受け付ける、Ｓ４０１’の処理が行われる。また入金精算装置３０では、前記Ｓ４３３の処理に代えて、更新後のカード残額，及び電子マネー残額をディスプレイ３７に表示し、前記受け付けている会員カード５’を排出する、Ｓ４３３’の処理が行われる。さらに入金精算装置３０では、前記Ｓ４５４の処理に代えて、更新後のカード残額，及び電子マネー残額をディスプレイ３７に表示し、前記受け付けている会員カード５’を排出する、Ｓ４５４’の処理が行われる。また図３８において、入金精算装置３０では、前記Ｓ４９２の処理に代えて、更新後のカード残額（ここでは零）及び電子マネー残額をディスプレイ３７に表示し、前記Ｓ４７２で返却金額が指定されている場合には該返却金額に相当する貨幣を払い出して返却し、前記受け付けている会員カード５’を排出する、Ｓ４９２’の処理が行われる。
【０２８８】
以上に説明した第４実施形態に係る遊技用システム１によれば、端数額特定手段により、パチンコ機１０での遊技に使用される予め定められた一単位の遊技用価値の大きさである単位使用価値の大きさ（１００円）と当該単位使用価値の大きさに対応する消費税（５円）との合算額（１０５円）を減算していったときに生ずる該合算額未満の端数額が貨幣受付手段により受け付けた貨幣の金額から特定され、電子貨幣価値変換処理手段により、該端数額が電子貨幣価値の大きさに変換され、電子貨幣価値加算更新処理手段により、該変換された端数額に相当する電子貨幣価値の大きさが会員カード５’に記録されている電子貨幣価値特定情報から特定される電子マネー残額に対して加算更新されることによって、消費税が徴収された後の一単位の遊技用価値の大きさと当該一単位の遊技用価値の大きさに対応する消費税との合算額未満の端数額がでる場合であっても、該端数額が電子貨幣価値の大きさに変換されて遊技者に対して返却されるので、遊技者が不利益を被ることがない。また該端数額分のパチンコ玉を貸与するパチンコ機１０への改造や入替が不要であり、遊技場の従業員が小金種の貨幣を入金精算装置３０に補充する手間もかからない。
【０２８９】
［５．本発明の変形例］
最後に、本発明の変形例について説明する。
【０２９０】
上記の実施形態では、貨幣として、紙幣２及び硬貨３の双方を使用可能である例について説明したが、これに限らず、紙幣２又は硬貨３のいずれか一方のみを使用可能としても良い。また使用可能な貨幣の種類は、上記のものには限定されない。
【０２９１】
上記の第１，第２実施形態では、貨幣受付手段により受け付けた貨幣の金額に相当する遊技用価値の大きさが、制御部２２のＲＡＭに記憶される例について説明したが、これに限らず、貨幣受付手段により貨幣を受け付けたときに、精算カードストッカ２５ｂにてストックされている精算カード４が精算カードＲ／Ｗ２５に対して搬送され、該精算カード４に前記遊技用価値の大きさが記録されるようにしても良い。
【０２９２】
上記の実施形態では、遊技用価値の大きさが、ユニット残額やカード残額等の金額である例について説明したが、これに限らず、該遊技用価値の大きさは、度数や得点であっても良い。
【０２９３】
上記の実施形態では、精算カード４，電子マネーカード５，及び会員カード５’の各記録媒体が、非接触式のＩＣカードである例について説明したが、これに限らず、各記録媒体は、接触式の集積回路，磁気，二次元コード（例えばバーコード），三次元コード，又は光干渉（例えばホログラム）等により情報を記録するものでも良い。また各記録媒体の形状はカード型には限られず、コイン型であっても良い。
【０２９４】
上記の第１，第２実施形態では、遊技用価値特定情報が記録された記録媒体が、玉貸ユニット２０から排出される精算カード４である例について説明したが、これに限らず、該記録媒体は、例えばカード販売機で販売されるプリペイドカードであっても良い。また該記録媒体は、会員登録をした会員遊技者に対して発行される会員カードであっても良く、この場合には、会員遊技者のみが、電子マネー残額からのカード残額への入金や、カード残額の電子マネー残額への返却ができるようにすると共に、会員遊技者以外は精算のみしかできないようにして、会員遊技者を優遇するようにしても良い。
【０２９５】
上記の第１，第２実施形態では、精算カード４が使用される例について説明したが、これに限らず、該精算カード４に代えて、例えば遊技用価値特定情報を記録する非接触式のＩＣチップが搭載された携帯電話端末が使用されるようにしても良く、この場合には、玉貸ユニット２０や入金精算装置３０において、該携帯電話端末を近接させることにより受け付ける受付手段が設けられる。また上記の第１，第２実施形態では、電子貨幣価値記録媒体として電子マネーカード５が使用される例について説明したが、これに限らず、該電子マネーカード５に代えて、例えば電子貨幣価値特定情報を記録する非接触式のＩＣチップが搭載された携帯電話端末が該電子貨幣価値記録媒体として使用されるようにしても良く、この場合には、玉貸ユニット２０や入金精算装置３０において、該携帯電話端末を近接させることにより受け付ける電子貨幣価値記録媒体受付手段が設けられる。
【０２９６】
上記の第３，第４実施形態では、記録媒体として会員カード５’が使用される例について説明したが、これに限らず、例えばカード残額用の非接触式のＩＣチップと電子マネー用の非接触式のＩＣチップが搭載された携帯電話端末が該記録媒体として使用されるようにしても良く、この場合には、玉貸ユニット２０や入金精算装置３０において、該携帯電話端末を近接させることにより受け付ける記録媒体受付手段が設けられる。
【０２９７】
上記の実施形態では、精算カード４や会員カード５’において、遊技用価値特定情報として入金ＩＤ及びカード残額が記録されている例について説明したが、これに限らず、該遊技用価値特定情報として、入金ＩＤのみが記録されるものや、カード残額のみが記録されるものであっても良い。ここで遊技用価値特定情報として入金ＩＤのみが記録される場合には、該入金ＩＤをシステムコントローラ５０に対して送信することにより、該入金ＩＤと対応付けて記憶されているカード残額が特定される。なお遊技用価値特定情報は、入金ＩＤには限られず、各カードを個々に識別可能なカードＩＤや、各会員遊技者を個々に特定可能な会員ＩＤや、前記ユニットＩＤ等であっても良い。
【０２９８】
上記の実施形態では、電子マネーカード５や会員カード５’において、電子貨幣価値特定情報として電子マネーＩＤ及び電子マネー残額が記録されている例について説明したが、これに限らず、該電子貨幣価値特定情報として、電子マネーＩＤのみが記録されるものや、電子マネー残額のみが記録されるものであっても良い。ここで電子貨幣価値特定情報として電子マネーＩＤのみが記録される場合には、該電子マネーＩＤを電子マネー管理サーバ８ａに対して送信することにより、該電子マネーＩＤと対応付けて記憶されている電子マネー残額が特定される。なお電子貨幣価値特定情報は、電子マネーＩＤには限られず、各カードを個々に識別可能なカードＩＤや、電子マネーカード５や会員カード５’の所有者を個々に特定可能な情報（例えば携帯電話番号等の属性情報や、指紋等の生体情報等）であっても良い。
【０２９９】
上記の実施形態では、電子マネー会社８がＸ社とＹ社の２社である例について説明したが、これに限らず、該電子マネー会社８の数は特に限定されない。
【０３００】
上記の実施形態では、システムコントローラ５０や電子マネー管理サーバ８ａにおいて、ＩＤと対応付けて単に残額が記憶・管理されている例について説明したが、これに限らず、該残額の使用履歴（例えば入金金額，使用金額，精算金額等）も併せて記憶・管理するようにしても良い。
【０３０１】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０３０２】
上記の実施形態では、遊技使用処理が玉貸処理である例について説明したが、これに限らず、該遊技使用処理は、前記メダルを貸与するメダル貸出処理や、前記画像式のパチンコ機やスロットマシンにおいて遊技用価値の大きさを遊技媒体としての得点に変換して遊技に使用させる処理等でも良い。
【０３０３】
上記の実施形態では、玉貸処理が行われた場合に、玉貸ユニット２０とパチンコ機１０との間でパチンコ玉の貸与に関する信号のやり取りが行われて、該パチンコ機１０に設けられた玉払出装置１３からパチンコ玉が払い出されて貸与される例について説明したが、これに限らず、玉貸ユニット２０に設けられた図示しない玉払出装置からパチンコ玉が払い出されて貸与されるようにしても良い。
【０３０４】
上記の実施形態では、例えば図４のＤ１２１に示すように、提供機関指定受付手段において、１つのキャリアを選択可能である例について説明したが、これに限らず、２以上のキャリアを選択可能としても良い。これによれば、例えば該キャリアとしてＸ社及びＹ社が選択された場合に、Ｘ社電子マネー残額から１０００円を入金すると共にＹ社電子マネー残額から５００円を入金するといった利用や、Ｘ社電子マネー残額１０００円を返却すると共にＹ社電子マネー残額に５００円を返却するといった利用が可能となり、遊技者の利便性が向上する。
【０３０５】
上記の実施形態では、例えば図４のＤ１２２に示すように、遊技用価値変換処理をする際に、入金金額選択ボタンにより、予め定められた複数種類の入金金額の中から入金金額の選択を受け付ける例について説明したが、これに限らず、例えばテンキーにより任意の入金金額の指定を受け付けるようにしても良い。
【０３０６】
上記の実施形態では、自動入金処理において、予め定められた遊技用価値の大きさ（上記の例では１０００円）がシステムコントローラ５０において設定される例について説明したが、これに限らず、該予め定められた遊技用価値の大きさを、玉貸ユニット２０において遊技者が任意に設定変更できるようにしても良い。
【０３０７】
上記の実施形態では、自動入金処理において、入金金額選択ボタンの操作により遊技者により選択された金額が自動入金される例について説明したが、これに限らず、予め定められた一定の金額（例えば１０００円）が自動入金されるようにしても良い。
【０３０８】
上記の実施形態において、電子マネー残額による入金には上限（例えば１日１万円）を設け、各遊技者毎又は各キャリア毎に該電子マネー残額による入金金額を管理し、該入金金額が上限を超えた場合には、貨幣による入金のみを許容することとして、いわゆるのめり込みを防止するようにしても良い。同様に、電子マネー残額による入金と貨幣による入金を合算した合算入金額に上限を設け、各遊技者毎に該合算入金額を管理し、該合算入金額が上限を超えた場合には、入金を許容しないこととして、いわゆるのめり込みを防止するようにしても良い。
【０３０９】
上記の実施形態では、減算処理において、使用金額＋消費税が一度に遊技用価値の大きさから減算される例について説明したが、これに限らず、使用金額と消費税とを分けて遊技用価値の大きさから減算するようにしても良い。
【０３１０】
上記の実施形態では、例えば図７のＤ１８３に示すように、変換価値指定受付手段において、テンキーにより返却金額の指定を受け付ける例について説明したが、これに限らず、例えば返却金額選択ボタンにより、予め定められた複数種類の返却金額の中から返却金額の選択を受け付けるようにしても良い。
【０３１１】
上記の実施形態では、例えば図９のＳ１５２〜Ｓ１５５に示すように、電子マネーカード５を受け付けたときに、該電子マネーカード５に記録されている電子マネー残額の照合を行う例について説明したが、これに限らず、該照合を行わずに、電子マネーカード５に記録されている電子マネー残額に基づいて入金や返却の処理を行い、該処理の結果を電子マネー管理サーバ８ａに送信するようにしても良い。同様に、例えば図２７のＳ１０５’〜Ｓ１０８’に示すように、会員カード５’を受け付けたときに、該会員カード５’に記録されている電子マネー残額の照合を行う例について説明したが、これに限らず、該照合を行わずに、会員カード５’に記録されている電子マネー残額に基づいて入金や返却の処理を行い、該処理の結果を電子マネー管理サーバ８ａに送信するようにしても良い。
【０３１２】
上記の実施形態では、例えば図９に示すように、システムコントローラ５０に対する応答（Ｓ１５８〜Ｓ１６１）が行われた後に、電子マネー端末６０に対する応答（Ｓ１６４〜Ｓ１６７）が行われる例について説明したが、両応答の先後は特に限定されず、両応答が並列して行われるものであっても良い。
【０３１３】
上記の第１，第３実施形態では、図７及び図２６のＤ１８３に示すように、変換価値指定手段（入金精算装置３０のディスプレイ３７）が、電子貨幣価値加算更新処理手段により加算更新する電子貨幣価値の大きさ（電子マネー残額）の指定を受け付ける例について説明したが、これに限らず、該変換価値指定手段は、電子貨幣価値変換処理手段により変換する遊技用価値の大きさ（例えば前記度数等）の指定を受け付けるようにしても良く、この場合には、前記電子貨幣価値変換処理手段は、該指定を受け付けた遊技用価値の大きさを電子貨幣価値の大きさに変換するための電子貨幣価値変換処理手段を行う。
【０３１４】
上記の第２実施形態では、玉貸ユニット２０において、図１２に示すように、最初に電子マネーカード５を受け付ける例について説明したが、これに限らず、例えば端数額を玉貸ユニット２０に一時的に記憶するように構成した場合には、該端数額を返却するまでに電子マネーカード５を受け付けるようにすれば良い。
【０３１５】
上記の第２，第４実施形態では、端数額特定処理手段において、受付金額から端数額が特定される例について説明したが、これに限らず、受付金額と残額（ユニット残額又はカード残額）とを合算した合算残額から端数額が特定されるようにしても良く、具体的には、受付金額が１０００円で、残額が１０５０円である場合には、合算残額である２０５０円から、端数額が５５円と特定される。また受付金額を残額に一旦加算更新した後、該加算更新後の残額（上記合算残額）から端数額を減算更新し、該減算更新した端数額を電子貨幣価値の大きさに変換するようにしても良い。即ち、端数額特定処理手段は、端数額を貨幣受付手段により受け付けた貨幣の金額から特定するための処理を行うものであれば良い。
【０３１６】
上記の第２，第４実施形態では、例えば図１６に示すように、受付金額から端数額を除く金額の遊技用価値の大きさに対する加算更新（Ｓ３１７）が行われた後に、変換された端数額の電子貨幣価値の大きさに対する加算更新（Ｓ３１８）が行われる例について説明したが、両者の先後は特に限定されず、両者が並列して行われるものであっても良い。
【０３１７】
上記の実施形態では、図３９（ａ）に示すように、遊技用価値の大きさ又は端数額の電子貨幣価値の大きさへの変換（以下単に「変換」という。）と、該変換された電子貨幣価値の大きさの電子貨幣価値特定情報から特定される電子貨幣価値の大きさに対する加算更新（以下単に「加算更新」という。）とが、共に入金精算装置３０において行われる例について説明したが、該変換及び加算更新は、図３９（ｂ）〜（ｄ）に示す変形例のようにして行われるようにしても良い。
【０３１８】
まず図３９（ｂ）に示す変形例では、入金精算装置３０において変換が行われた後に、電子マネーＩＤと該変換した電子貨幣価値の大きさが電子マネー管理サーバ８ａに対して送信され、該電子マネー管理サーバ８ａにおいて加算更新が行われる。従って、この例では、電子マネーＩＤと該変換した電子貨幣価値の大きさを電子マネー管理サーバ８ａに対して送信する処理が、前記電子貨幣価値加算更新処理に相当する。
【０３１９】
また図３９（ｃ）に示す変形例では、入金精算装置３０においてカード（精算カード４又は会員カード５’）が受け付けられ、該カードに記録されている入金ＩＤとカード残額がシステムコントローラ５０に対して送信され、該システムコントローラ５０において残額の照合が行われた後に変換が行われる。従って、この例では、入金ＩＤとカード残額をシステムコントローラ５０に対して送信する処理が、前記電子貨幣価値変換処理に相当する。
【０３２０】
また図３９（ｄ）に示す変形例では、入金精算装置３０においてカード（精算カード４又は会員カード５’）が受け付けられ、該カードに記録されている入金ＩＤとカード残額がシステムコントローラ５０に対して送信され、該システムコントローラ５０において残額の照合が行われた後に変換が行われ、変換した電子貨幣価値の大きさが入金精算装置３０に対して送信され、電子マネーＩＤと該変換した電子貨幣価値の大きさが電子マネー管理サーバ８ａに対して送信され、該電子マネー管理サーバ８ａにおいて加算更新が行われる。従って、この例では、入金ＩＤとカード残額をシステムコントローラ５０に対して送信する処理が、前記電子貨幣価値変換処理に相当し、電子マネーＩＤと該変換した電子貨幣価値の大きさを電子マネー管理サーバ８ａに対して送信する処理が、前記電子貨幣価値加算更新処理に相当する。
【０３２１】
即ち、電子貨幣価値変換処理手段は、実際の変換が行われる箇所に応じて、遊技用価値の大きさ又は端数額を電子貨幣価値の大きさに変換するための電子貨幣価値変換処理を行うものであり、また電子貨幣価値加算更新処理手段も、実際の加算更新が行われる箇所に応じて、前記変換された電子貨幣価値の大きさを電子貨幣価値特定情報から特定される電子貨幣価値の大きさに対して加算更新するための電子貨幣価値加算更新処理を行うものである。
【０３２２】
上記の第１，第３実施形態では、電子貨幣価値変換処理手段及び電子貨幣価値加算更新処理手段が入金精算装置３０に設けられ、該入金精算装置３０において電子貨幣価値変換処理及び電子貨幣価値加算更新処理が行われる例について説明したが、これに限らず、電子貨幣価値変換処理手段及び電子貨幣価値加算更新処理手段を玉貸ユニット２０に設け、該玉貸ユニット２０において電子貨幣価値変換処理及び電子貨幣価値加算更新処理が行われるようにしても良く、これによれば、入金精算装置３０を設ける必要がなくなる。
【図面の簡単な説明】
【０３２３】
【図１】図１は第１実施形態及び第２実施形態に係る遊技用システムの一例を表す機能ブロック図である。
【図２】図２（ａ）は第１実施形態及び第２実施形態に係る玉貸ユニットとパチンコ機の一例を表す正面図であり、図２（ｂ）は同玉貸ユニットの断面右側面図であり、図２（ｃ）はＸ−Ｘ線断面図である。
【図３】図３は第１実施形態に係る玉貸ユニットのディスプレイに表示される画面の一例を表す図である。
【図４】図４は図３に続く図である。
【図５】図５は第１実施形態及び第２実施形態に係る入金精算装置の一例を表す斜視図である。
【図６】図６は第１実施形態に係る入金精算装置のディスプレイに表示される画面の一例を表す図である。
【図７】図７は図６に続く図である。
【図８】図８は第１実施形態に係る玉貸ユニットにおける処理の一例を表すフローチャートである。
【図９】図９は図８に続く図である。
【図１０】図１０は第１実施形態に係る入金精算装置における処理の一例を表すフローチャートである。
【図１１】図１１は図１０に続く図である。
【図１２】図１２は第２実施形態に係る玉貸ユニットのディスプレイに表示される画面の一例を表す図である。
【図１３】図１３は図１２に続く図である。
【図１４】図１４は第２実施形態に係る入金精算装置のディスプレイに表示される画面の一例を表す図である。
【図１５】図１５は図１４に続く図である。
【図１６】図１６は第２実施形態に係る玉貸ユニットにおける処理の一例を表すフローチャートである。
【図１７】図１７は図１６に続く図である。
【図１８】図１８は第２実施形態に係る入金精算装置における処理の一例を表すフローチャートである。
【図１９】図１９は図１８に続く図である。
【図２０】図２０は第３実施形態及び第４実施形態に係る遊技用システムの一例を表す機能ブロック図である。
【図２１】図２１（ａ）は第３実施形態及び第４実施形態に係る玉貸ユニットとパチンコ機の一例を表す正面図であり、図２１（ｂ）は同玉貸ユニットの断面右側面図である。
【図２２】図２２は第３実施形態に係る玉貸ユニットのディスプレイに表示される画面の一例を表す図である。
【図２３】図２３は図２２に続く図である。
【図２４】図２４は第３実施形態及び第４実施形態に係る入金精算装置の一例を表す斜視図である。
【図２５】図２５は第３実施形態に係る入金精算装置のディスプレイに表示される画面の一例を表す図である。
【図２６】図２６は図２５に続く図である。
【図２７】図２７は第３実施形態に係る玉貸ユニットにおける処理の一例を表すフローチャートである。
【図２８】図２８は図２７に続く図である。
【図２９】図２９は第３実施形態に係る入金精算装置における処理の一例を表すフローチャートである。
【図３０】図３０は図２９に続く図である。
【図３１】図３１は第４実施形態に係る玉貸ユニットのディスプレイに表示される画面の一例を表す図である。
【図３２】図３２は図３１に続く図である。
【図３３】図３３は第４実施形態に係る入金精算装置のディスプレイに表示される画面の一例を表す図である。
【図３４】図３４は図３３に続く図である。
【図３５】図３５は第４実施形態に係る玉貸ユニットにおける処理の一例を表すフローチャートである。
【図３６】図３６は図３５に続く図である。
【図３７】図３７は第４実施形態に係る入金精算装置における処理の一例を表すフローチャートである。
【図３８】図３８は図３７に続く図である。
【図３９】図３９（ａ）は上記実施形態に係る電子貨幣価値変換処理及び電子貨幣価値加算更新処理を表す図であり、図３９（ｂ）〜（ｄ）は変形例に係る電子貨幣価値変換処理及び電子貨幣価値加算更新処理を表す図である。
【符号の説明】
【０３２４】
１…遊技用システム
２…紙幣
３…硬貨
５…電子マネーカード
５’…会員カード
８…電子マネー会社
１０…パチンコ機
２０…玉貸ユニット
２２…制御部
２３…紙幣識別機
２４…硬貨識別機
２６…電子マネーカードＲ／Ｗ
２６’…会員カードＲ／Ｗ
２７…（タッチパネル式の）ディスプレイ
３０…入金精算装置
３２…制御部
３３…紙幣識別機
３４…硬貨識別機
３６…電子マネーカードＲ／Ｗ
３６’…会員カードＲ／Ｗ
３７…（タッチパネル式の）ディスプレイ
【図１】
2006068333.tif 000003
【図２】
2006068333.tif 000004
【図３】
2006068333.tif 000005
【図４】
2006068333.tif 000006
【図５】
2006068333.tif 000007
【図６】
2006068333.tif 000008
【図７】
2006068333.tif 000009
【図８】
2006068333.tif 000010
【図９】
2006068333.tif 000011
【図１０】
2006068333.tif 000012
【図１１】
2006068333.tif 000013
【図１２】
2006068333.tif 000014
【図１３】
2006068333.tif 000015
【図１４】
2006068333.tif 000016
【図１５】
2006068333.tif 000017
【図１６】
2006068333.tif 000018
【図１７】
2006068333.tif 000019
【図１８】
2006068333.tif 000020
【図１９】
2006068333.tif 000021
【図２０】
2006068333.tif 000022
【図２１】
2006068333.tif 000023
【図２２】
2006068333.tif 000024
【図２３】
2006068333.tif 000025
【図２４】
2006068333.tif 000026
【図２５】
2006068333.tif 000027
【図２６】
2006068333.tif 000028
【図２７】
2006068333.tif 000029
【図２８】
2006068333.tif 000030
【図２９】
2006068333.tif 000031
【図３０】
2006068333.tif 000032
【図３１】
2006068333.tif 000033
【図３２】
2006068333.tif 000034
【図３３】
2006068333.tif 000035
【図３４】
2006068333.tif 000036
【図３５】
2006068333.tif 000037
【図３６】
2006068333.tif 000038
【図３７】
2006068333.tif 000039
【図３８】
2006068333.tif 000040
【図３９】
2006068333.tif 000041